(57)【要約】  符号化装置（１００）は、回路（１６０）と、メモリ（１６２）とを備え、回路（１６０）は、メモリ（１６２）を用いて、画像ブロックを複数のパーティションに分割するステップと、パーティションに対する予測画像を取得するステップと、予測画像を用いて画像ブロックを符号化するステップとを行い、回路（１６０）は、パーティションが非矩形パーティションでない場合、パーティションに対する第１動きベクトルを用いてパーティションに対する第１予測画像を取得し、第１予測画像を用いてパーティションに対する第２動きベクトルを取得し、第２動きベクトルを用いてパーティションに対する第２予測画像を予測画像として取得し、パーティションが非矩形パーティションである場合、第２動きベクトルを用いずに、第１動きベクトルを用いて第１予測画像を予測画像として取得する。
2019151284.tif 000002
【特許請求の範囲】
【請求項１】
回路と、
メモリとを備え、
前記回路は、前記メモリを用いて、
画像ブロックを複数のパーティションに分割するステップと、
前記複数のパーティションに含まれるパーティションに対する予測画像を取得するステップと、
前記予測画像を用いて、前記画像ブロックを符号化するステップとを行い、
前記回路は、前記予測画像を取得するステップにおいて、
前記パーティションが非矩形パーティションであるかを判定し、
前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、
前記パーティションが非矩形パーティションであると判定された場合、前記第２動きベクトルを用いずに、前記第１動きベクトルを用いて前記第１予測画像を前記予測画像として取得する
符号化装置。
【請求項２】
前記回路は、前記パーティションが三角形パーティションである場合、前記パーティションが非矩形パーティションであると判定する
請求項１に記載の符号化装置。
【請求項３】
前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである
請求項１又は２に記載の符号化装置。
【請求項４】
前記回路は、前記第１予測画像を用いて動き探索を行うことにより前記第２動きベクトルを取得する
請求項１〜３のいずれか１項に記載の符号化装置。
【請求項５】
回路と、
メモリとを備え、
前記回路は、前記メモリを用いて、
画像ブロックを複数のパーティションに分割するステップと、
前記複数のパーティションに含まれるパーティションに対する予測画像を取得するステップと、
前記予測画像を用いて、前記画像ブロックを復号するステップとを行い、
前記回路は、前記予測画像を取得するステップにおいて、
前記パーティションが非矩形パーティションであるかを判定し、
前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、
前記パーティションが非矩形パーティションであると判定された場合、前記第２動きベクトルを用いずに、前記第１動きベクトルを用いて前記第１予測画像を前記予測画像として取得する
復号装置。
【請求項６】
前記回路は、前記パーティションが三角形パーティションである場合、前記パーティションが非矩形パーティションであると判定する
請求項５に記載の復号装置。
【請求項７】
前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである
請求項５又は６に記載の復号装置。
【請求項８】
前記回路は、前記第１予測画像を用いて動き探索を行うことにより前記第２動きベクトルを取得する
請求項５〜７のいずれか１項に記載の復号装置。
【請求項９】
画像ブロックを複数のパーティションに分割するステップと、
前記複数のパーティションに含まれるパーティションに対する予測画像を取得するステップと、
前記予測画像を用いて、前記画像ブロックを符号化するステップとを含み、
前記予測画像を取得するステップでは、
前記パーティションが非矩形パーティションであるかを判定し、
前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、
前記パーティションが非矩形パーティションであると判定された場合、前記第２動きベクトルを用いずに、前記第１動きベクトルを用いて前記第１予測画像を前記予測画像として取得する
符号化方法。
【請求項１０】
画像ブロックを複数のパーティションに分割するステップと、
前記複数のパーティションに含まれるパーティションに対する予測画像を取得するステップと、
前記予測画像を用いて、前記画像ブロックを復号するステップとを含み、
前記予測画像を取得するステップでは、
前記パーティションが非矩形パーティションであるかを判定し、
前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、
前記パーティションが非矩形パーティションであると判定された場合、前記第２動きベクトルを用いずに、前記第１動きベクトルを用いて前記第１予測画像を前記予測画像として取得する
復号方法。
【発明の詳細な説明】
【技術分野】
【０００１】
本開示は、画像ブロックを符号化する符号化装置等に関する。
【背景技術】
【０００２】
従来、動画像を符号化するための規格として、ＨＥＶＣ（Ｈｉｇｈ  Ｅｆｆｉｃｉｅｎｃｙ  Ｖｉｄｅｏ  Ｃｏｄｉｎｇ）とも呼ばれるＨ．２６５が存在する（非特許文献１）。
【先行技術文献】
【非特許文献】
【０００３】
【非特許文献１】Ｈ．２６５（ＩＳＯ／ＩＥＣ  ２３００８−２  ＨＥＶＣ）／ＨＥＶＣ（Ｈｉｇｈ  Ｅｆｆｉｃｉｅｎｃｙ  Ｖｉｄｅｏ  Ｃｏｄｉｎｇ）
【発明の概要】
【発明が解決しようとする課題】
【０００４】
しかしながら、動画像に含まれる画像ブロックが効率的に処理されなければ、処理量の増大等が発生する。【０００５】
そこで、本開示は、画像ブロックを効率的に処理することができる符号化装置等を提供する。
【課題を解決するための手段】
【０００６】
本開示の一態様に係る符号化装置は、回路と、メモリとを備え、前記回路は、前記メモリを用いて、画像ブロックを複数のパーティションに分割するステップと、前記複数のパーティションに含まれるパーティションに対する予測画像を取得するステップと、前記予測画像を用いて、前記画像ブロックを符号化するステップとを行い、前記回路は、前記予測画像を取得するステップにおいて、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。【０００７】
なお、これらの包括的又は具体的な態様は、システム、装置、方法、集積回路、コンピュータプログラム、又は、コンピュータ読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。
【発明の効果】
【０００８】
本開示の一態様に係る符号化装置等は、画像ブロックを効率的に処理することができる。
【図面の簡単な説明】
【０００９】
【図１】図１は、実施の形態１に係る符号化装置の機能構成を示すブロック図である。
【図２】図２は、実施の形態１におけるブロック分割の一例を示す図である。
【図３】図３は、各変換タイプに対応する変換基底関数を示す表である。
【図４Ａ】図４Ａは、ＡＬＦで用いられるフィルタの形状の一例を示す図である。
【図４Ｂ】図４Ｂは、ＡＬＦで用いられるフィルタの形状の他の一例を示す図である。
【図４Ｃ】図４Ｃは、ＡＬＦで用いられるフィルタの形状の他の一例を示す図である。
【図５Ａ】図５Ａは、イントラ予測における６７個のイントラ予測モードを示す図である。
【図５Ｂ】図５Ｂは、ＯＢＭＣ処理による予測画像補正処理の概要を説明するためのフローチャートである。
【図５Ｃ】図５Ｃは、ＯＢＭＣ処理による予測画像補正処理の概要を説明するための概念図である。
【図５Ｄ】図５Ｄは、ＦＲＵＣの一例を示す図である。
【図６】図６は、動き軌道に沿う２つのブロック間でのパターンマッチング（バイラテラルマッチング）を説明するための図である。
【図７】図７は、カレントピクチャ内のテンプレートと参照ピクチャ内のブロックとの間でのパターンマッチング（テンプレートマッチング）を説明するための図である。
【図８】図８は、等速直線運動を仮定したモデルを説明するための図である。
【図９Ａ】図９Ａは、複数の隣接ブロックの動きベクトルに基づくサブブロック単位の動きベクトルの導出を説明するための図である。
【図９Ｂ】図９Ｂは、マージモードによる動きベクトル導出処理の概要を説明するための図である。
【図９Ｃ】図９Ｃは、ＤＭＶＲ処理の概要を説明するための概念図である。
【図９Ｄ】図９Ｄは、ＬＩＣ処理による輝度補正処理を用いた予測画像生成方法の概要を説明するための図である。
【図１０】図１０は、実施の形態１に係る復号装置の機能構成を示すブロック図である。
【図１１】図１１は、実施の形態１の第１態様における画像ブロックの符号化処理及び復号処理を示すフローチャートである。
【図１２Ａ】図１２Ａは、実施の形態１における４分割を示す模式図である。
【図１２Ｂ】図１２Ｂは、実施の形態１における２分割の第１例を示す模式図である。
【図１２Ｃ】図１２Ｃは、実施の形態１における２分割の第２例を示す模式図である。
【図１２Ｄ】図１２Ｄは、実施の形態１における３分割の第１例を示す模式図である。
【図１２Ｅ】図１２Ｅは、実施の形態１における３分割の第２例を示す模式図である。
【図１２Ｆ】図１２Ｆは、実施の形態１における斜め分割の第１例を示す模式図である。
【図１２Ｇ】図１２Ｇは、実施の形態１における斜め分割の第２例を示す模式図である。
【図１２Ｈ】図１２Ｈは、実施の形態１における斜め分割の第３例を示す模式図である。
【図１２Ｉ】図１２Ｉは、実施の形態１における複数の分割の組み合わせの第１例を示す模式図である。
【図１２Ｊ】図１２Ｊは、実施の形態１における複数の分割の組み合わせの第２例を示す模式図である。
【図１３Ａ】図１３Ａは、実施の形態１における三角形パーティションを示す模式図である。
【図１３Ｂ】図１３Ｂは、実施の形態１におけるＬ型パーティションを示す模式図である。
【図１３Ｃ】図１３Ｃは、実施の形態１における五角形パーティションを示す模式図である。
【図１３Ｄ】図１３Ｄは、実施の形態１における六角形パーティションを示す模式図である。
【図１３Ｅ】図１３Ｅは、実施の形態１における多角形パーティションを示す模式図である。
【図１４】図１４は、実施の形態１におけるＡＴＭＶＰ処理を示すフローチャートである。
【図１５】図１５は、ＡＴＭＶＰ処理における対応ブロックの決定処理を示す概念図である。
【図１６】図１６は、ＡＴＭＶＰ処理におけるサブブロックに対する動きベクトルの導出処理を示す概念図である。
【図１７】図１７は、実施の形態１におけるＳＴＭＶＰ処理を示すフローチャートである。
【図１８】図１８は、実施の形態１におけるＤＭＶＲ処理を示すフローチャートである。
【図１９】図１９は、実施の形態１におけるフラグの符号化処理及び復号処理の第１例を示すフローチャートである。
【図２０】図２０は、実施の形態１におけるフラグの符号化処理及び復号処理の第２例を示すフローチャートである。
【図２１】図２１は、実施の形態１の第２態様における画像ブロックの符号化処理及び復号処理を示すフローチャートである。
【図２２】図２２は、実施の形態１の第３態様における画像ブロックの符号化処理及び復号処理を示すフローチャートである。
【図２３】図２３は、実施の形態１の第４態様における画像ブロックの符号化処理及び復号処理を示すフローチャートである。
【図２４】図２４は、実施の形態１に係る符号化装置の実装例を示すブロック図である。
【図２５】図２５は、実施の形態１に係る符号化装置の第１動作例を示すフローチャートである。
【図２６】図２６は、実施の形態１に係る符号化装置の第２動作例を示すフローチャートである。
【図２７】図２７は、実施の形態１に係る符号化装置の第３動作例を示すフローチャートである。
【図２８】図２８は、実施の形態１に係る復号装置の実装例を示すブロック図である。
【図２９】図２９は、実施の形態１に係る復号装置の第１動作例を示すフローチャートである。
【図３０】図３０は、実施の形態１に係る復号装置の第２動作例を示すフローチャートである。
【図３１】図３１は、実施の形態１に係る復号装置の第３動作例を示すフローチャートである。
【図３２】図３２は、コンテンツ配信サービスを実現するコンテンツ供給システムの全体構成図である。
【図３３】図３３は、スケーラブル符号化時の符号化構造の一例を示す図である。
【図３４】図３４は、スケーラブル符号化時の符号化構造の一例を示す図である。
【図３５】図３５は、ｗｅｂページの表示画面例を示す図である。
【図３６】図３６は、ｗｅｂページの表示画面例を示す図である。
【図３７】図３７は、スマートフォンの一例を示す図である。
【図３８】図３８は、スマートフォンの構成例を示すブロック図である。
【発明を実施するための形態】
【００１０】
（本開示の基礎となった知見）
例えば、符号化装置は、動画像に含まれる画像ブロックを符号化する際、画像ブロックを複数のパーティションに分割し、各パーティションに対して予測処理を行う。符号化装置は、パーティションに対してインター予測を行ってもよい。そして、符号化装置は、予測処理の結果を用いて画像ブロックを符号化する。具体的には、符号化装置は、予測処理によって得られる予測画像が画像ブロックから取り除かれた差分を符号化する。これにより、符号量が削減される。
【００１１】
復号装置も、動画像に含まれる画像ブロックを復号する際、画像ブロックを複数のパーティションに分割し、各パーティションに対して予測処理を行う。復号装置は、パーティションに対してインター予測を行ってもよい。そして、復号装置は、予測処理の結果を用いて画像ブロックを復号する。具体的には、復号装置は、符号化された差分を復号し、符号化された差分に、予測処理によって得られる予測画像を加えることにより、画像ブロックを復元する。これにより、画像ブロックが復号される。
【００１２】
上記の画像ブロックの分割において、非矩形パーティションを含む複数のパーティションに画像ブロックを分割することが検討されている。しかしながら、非矩形パーティションを含む複数のパーティションに画像ブロックが分割された場合、予測処理が複雑化し、処理量が増大する。
【００１３】
そこで、例えば、本開示の一態様に係る符号化装置は、回路と、メモリとを備え、前記回路は、前記メモリを用いて、画像ブロックを符号化するステップを行い、前記回路は、前記画像ブロックを符号化するステップにおいて、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを符号化し、前記画像ブロックが前記複数のパーティションに分割されることを前記分割パラメータが示す場合、前記画像ブロックを前記複数のパーティションに分割して符号化する。
【００１４】
これにより、符号化装置は、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることができる。したがって、符号化装置は、画像ブロックを効率的に処理することができる。
【００１５】
また、例えば、前記回路は、前記１つ以上のサイズパラメータと前記１つ以上の閾値とが前記所定の関係を満たさないと判定された場合、前記分割パラメータを符号化せずに、前記画像ブロックを符号化する。
【００１６】
これにより、符号量の削減が可能である。また、符号化装置は、分割パラメータの符号化のための処理量を削減することができる。
【００１７】
また、例えば、前記回路は、前記１つ以上のサイズパラメータと前記１つ以上の閾値とが前記所定の関係を満たさないと判定された場合、前記画像ブロックを分割せずに又は複数の矩形パーティションに分割して符号化する。
【００１８】
これにより、符号化装置は、非矩形パーティションを含む複数のパーティションに画像ブロックに分割することを抑制することができる。
【００１９】
また、例えば、前記回路は、前記画像ブロックが前記複数のパーティションに分割されないことを前記分割パラメータが示す場合、前記画像ブロックを分割せずに又は複数の矩形パーティションに分割して符号化する。
【００２０】
これにより、符号化装置は、非矩形パーティションを含む複数のパーティションに画像ブロックに分割することを抑制することができる。
【００２１】
また、例えば、前記１つ以上の閾値は、１つの閾値であり、前記所定の関係は、前記１つ以上のサイズパラメータのそれぞれが前記１つの閾値以上であること、又は、前記１つ以上のサイズパラメータの少なくとも１つが前記１つの閾値以上であることである。
【００２２】
これにより、符号化装置は、１つ以上のサイズパラメータが１つの閾値以上である場合、非矩形パーティションを含む複数のパーティションに画像ブロックに分割するか否かを切り替えることができる。
【００２３】
また、例えば、前記１つ以上の閾値は、第１閾値及び第２閾値であり、前記第１閾値は、前記第２閾値以下であり、前記所定の関係は、前記１つ以上のサイズパラメータのそれぞれが前記第１閾値以上前記第２閾値以下であること、又は、前記１つ以上のサイズパラメータの少なくとも１つが前記第１閾値以上前記第２閾値以下であることである。
【００２４】
これにより、符号化装置は、１つ以上のサイズパラメータが第１閾値以上第２閾値以下である場合、非矩形パーティションを含む複数のパーティションに画像ブロックに分割するか否かを切り替えることができる。
【００２５】
また、例えば、前記非矩形パーティションは、三角形パーティションである。
【００２６】
これにより、符号化装置は、画像ブロックのサイズに関連する１つ以上のサイズパラメータと１つ以上の閾値とが所定の関係を満たす場合、三角形パーティションを含む複数のパーティションに画像ブロックに分割するか否かを切り替えることができる。
【００２７】
また、例えば、前記１つ以上のサイズパラメータは、前記画像ブロックの高さに対する前記画像ブロックの幅の比率、前記画像ブロックの幅に対する前記画像ブロックの高さの比率、前記画像ブロックの幅、及び、前記画像ブロックの高さのうち、少なくとも１つを含む。
【００２８】
これにより、符号化装置は、画像ブロックの高さに対する幅の比率、画像ブロックの幅に対する高さの比率、画像ブロックの幅、及び、画像ブロックの高さのうち、少なくとも１つをサイズパラメータとして用いることができる。
【００２９】
また、例えば、前記１つ以上の閾値のそれぞれは、ゼロ以上である。
【００３０】
これにより、符号化装置は、１つ以上のサイズパラメータと、それぞれがゼロ以上である１つ以上の閾値とが所定の関係を満たす場合、非矩形パーティションを含む複数のパーティションに画像ブロックに分割するか否かを切り替えることができる。
【００３１】
また、例えば、前記１つ以上の閾値は、前記画像ブロックを前記複数のパーティションに分割するための、前記画像ブロックの高さに対する前記画像ブロックの幅の比率の制限範囲を示す。
【００３２】
これにより、符号化装置は、１つ以上のサイズパラメータと、高さに対する幅の比率の制限範囲を示す１つ以上の閾値とが所定の関係を満たす場合、非矩形パーティションを含む複数のパーティションに画像ブロックに分割するか否かを切り替えることができる。
【００３３】
また、例えば、本開示の一態様に係る復号装置は、回路と、メモリとを備え、前記回路は、前記メモリを用いて、画像ブロックを復号するステップを行い、前記回路は、前記画像ブロックを復号するステップにおいて、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを復号し、前記画像ブロックが前記複数のパーティションに分割されることを前記分割パラメータが示す場合、前記画像ブロックを前記複数のパーティションに分割して復号する。
【００３４】
これにより、復号装置は、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることができる。したがって、復号装置は、画像ブロックを効率的に処理することができる。
【００３５】
また、例えば、前記回路は、前記１つ以上のサイズパラメータと前記１つ以上の閾値とが前記所定の関係を満たさないと判定された場合、前記分割パラメータを復号せずに、前記画像ブロックを復号する。
【００３６】
これにより、符号量の削減が可能である。また、復号装置は、分割パラメータの復号のための処理量を削減することができる。
【００３７】
また、例えば、前記回路は、前記１つ以上のサイズパラメータと前記１つ以上の閾値とが前記所定の関係を満たさないと判定された場合、前記画像ブロックを分割せずに又は複数の矩形パーティションに分割して復号する。
【００３８】
これにより、復号装置は、非矩形パーティションを含む複数のパーティションに画像ブロックに分割することを抑制することができる。
【００３９】
また、例えば、前記回路は、前記画像ブロックが前記複数のパーティションに分割されないことを前記分割パラメータが示す場合、前記画像ブロックを分割せずに又は複数の矩形パーティションに分割して復号する。
【００４０】
これにより、復号装置は、非矩形パーティションを含む複数のパーティションに画像ブロックに分割することを抑制することができる。
【００４１】
また、例えば、前記１つ以上の閾値は、１つの閾値であり、前記所定の関係は、前記１つ以上のサイズパラメータのそれぞれが前記１つの閾値以上であること、又は、前記１つ以上のサイズパラメータの少なくとも１つが前記１つの閾値以上であることである。
【００４２】
これにより、復号装置は、１つ以上のサイズパラメータが１つの閾値以上である場合、非矩形パーティションを含む複数のパーティションに画像ブロックに分割するか否かを切り替えることができる。
【００４３】
また、例えば、前記１つ以上の閾値は、第１閾値及び第２閾値であり、前記第１閾値は、前記第２閾値以下であり、前記所定の関係は、前記１つ以上のサイズパラメータのそれぞれが前記第１閾値以上前記第２閾値以下であること、又は、前記１つ以上のサイズパラメータの少なくとも１つが前記第１閾値以上前記第２閾値以下であることである。
【００４４】
これにより、復号装置は、１つ以上のサイズパラメータが第１閾値以上第２閾値以下である場合、非矩形パーティションを含む複数のパーティションに画像ブロックに分割するか否かを切り替えることができる。
【００４５】
また、例えば、前記非矩形パーティションは、三角形パーティションである。
【００４６】
これにより、復号装置は、画像ブロックのサイズに関連する１つ以上のサイズパラメータと１つ以上の閾値とが所定の関係を満たす場合、三角形パーティションを含む複数のパーティションに画像ブロックに分割するか否かを切り替えることができる。
【００４７】
また、例えば、前記１つ以上のサイズパラメータは、前記画像ブロックの高さに対する前記画像ブロックの幅の比率、前記画像ブロックの幅に対する前記画像ブロックの高さの比率、前記画像ブロックの幅、及び、前記画像ブロックの高さのうち、少なくとも１つを含む。
【００４８】
これにより、復号装置は、画像ブロックの高さに対する幅の比率、画像ブロックの幅に対する高さの比率、画像ブロックの幅、及び、画像ブロックの高さのうち、少なくとも１つをサイズパラメータとして用いることができる。
【００４９】
また、例えば、前記１つ以上の閾値のそれぞれは、ゼロ以上である。
【００５０】
これにより、復号装置は、１つ以上のサイズパラメータと、それぞれがゼロ以上である１つ以上の閾値とが所定の関係を満たす場合、非矩形パーティションを含む複数のパーティションに画像ブロックに分割するか否かを切り替えることができる。
【００５１】
また、例えば、前記１つ以上の閾値は、前記画像ブロックを前記複数のパーティションに分割するための、前記画像ブロックの高さに対する前記画像ブロックの幅の比率の制限範囲を示す。
【００５２】
これにより、復号装置は、１つ以上のサイズパラメータと、高さに対する幅の比率の制限範囲を示す１つ以上の閾値とが所定の関係を満たす場合、非矩形パーティションを含む複数のパーティションに画像ブロックに分割するか否かを切り替えることができる。
【００５３】
また、例えば、本開示の一態様に係る符号化方法は、画像ブロックを符号化するステップを含み、前記画像ブロックを符号化するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを符号化し、前記画像ブロックが前記複数のパーティションに分割されることを前記分割パラメータが示す場合、前記画像ブロックを前記複数のパーティションに分割して符号化する。
【００５４】
これにより、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることが可能である。したがって、画像ブロックを効率的に処理することが可能である。
【００５５】
また、例えば、本開示の一態様に係る復号方法は、画像ブロックを復号するステップを含み、前記回路は、前記画像ブロックを復号するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを復号し、前記画像ブロックが前記複数のパーティションに分割されることを前記分割パラメータが示す場合、前記画像ブロックを前記複数のパーティションに分割して復号する。
【００５６】
これにより、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることが可能である。したがって、画像ブロックを効率的に処理することが可能である。
【００５７】
また、例えば、本開示の一態様に係る符号化装置は、回路と、メモリとを備え、前記回路は、前記メモリを用いて、画像ブロックを複数のパーティションに分割するステップと、前記複数のパーティションに含まれるパーティションに対する予測画像を取得するステップと、前記予測画像を用いて、前記画像ブロックを符号化するステップとを行い、前記回路は、前記予測画像を取得するステップにおいて、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【００５８】
これにより、符号化装置は、非矩形パーティションに対して、２段階の動作を抑制することができ、処理量の増加を抑制することができる。したがって、符号化装置は、画像ブロックを効率的に処理することができる。
【００５９】
また、例えば、前記回路は、前記パーティションが三角形パーティションである場合、前記パーティションが非矩形パーティションであると判定する。
【００６０】
これにより、符号化装置は、三角形パーティションに対して、処理量の増加を抑制することができる。
【００６１】
また、例えば、前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである。
【００６２】
これにより、符号化装置は、画像ブロックを複数のパーティションに分割せずに画像ブロックに対して予測画像を取得する場合と同じように、矩形パーティションに対して予測画像を取得することができる。したがって、符号化装置は、処理を簡素化することができる。
【００６３】
また、例えば、前記回路は、前記第１予測画像を用いて動き探索を行うことにより前記第２動きベクトルを取得する。
【００６４】
これにより、符号化装置は、第１予測画像を用いて適切な第２動きベクトルを取得することができ、適切な第２動きベクトルを用いて適切な第２予測画像を取得することができる。
【００６５】
また、例えば、本開示の一態様に係る復号装置は、回路と、メモリとを備え、前記回路は、前記メモリを用いて、画像ブロックを複数のパーティションに分割するステップと、前記複数のパーティションに含まれるパーティションに対する予測画像を取得するステップと、前記予測画像を用いて、前記画像ブロックを復号するステップとを行い、前記回路は、前記予測画像を取得するステップにおいて、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【００６６】
これにより、復号装置は、非矩形パーティションに対して、２段階の動作を抑制することができ、処理量の増加を抑制することができる。したがって、復号装置は、画像ブロックを効率的に処理することができる。
【００６７】
また、例えば、前記回路は、前記パーティションが三角形パーティションである場合、前記パーティションが非矩形パーティションであると判定する。
【００６８】
これにより、復号装置は、三角形パーティションに対して、処理量の増加を抑制することができる。
【００６９】
また、例えば、前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである。
【００７０】
これにより、復号装置は、画像ブロックを複数のパーティションに分割せずに画像ブロックに対して予測画像を取得する場合と同じように、矩形パーティションに対して予測画像を取得することができる。したがって、復号装置は、処理を簡素化することができる。
【００７１】
また、例えば、前記回路は、前記第１予測画像を用いて動き探索を行うことにより前記第２動きベクトルを取得する。
【００７２】
これにより、復号装置は、第１予測画像を用いて適切な第２動きベクトルを取得することができ、適切な第２動きベクトルを用いて適切な第２予測画像を取得することができる。
【００７３】
また、例えば、本開示の一態様に係る符号化方法は、画像ブロックを複数のパーティションに分割するステップと、前記複数のパーティションに含まれるパーティションに対する予測画像を取得するステップと、前記予測画像を用いて、前記画像ブロックを符号化するステップとを含み、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【００７４】
これにより、非矩形パーティションに対して、２段階の動作を抑制することが可能であり、処理量の増加を抑制することが可能である。したがって、画像ブロックを効率的に処理することが可能である。
【００７５】
また、例えば、本開示の一態様に係る復号方法は、画像ブロックを複数のパーティションに分割するステップと、前記複数のパーティションに含まれるパーティションに対する予測画像を取得するステップと、前記予測画像を用いて、前記画像ブロックを復号するステップとを含み、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【００７６】
これにより、非矩形パーティションに対して、２段階の動作を抑制することが可能であり、処理量の増加を抑制することが可能である。したがって、画像ブロックを効率的に処理することが可能である。
【００７７】
また、例えば、本開示の一態様に係る符号化装置は、回路と、メモリとを備え、前記回路は、前記メモリを用いて、画像ブロックを複数のパーティションに分割するステップと、前記複数のパーティションに含まれるパーティションに対する予測画像を取得するステップと、前記予測画像を用いて、前記画像ブロックを符号化するステップとを行い、前記回路は、前記予測画像を取得するステップにおいて、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【００７８】
これにより、符号化装置は、非矩形パーティションに対して、勾配画像を用いることを抑制することができ、処理量の増加を抑制することができる。したがって、符号化装置は、画像ブロックを効率的に処理することができる。
【００７９】
また、例えば、前記回路は、前記パーティションが三角形パーティションである場合、前記パーティションが非矩形パーティションであると判定する。
【００８０】
これにより、符号化装置は、三角形パーティションに対して、処理量の増加を抑制することができる。
【００８１】
また、例えば、前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである。
【００８２】
これにより、符号化装置は、画像ブロックを複数のパーティションに分割せずに画像ブロックに対して予測画像を取得する場合と同じように、矩形パーティションに対して予測画像を取得することができる。したがって、符号化装置は、処理を簡素化することができる。
【００８３】
また、例えば、前記回路は、前記第１予測画像に対して画素間の差分値を抽出するフィルタを適用することによって前記勾配画像を取得する。
【００８４】
これにより、符号化装置は、第１予測画像に対して適切な勾配画像を取得することができ、適切な勾配画像を用いて適切な第２予測画像を取得することができる。
【００８５】
また、例えば、本開示の一態様に係る復号装置は、回路と、メモリとを備え、前記回路は、前記メモリを用いて、画像ブロックを複数のパーティションに分割するステップと、前記複数のパーティションに含まれるパーティションに対する予測画像を取得するステップと、前記予測画像を用いて、前記画像ブロックを復号するステップとを行い、前記回路は、前記予測画像を取得するステップにおいて、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【００８６】
これにより、復号装置は、非矩形パーティションに対して、勾配画像を用いることを抑制することができ、処理量の増加を抑制することができる。したがって、復号装置は、画像ブロックを効率的に処理することができる。
【００８７】
また、例えば、前記回路は、前記パーティションが三角形パーティションである場合、前記パーティションが非矩形パーティションであると判定する。
【００８８】
これにより、復号装置は、三角形パーティションに対して、処理量の増加を抑制することができる。
【００８９】
また、例えば、前記パーティションが非矩形パーティションでないと判定された場合に取得される前記予測画像は、所定の予測モードにおいて前記画像ブロックを前記複数のパーティションに分割せずに前記画像ブロックに対して取得される予測画像のうち前記パーティションに対応する部分と同じである。
【００９０】
これにより、復号装置は、画像ブロックを複数のパーティションに分割せずに画像ブロックに対して予測画像を取得する場合と同じように、矩形パーティションに対して予測画像を取得することができる。したがって、復号装置は、処理を簡素化することができる。
【００９１】
また、例えば、前記回路は、前記第１予測画像に対して画素間の差分値を抽出するフィルタを適用することによって前記勾配画像を取得する。
【００９２】
これにより、復号装置は、第１予測画像に対して適切な勾配画像を取得することができ、適切な勾配画像を用いて適切な第２予測画像を取得することができる。
【００９３】
また、例えば、本開示の一態様に係る符号化方法は、画像ブロックを複数のパーティションに分割するステップと、前記複数のパーティションに含まれるパーティションに対する予測画像を取得するステップと、前記予測画像を用いて、前記画像ブロックを符号化するステップとを含み、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【００９４】
これにより、非矩形パーティションに対して、処理量の増加を抑制することが可能である。したがって、画像ブロックを効率的に処理することが可能である。
【００９５】
また、例えば、本開示の一態様に係る復号方法は、画像ブロックを複数のパーティションに分割するステップと、前記複数のパーティションに含まれるパーティションに対する予測画像を取得するステップと、前記予測画像を用いて、前記画像ブロックを復号するステップとを含み、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【００９６】
これにより、非矩形パーティションに対して、処理量の増加を抑制することが可能である。したがって、画像ブロックを効率的に処理することが可能である。
【００９７】
また、例えば、本開示の一態様に係る符号化装置は、回路と、メモリとを備え、前記回路は、前記メモリを用いて、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを符号化するステップとを行い、前記回路は、前記動きベクトル候補リストを生成するステップにおいて、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【００９８】
これにより、符号化装置は、非矩形パーティションに対して、複数のサブパーティションに対する複数の動きベクトルを用いることを抑制することができ、処理量の増加を抑制することができる。したがって、符号化装置は、画像ブロックを効率的に処理することができる。
【００９９】
また、例えば、前記回路は、前記パーティションが三角形パーティションである場合、前記パーティションが非矩形パーティションであると判定する。
【０１００】
これにより、符号化装置は、三角形パーティションに対して、処理量の増加を抑制することができる。
【０１０１】
また、例えば、前記複数のサブパーティションに対する複数の動きベクトルは、前記複数のサブパーティションのそれぞれに空間的又は時間的に隣接する領域に対する動きベクトルから予測される動きベクトルを含む。
【０１０２】
これにより、符号化装置は、サブパーティションに隣接する領域に対する動きベクトルからサブパーティションに対する動きベクトルとして予測される動きベクトルを用いることができる。
【０１０３】
また、例えば、前記パーティションが非矩形パーティションでないと判定された場合に生成される前記動きベクトル候補リストは、所定の予測モードにおいて前記画像ブロックに対して生成される動きベクトル候補リストと同じである。
【０１０４】
これにより、符号化装置は、画像ブロックに対して動きベクトル候補リストを生成する場合と同じように、矩形パーティションに対して動きベクトル候補リストを生成することができる。したがって、符号化装置は、処理を簡素化することができる。
【０１０５】
また、例えば、前記複数の時間隣接パーティションのそれぞれは、前記パーティションを含むピクチャとは異なるピクチャにおいて前記パーティションの位置に対応するｃｏ−ｌｏｃａｔｅｄパーティションである。
【０１０６】
これにより、符号化装置は、ｃｏ−ｌｏｃａｔｅｄパーティションに対する動きベクトルを時間隣接パーティションに対する動きベクトルとして用いることができる。
【０１０７】
また、例えば、本開示の一態様に係る復号装置は、回路と、メモリとを備え、前記回路は、前記メモリを用いて、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを復号するステップとを行い、前記回路は、前記動きベクトル候補リストを生成するステップにおいて、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【０１０８】
これにより、復号装置は、非矩形パーティションに対して、複数のサブパーティションに対する複数の動きベクトルを用いることを抑制することができ、処理量の増加を抑制することができる。したがって、復号装置は、画像ブロックを効率的に処理することができる。
【０１０９】
また、例えば、前記回路は、前記パーティションが三角形パーティションである場合、前記パーティションが非矩形パーティションであると判定する。
【０１１０】
これにより、復号装置は、三角形パーティションに対して、処理量の増加を抑制することができる。
【０１１１】
また、例えば、前記複数のサブパーティションに対する複数の動きベクトルは、前記複数のサブパーティションのそれぞれに空間的又は時間的に隣接する領域に対する動きベクトルから予測される動きベクトルを含む。
【０１１２】
これにより、復号装置は、サブパーティションに隣接する領域に対する動きベクトルからサブパーティションに対する動きベクトルとして予測される動きベクトルを用いることができる。
【０１１３】
また、例えば、前記パーティションが非矩形パーティションでないと判定された場合に生成される前記動きベクトル候補リストは、所定の予測モードにおいて前記画像ブロックに対して生成される動きベクトル候補リストと同じである。
【０１１４】
これにより、復号装置は、画像ブロックに対して動きベクトル候補リストを生成する場合と同じように、矩形パーティションに対して動きベクトル候補リストを生成することができる。したがって、復号装置は、処理を簡素化することができる。
【０１１５】
また、例えば、前記複数の時間隣接パーティションのそれぞれは、前記パーティションを含むピクチャとは異なるピクチャにおいて前記パーティションの位置に対応するｃｏ−ｌｏｃａｔｅｄパーティションである。
【０１１６】
これにより、復号装置は、ｃｏ−ｌｏｃａｔｅｄパーティションに対する動きベクトルを時間隣接パーティションに対する動きベクトルとして用いることができる。
【０１１７】
また、例えば、本開示の一態様に係る符号化方法は、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを符号化するステップとを含み、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【０１１８】
これにより、非矩形パーティションに対して、複数のサブパーティションに対する複数の動きベクトルを用いることを抑制することが可能であり、処理量の増加を抑制することが可能である。したがって、画像ブロックを効率的に処理することが可能である。
【０１１９】
また、例えば、本開示の一態様に係る符号化方法は、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを復号するステップとを含み、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【０１２０】
これにより、非矩形パーティションに対して、複数のサブパーティションに対する複数の動きベクトルを用いることを抑制することが可能であり、処理量の増加を抑制することが可能である。したがって、画像ブロックを効率的に処理することが可能である。
【０１２１】
また、例えば、本開示の一態様に係る符号化装置は、分割部と、イントラ予測部と、インター予測部と、変換部と、量子化部と、エントロピー符号化部と、ループフィルタ部とを備える。前記分割部は、ピクチャを複数の画像ブロックに分割する。前記イントラ予測部は、前記複数の画像ブロックに含まれる画像ブロックに対してイントラ予測を行う。前記インター予測部は、前記画像ブロックに対してインター予測を行う。前記変換部は、前記イントラ予測又は前記インター予測によって得られる予測画像と、原画像との予測誤差を変換して変換係数を生成する。前記量子化部は、前記変換係数を量子化して量子化係数を生成する。前記エントロピー符号化部は、前記量子化係数を符号化して符号化ビットストリームを生成する。前記ループフィルタ部は、前記予測画像を用いて生成される再構成画像にフィルタを適用する。
【０１２２】
また、例えば、前記エントロピー符号化部は、前記画像ブロックを符号化するステップを行い、前記画像ブロックを符号化するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを符号化し、前記画像ブロックが前記複数のパーティションに分割されることを前記分割パラメータが示す場合、前記画像ブロックを前記複数のパーティションに分割して符号化する。
【０１２３】
また、例えば、前記インター予測部は、前記画像ブロックを複数のパーティションに分割するステップと、前記複数のパーティションに含まれるパーティションに対する予測画像を取得するステップとを行い、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【０１２４】
また、例えば、前記インター予測部は、前記画像ブロックを複数のパーティションに分割するステップと、前記複数のパーティションに含まれるパーティションに対する予測画像を取得するステップとを行い、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【０１２５】
また、例えば、前記インター予測部は、前記画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップとを行い、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【０１２６】
また、例えば、本開示の一態様に係る復号装置は、エントロピー復号部と、逆量子化部と、逆変換部と、イントラ予測部と、インター予測部と、ループフィルタ部とを備える。前記エントロピー復号部は、符号化ビットストリームからピクチャ内のパーティションの量子化係数を復号する。前記逆量子化部は、前記量子化係数を逆量子化して変換係数を取得する。前記逆変換部は、前記変換係数を逆変換して予測誤差を取得する。前記イントラ予測部は、前記パーティションに対してイントラ予測を行う。前記インター予測部は、前記パーティションに対してインター予測を行う。前記ループフィルタ部は、前記イントラ予測又は前記インター予測によって得られる予測画像と前記予測誤差とを用いて生成される再構成画像にフィルタを適用する。
【０１２７】
また、例えば、前記エントロピー復号部は、前記画像ブロックを復号するステップを行い、前記画像ブロックを復号するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを復号し、前記画像ブロックが前記複数のパーティションに分割されることを前記分割パラメータが示す場合、前記画像ブロックを前記複数のパーティションに分割して復号する。
【０１２８】
また、例えば、前記インター予測部は、前記画像ブロックを複数のパーティションに分割するステップと、前記複数のパーティションに含まれるパーティションに対する予測画像を取得するステップとを行い、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する。
【０１２９】
また、例えば、前記インター予測部は、前記画像ブロックを複数のパーティションに分割するステップと、前記複数のパーティションに含まれるパーティションに対する予測画像を取得するステップとを行い、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する。
【０１３０】
また、例えば、前記インター予測部は、前記画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップとを行い、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する。
【０１３１】
さらに、これらの包括的又は具体的な態様は、システム、装置、方法、集積回路、コンピュータプログラム、又は、コンピュータ読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。
【０１３２】
以下、実施の形態について図面を参照しながら具体的に説明する。
【０１３３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【０１３４】
（実施の形態１）
まず、後述する本開示の各態様で説明する処理および／または構成を適用可能な符号化装置および復号化装置の一例として、実施の形態１の概要を説明する。ただし、実施の形態１は、本開示の各態様で説明する処理および／または構成を適用可能な符号化装置および復号化装置の一例にすぎず、本開示の各態様で説明する処理および／または構成は、実施の形態１とは異なる符号化装置および復号化装置においても実施可能である。
【０１３５】
実施の形態１に対して本開示の各態様で説明する処理および／または構成を適用する場合、例えば以下のいずれかを行ってもよい。
【０１３６】
（１）実施の形態１の符号化装置または復号化装置に対して、当該符号化装置または復号化装置を構成する複数の構成要素のうち、本開示の各態様で説明する構成要素に対応する構成要素を、本開示の各態様で説明する構成要素に置き換えること
（２）実施の形態１の符号化装置または復号化装置に対して、当該符号化装置または復号化装置を構成する複数の構成要素のうち一部の構成要素について機能または実施する処理の追加、置き換え、削除などの任意の変更を施した上で、本開示の各態様で説明する構成要素に対応する構成要素を、本開示の各態様で説明する構成要素に置き換えること
（３）実施の形態１の符号化装置または復号化装置が実施する方法に対して、処理の追加、および／または当該方法に含まれる複数の処理のうちの一部の処理について置き換え、削除などの任意の変更を施した上で、本開示の各態様で説明する処理に対応する処理を、本開示の各態様で説明する処理に置き換えること
（４）実施の形態１の符号化装置または復号化装置を構成する複数の構成要素のうちの一部の構成要素を、本開示の各態様で説明する構成要素、本開示の各態様で説明する構成要素が備える機能の一部を備える構成要素、または本開示の各態様で説明する構成要素が実施する処理の一部を実施する構成要素と組み合わせて実施すること
（５）実施の形態１の符号化装置または復号化装置を構成する複数の構成要素のうちの一部の構成要素が備える機能の一部を備える構成要素、または実施の形態１の符号化装置または復号化装置を構成する複数の構成要素のうちの一部の構成要素が実施する処理の一部を実施する構成要素を、本開示の各態様で説明する構成要素、本開示の各態様で説明する構成要素が備える機能の一部を備える構成要素、または本開示の各態様で説明する構成要素が実施する処理の一部を実施する構成要素と組み合わせて実施すること
（６）実施の形態１の符号化装置または復号化装置が実施する方法に対して、当該方法に含まれる複数の処理のうち、本開示の各態様で説明する処理に対応する処理を、本開示の各態様で説明する処理に置き換えること
（７）実施の形態１の符号化装置または復号化装置が実施する方法に含まれる複数の処理のうちの一部の処理を、本開示の各態様で説明する処理と組み合わせて実施すること
【０１３７】
なお、本開示の各態様で説明する処理および／または構成の実施の仕方は、上記の例に限定されるものではない。例えば、実施の形態１において開示する動画像／画像符号化装置または動画像／画像復号化装置とは異なる目的で利用される装置において実施されてもよいし、各態様において説明した処理および／または構成を単独で実施してもよい。また、異なる態様において説明した処理および／または構成を組み合わせて実施してもよい。
【０１３８】
［符号化装置の概要］
まず、実施の形態１に係る符号化装置の概要を説明する。図１は、実施の形態１に係る符号化装置１００の機能構成を示すブロック図である。符号化装置１００は、動画像／画像をブロック単位で符号化する動画像／画像符号化装置である。
【０１３９】
図１に示すように、符号化装置１００は、画像をブロック単位で符号化する装置であって、分割部１０２と、減算部１０４と、変換部１０６と、量子化部１０８と、エントロピー符号化部１１０と、逆量子化部１１２と、逆変換部１１４と、加算部１１６と、ブロックメモリ１１８と、ループフィルタ部１２０と、フレームメモリ１２２と、イントラ予測部１２４と、インター予測部１２６と、予測制御部１２８と、を備える。
【０１４０】
符号化装置１００は、例えば、汎用プロセッサ及びメモリにより実現される。この場合、メモリに格納されたソフトウェアプログラムがプロセッサにより実行されたときに、プロセッサは、分割部１０２、減算部１０４、変換部１０６、量子化部１０８、エントロピー符号化部１１０、逆量子化部１１２、逆変換部１１４、加算部１１６、ループフィルタ部１２０、イントラ予測部１２４、インター予測部１２６及び予測制御部１２８として機能する。また、符号化装置１００は、分割部１０２、減算部１０４、変換部１０６、量子化部１０８、エントロピー符号化部１１０、逆量子化部１１２、逆変換部１１４、加算部１１６、ループフィルタ部１２０、イントラ予測部１２４、インター予測部１２６及び予測制御部１２８に対応する専用の１以上の電子回路として実現されてもよい。
【０１４１】
以下に、符号化装置１００に含まれる各構成要素について説明する。
【０１４２】
［分割部］
分割部１０２は、入力動画像に含まれる各ピクチャを複数のブロックに分割し、各ブロックを減算部１０４に出力する。例えば、分割部１０２は、まず、ピクチャを固定サイズ（例えば１２８ｘ１２８）のブロックに分割する。この固定サイズのブロックは、符号化ツリーユニット（ＣＴＵ）と呼ばれることがある。そして、分割部１０２は、再帰的な四分木（ｑｕａｄｔｒｅｅ）及び／又は二分木（ｂｉｎａｒｙ  ｔｒｅｅ）ブロック分割に基づいて、固定サイズのブロックの各々を可変サイズ（例えば６４ｘ６４以下）のブロックに分割する。この可変サイズのブロックは、符号化ユニット（ＣＵ）、予測ユニット（ＰＵ）あるいは変換ユニット（ＴＵ）と呼ばれることがある。なお、本実施の形態では、ＣＵ、ＰＵ及びＴＵは区別される必要はなく、ピクチャ内の一部又はすべてのブロックがＣＵ、ＰＵ、ＴＵの処理単位となってもよい。
【０１４３】
図２は、実施の形態１におけるブロック分割の一例を示す図である。図２において、実線は四分木ブロック分割によるブロック境界を表し、破線は二分木ブロック分割によるブロック境界を表す。
【０１４４】
ここでは、ブロック１０は、１２８ｘ１２８画素の正方形ブロック（１２８ｘ１２８ブロック）である。この１２８ｘ１２８ブロック１０は、まず、４つの正方形の６４ｘ６４ブロックに分割される（四分木ブロック分割）。
【０１４５】
左上の６４ｘ６４ブロックは、さらに２つの矩形の３２ｘ６４ブロックに垂直に分割され、左の３２ｘ６４ブロックはさらに２つの矩形の１６ｘ６４ブロックに垂直に分割される（二分木ブロック分割）。その結果、左上の６４ｘ６４ブロックは、２つの１６ｘ６４ブロック１１、１２と、３２ｘ６４ブロック１３とに分割される。
【０１４６】
右上の６４ｘ６４ブロックは、２つの矩形の６４ｘ３２ブロック１４、１５に水平に分割される（二分木ブロック分割）。
【０１４７】
左下の６４ｘ６４ブロックは、４つの正方形の３２ｘ３２ブロックに分割される（四分木ブロック分割）。４つの３２ｘ３２ブロックのうち左上のブロック及び右下のブロックはさらに分割される。左上の３２ｘ３２ブロックは、２つの矩形の１６ｘ３２ブロックに垂直に分割され、右の１６ｘ３２ブロックはさらに２つの１６ｘ１６ブロックに水平に分割される（二分木ブロック分割）。右下の３２ｘ３２ブロックは、２つの３２ｘ１６ブロックに水平に分割される（二分木ブロック分割）。その結果、左下の６４ｘ６４ブロックは、１６ｘ３２ブロック１６と、２つの１６ｘ１６ブロック１７、１８と、２つの３２ｘ３２ブロック１９、２０と、２つの３２ｘ１６ブロック２１、２２とに分割される。
【０１４８】
右下の６４ｘ６４ブロック２３は分割されない。
【０１４９】
以上のように、図２では、ブロック１０は、再帰的な四分木及び二分木ブロック分割に基づいて、１３個の可変サイズのブロック１１〜２３に分割される。このような分割は、ＱＴＢＴ（ｑｕａｄ−ｔｒｅｅ  ｐｌｕｓ  ｂｉｎａｒｙ  ｔｒｅｅ）分割と呼ばれることがある。
【０１５０】
なお、図２では、１つのブロックが４つ又は２つのブロックに分割されていたが（四分木又は二分木ブロック分割）、分割はこれに限定されない。例えば、１つのブロックが３つのブロックに分割されてもよい（三分木ブロック分割）。このような三分木ブロック分割を含む分割は、ＭＢＴ（ｍｕｌｔｉ  ｔｙｐｅ  ｔｒｅｅ）分割と呼ばれることがある。
【０１５１】
［減算部］
減算部１０４は、分割部１０２によって分割されたブロック単位で原信号（原サンプル）から予測信号（予測サンプル）を減算する。つまり、減算部１０４は、符号化対象ブロック（以下、カレントブロックという）の予測誤差（残差ともいう）を算出する。そして、減算部１０４は、算出された予測誤差を変換部１０６に出力する。
【０１５２】
原信号は、符号化装置１００の入力信号であり、動画像を構成する各ピクチャの画像を表す信号（例えば輝度（ｌｕｍａ）信号及び２つの色差（ｃｈｒｏｍａ）信号）である。以下において、画像を表す信号をサンプルともいうこともある。
【０１５３】
［変換部］
変換部１０６は、空間領域の予測誤差を周波数領域の変換係数に変換し、変換係数を量子化部１０８に出力する。具体的には、変換部１０６は、例えば空間領域の予測誤差に対して予め定められた離散コサイン変換（ＤＣＴ）又は離散サイン変換（ＤＳＴ）を行う。
【０１５４】
なお、変換部１０６は、複数の変換タイプの中から適応的に変換タイプを選択し、選択された変換タイプに対応する変換基底関数（ｔｒａｎｓｆｏｒｍ  ｂａｓｉｓ  ｆｕｎｃｔｉｏｎ）を用いて、予測誤差を変換係数に変換してもよい。このような変換は、ＥＭＴ（ｅｘｐｌｉｃｉｔ  ｍｕｌｔｉｐｌｅ  ｃｏｒｅ  ｔｒａｎｓｆｏｒｍ）又はＡＭＴ（ａｄａｐｔｉｖｅ  ｍｕｌｔｉｐｌｅ  ｔｒａｎｓｆｏｒｍ）と呼ばれることがある。
【０１５５】
複数の変換タイプは、例えば、ＤＣＴ−ＩＩ、ＤＣＴ−Ｖ、ＤＣＴ−ＶＩＩＩ、ＤＳＴ−Ｉ及びＤＳＴ−ＶＩＩを含む。図３は、各変換タイプに対応する変換基底関数を示す表である。図３においてＮは入力画素の数を示す。これらの複数の変換タイプの中からの変換タイプの選択は、例えば、予測の種類（イントラ予測及びインター予測）に依存してもよいし、イントラ予測モードに依存してもよい。
【０１５６】
このようなＥＭＴ又はＡＭＴを適用するか否かを示す情報（例えばＡＭＴフラグと呼ばれる）及び選択された変換タイプを示す情報は、ＣＵレベルで信号化される。なお、これらの情報の信号化は、ＣＵレベルに限定される必要はなく、他のレベル（例えば、シーケンスレベル、ピクチャレベル、スライスレベル、タイルレベル又はＣＴＵレベル）であってもよい。
【０１５７】
また、変換部１０６は、変換係数（変換結果）を再変換してもよい。このような再変換は、ＡＳＴ（ａｄａｐｔｉｖｅ  ｓｅｃｏｎｄａｒｙ  ｔｒａｎｓｆｏｒｍ）又はＮＳＳＴ（ｎｏｎ−ｓｅｐａｒａｂｌｅ  ｓｅｃｏｎｄａｒｙ  ｔｒａｎｓｆｏｒｍ）と呼ばれることがある。例えば、変換部１０６は、イントラ予測誤差に対応する変換係数のブロックに含まれるサブブロック（例えば４ｘ４サブブロック）ごとに再変換を行う。ＮＳＳＴを適用するか否かを示す情報及びＮＳＳＴに用いられる変換行列に関する情報は、ＣＵレベルで信号化される。なお、これらの情報の信号化は、ＣＵレベルに限定される必要はなく、他のレベル（例えば、シーケンスレベル、ピクチャレベル、スライスレベル、タイルレベル又はＣＴＵレベル）であってもよい。
【０１５８】
ここで、Ｓｅｐａｒａｂｌｅな変換とは、入力の次元の数だけ方向ごとに分離して複数回変換を行う方式であり、Ｎｏｎ−Ｓｅｐａｒａｂｌｅな変換とは、入力が多次元であった際に２つ以上の次元をまとめて１次元とみなして、まとめて変換を行う方式である。
【０１５９】
例えば、Ｎｏｎ−Ｓｅｐａｒａｂｌｅな変換の１例として、入力が４×４のブロックであった場合にはそれを１６個の要素を持ったひとつの配列とみなし、その配列に対して１６×１６の変換行列で変換処理を行うようなものが挙げられる。
【０１６０】
また、同様に４×４の入力ブロックを１６個の要素を持ったひとつの配列とみなした後に、その配列に対してＧｉｖｅｎｓ回転を複数回行うようなもの（Ｈｙｐｅｒｃｕｂｅ  Ｇｉｖｅｎｓ  Ｔｒａｎｓｆｏｒｍ）もＮｏｎ−Ｓｅｐａｒａｂｌｅな変換の例である。
【０１６１】
［量子化部］
量子化部１０８は、変換部１０６から出力された変換係数を量子化する。具体的には、量子化部１０８は、カレントブロックの変換係数を所定の走査順序で走査し、走査された変換係数に対応する量子化パラメータ（ＱＰ）に基づいて当該変換係数を量子化する。そして、量子化部１０８は、カレントブロックの量子化された変換係数（以下、量子化係数という）をエントロピー符号化部１１０及び逆量子化部１１２に出力する。
【０１６２】
所定の順序は、変換係数の量子化／逆量子化のための順序である。例えば、所定の走査順序は、周波数の昇順（低周波から高周波の順）又は降順（高周波から低周波の順）で定義される。
【０１６３】
量子化パラメータとは、量子化ステップ（量子化幅）を定義するパラメータである。例えば、量子化パラメータの値が増加すれば量子化ステップも増加する。つまり、量子化パラメータの値が増加すれば量子化誤差が増大する。
【０１６４】
［エントロピー符号化部］
エントロピー符号化部１１０は、量子化部１０８から入力である量子化係数を可変長符号化することにより符号化信号（符号化ビットストリーム）を生成する。具体的には、エントロピー符号化部１１０は、例えば、量子化係数を二値化し、二値信号を算術符号化する。
【０１６５】
［逆量子化部］
逆量子化部１１２は、量子化部１０８からの入力である量子化係数を逆量子化する。具体的には、逆量子化部１１２は、カレントブロックの量子化係数を所定の走査順序で逆量子化する。そして、逆量子化部１１２は、カレントブロックの逆量子化された変換係数を逆変換部１１４に出力する。
【０１６６】
［逆変換部］
逆変換部１１４は、逆量子化部１１２からの入力である変換係数を逆変換することにより予測誤差を復元する。具体的には、逆変換部１１４は、変換係数に対して、変換部１０６による変換に対応する逆変換を行うことにより、カレントブロックの予測誤差を復元する。そして、逆変換部１１４は、復元された予測誤差を加算部１１６に出力する。
【０１６７】
なお、復元された予測誤差は、量子化により情報が失われているので、減算部１０４が算出した予測誤差と一致しない。すなわち、復元された予測誤差には、量子化誤差が含まれている。
【０１６８】
［加算部］
加算部１１６は、逆変換部１１４からの入力である予測誤差と予測制御部１２８からの入力である予測サンプルとを加算することによりカレントブロックを再構成する。そして、加算部１１６は、再構成されたブロックをブロックメモリ１１８及びループフィルタ部１２０に出力する。再構成ブロックは、ローカル復号ブロックと呼ばれることもある。
【０１６９】
［ブロックメモリ］
ブロックメモリ１１８は、イントラ予測で参照されるブロックであって符号化対象ピクチャ（以下、カレントピクチャという）内のブロックを格納するための記憶部である。具体的には、ブロックメモリ１１８は、加算部１１６から出力された再構成ブロックを格納する。
【０１７０】
［ループフィルタ部］
ループフィルタ部１２０は、加算部１１６によって再構成されたブロックにループフィルタを施し、フィルタされた再構成ブロックをフレームメモリ１２２に出力する。ループフィルタとは、符号化ループ内で用いられるフィルタ（インループフィルタ）であり、例えば、デブロッキング・フィルタ（ＤＦ）、サンプルアダプティブオフセット（ＳＡＯ）及びアダプティブループフィルタ（ＡＬＦ）などを含む。
【０１７１】
ＡＬＦでは、符号化歪みを除去するための最小二乗誤差フィルタが適用され、例えばカレントブロック内の２ｘ２サブブロックごとに、局所的な勾配（ｇｒａｄｉｅｎｔ）の方向及び活性度（ａｃｔｉｖｉｔｙ）に基づいて複数のフィルタの中から選択された１つのフィルタが適用される。
【０１７２】
具体的には、まず、サブブロック（例えば２ｘ２サブブロック）が複数のクラス（例えば１５又は２５クラス）に分類される。サブブロックの分類は、勾配の方向及び活性度に基づいて行われる。例えば、勾配の方向値Ｄ（例えば０〜２又は０〜４）と勾配の活性値Ａ（例えば０〜４）とを用いて分類値Ｃ（例えばＣ＝５Ｄ＋Ａ）が算出される。そして、分類値Ｃに基づいて、サブブロックが複数のクラス（例えば１５又は２５クラス）に分類される。
【０１７３】
勾配の方向値Ｄは、例えば、複数の方向（例えば水平、垂直及び２つの対角方向）の勾配を比較することにより導出される。また、勾配の活性値Ａは、例えば、複数の方向の勾配を加算し、加算結果を量子化することにより導出される。
【０１７４】
このような分類の結果に基づいて、複数のフィルタの中からサブブロックのためのフィルタが決定される。
【０１７５】
ＡＬＦで用いられるフィルタの形状としては例えば円対称形状が利用される。図４Ａ〜図４Ｃは、ＡＬＦで用いられるフィルタの形状の複数の例を示す図である。図４Ａは、５ｘ５ダイヤモンド形状フィルタを示し、図４Ｂは、７ｘ７ダイヤモンド形状フィルタを示し、図４Ｃは、９ｘ９ダイヤモンド形状フィルタを示す。フィルタの形状を示す情報は、ピクチャレベルで信号化される。なお、フィルタの形状を示す情報の信号化は、ピクチャレベルに限定される必要はなく、他のレベル（例えば、シーケンスレベル、スライスレベル、タイルレベル、ＣＴＵレベル又はＣＵレベル）であってもよい。
【０１７６】
ＡＬＦのオン／オフは、例えば、ピクチャレベル又はＣＵレベルで決定される。例えば、輝度についてはＣＵレベルでＡＬＦを適用するか否かが決定され、色差についてはピクチャレベルでＡＬＦを適用するか否かが決定される。ＡＬＦのオン／オフを示す情報は、ピクチャレベル又はＣＵレベルで信号化される。なお、ＡＬＦのオン／オフを示す情報の信号化は、ピクチャレベル又はＣＵレベルに限定される必要はなく、他のレベル（例えば、シーケンスレベル、スライスレベル、タイルレベル又はＣＴＵレベル）であってもよい。
【０１７７】
選択可能な複数のフィルタ（例えば１５又は２５までのフィルタ）の係数セットは、ピクチャレベルで信号化される。なお、係数セットの信号化は、ピクチャレベルに限定される必要はなく、他のレベル（例えば、シーケンスレベル、スライスレベル、タイルレベル、ＣＴＵレベル、ＣＵレベル又はサブブロックレベル）であってもよい。
【０１７８】
［フレームメモリ］
フレームメモリ１２２は、インター予測に用いられる参照ピクチャを格納するための記憶部であり、フレームバッファと呼ばれることもある。具体的には、フレームメモリ１２２は、ループフィルタ部１２０によってフィルタされた再構成ブロックを格納する。
【０１７９】
［イントラ予測部］
イントラ予測部１２４は、ブロックメモリ１１８に格納されたカレントピクチャ内のブロックを参照してカレントブロックのイントラ予測（画面内予測ともいう）を行うことで、予測信号（イントラ予測信号）を生成する。具体的には、イントラ予測部１２４は、カレントブロックに隣接するブロックのサンプル（例えば輝度値、色差値）を参照してイントラ予測を行うことでイントラ予測信号を生成し、イントラ予測信号を予測制御部１２８に出力する。
【０１８０】
例えば、イントラ予測部１２４は、予め規定された複数のイントラ予測モードのうちの１つを用いてイントラ予測を行う。複数のイントラ予測モードは、１以上の非方向性予測モードと、複数の方向性予測モードと、を含む。
【０１８１】
１以上の非方向性予測モードは、例えばＨ．２６５／ＨＥＶＣ（Ｈｉｇｈ−Ｅｆｆｉｃｉｅｎｃｙ  Ｖｉｄｅｏ  Ｃｏｄｉｎｇ）規格（非特許文献１）で規定されたＰｌａｎａｒ予測モード及びＤＣ予測モードを含む。
【０１８２】
複数の方向性予測モードは、例えばＨ．２６５／ＨＥＶＣ規格で規定された３３方向の予測モードを含む。なお、複数の方向性予測モードは、３３方向に加えてさらに３２方向の予測モード（合計で６５個の方向性予測モード）を含んでもよい。図５Ａは、イントラ予測における６７個のイントラ予測モード（２個の非方向性予測モード及び６５個の方向性予測モード）を示す図である。実線矢印は、Ｈ．２６５／ＨＥＶＣ規格で規定された３３方向を表し、破線矢印は、追加された３２方向を表す。
【０１８３】
なお、色差ブロックのイントラ予測において、輝度ブロックが参照されてもよい。つまり、カレントブロックの輝度成分に基づいて、カレントブロックの色差成分が予測されてもよい。このようなイントラ予測は、ＣＣＬＭ（ｃｒｏｓｓ−ｃｏｍｐｏｎｅｎｔ  ｌｉｎｅａｒ  ｍｏｄｅｌ）予測と呼ばれることがある。このような輝度ブロックを参照する色差ブロックのイントラ予測モード（例えばＣＣＬＭモードと呼ばれる）は、色差ブロックのイントラ予測モードの１つとして加えられてもよい。
【０１８４】
イントラ予測部１２４は、水平／垂直方向の参照画素の勾配に基づいてイントラ予測後の画素値を補正してもよい。このような補正をともなうイントラ予測は、ＰＤＰＣ（ｐｏｓｉｔｉｏｎ  ｄｅｐｅｎｄｅｎｔ  ｉｎｔｒａ  ｐｒｅｄｉｃｔｉｏｎ  ｃｏｍｂｉｎａｔｉｏｎ）と呼ばれることがある。ＰＤＰＣの適用の有無を示す情報（例えばＰＤＰＣフラグと呼ばれる）は、例えばＣＵレベルで信号化される。なお、この情報の信号化は、ＣＵレベルに限定される必要はなく、他のレベル（例えば、シーケンスレベル、ピクチャレベル、スライスレベル、タイルレベル又はＣＴＵレベル）であってもよい。
【０１８５】
［インター予測部］
インター予測部１２６は、フレームメモリ１２２に格納された参照ピクチャであってカレントピクチャとは異なる参照ピクチャを参照してカレントブロックのインター予測（画面間予測ともいう）を行うことで、予測信号（インター予測信号）を生成する。インター予測は、カレントブロック又はカレントブロック内のサブブロック（例えば４ｘ４ブロック）の単位で行われる。例えば、インター予測部１２６は、カレントブロック又はサブブロックについて参照ピクチャ内で動き探索（ｍｏｔｉｏｎ  ｅｓｔｉｍａｔｉｏｎ）を行う。そして、インター予測部１２６は、動き探索により得られた動き情報（例えば動きベクトル）を用いて動き補償を行うことでカレントブロック又はサブブロックのインター予測信号を生成する。そして、インター予測部１２６は、生成されたインター予測信号を予測制御部１２８に出力する。
【０１８６】
動き補償に用いられた動き情報は信号化される。動きベクトルの信号化には、予測動きベクトル（ｍｏｔｉｏｎ  ｖｅｃｔｏｒ  ｐｒｅｄｉｃｔｏｒ）が用いられてもよい。つまり、動きベクトルと予測動きベクトルとの間の差分が信号化されてもよい。
【０１８７】
なお、動き探索により得られたカレントブロックの動き情報だけでなく、隣接ブロックの動き情報も用いて、インター予測信号が生成されてもよい。具体的には、動き探索により得られた動き情報に基づく予測信号と、隣接ブロックの動き情報に基づく予測信号と、を重み付け加算することにより、カレントブロック内のサブブロック単位でインター予測信号が生成されてもよい。このようなインター予測（動き補償）は、ＯＢＭＣ（ｏｖｅｒｌａｐｐｅｄ  ｂｌｏｃｋ  ｍｏｔｉｏｎ  ｃｏｍｐｅｎｓａｔｉｏｎ）と呼ばれることがある。
【０１８８】
このようなＯＢＭＣモードでは、ＯＢＭＣのためのサブブロックのサイズを示す情報（例えばＯＢＭＣブロックサイズと呼ばれる）は、シーケンスレベルで信号化される。また、ＯＢＭＣモードを適用するか否かを示す情報（例えばＯＢＭＣフラグと呼ばれる）は、ＣＵレベルで信号化される。なお、これらの情報の信号化のレベルは、シーケンスレベル及びＣＵレベルに限定される必要はなく、他のレベル（例えばピクチャレベル、スライスレベル、タイルレベル、ＣＴＵレベル又はサブブロックレベル）であってもよい。
【０１８９】
ＯＢＭＣモードについて、より具体的に説明する。図５Ｂ及び図５Ｃは、ＯＢＭＣ処理による予測画像補正処理の概要を説明するためのフローチャート及び概念図である。
【０１９０】
まず、符号化対象ブロックに割り当てられた動きベクトル（ＭＶ）を用いて通常の動き補償による予測画像（Ｐｒｅｄ）を取得する。
【０１９１】
次に、符号化済みの左隣接ブロックの動きベクトル（ＭＶ＿Ｌ）を符号化対象ブロックに適用して予測画像（Ｐｒｅｄ＿Ｌ）を取得し、前記予測画像とＰｒｅｄ＿Ｌとを重みを付けて重ね合わせることで予測画像の１回目の補正を行う。
【０１９２】
同様に、符号化済みの上隣接ブロックの動きベクトル（ＭＶ＿Ｕ）を符号化対象ブロックに適用して予測画像（Ｐｒｅｄ＿Ｕ）を取得し、前記１回目の補正を行った予測画像とＰｒｅｄ＿Ｕとを重みを付けて重ね合わせることで予測画像の２回目の補正を行い、それを最終的な予測画像とする。
【０１９３】
なお、ここでは左隣接ブロックと上隣接ブロックを用いた２段階の補正の方法を説明したが、右隣接ブロックや下隣接ブロックを用いて２段階よりも多い回数の補正を行う構成とすることも可能である。
【０１９４】
なお、重ね合わせを行う領域はブロック全体の画素領域ではなく、ブロック境界近傍の一部の領域のみであってもよい。
【０１９５】
なお、ここでは１枚の参照ピクチャからの予測画像補正処理について説明したが、複数枚の参照ピクチャから予測画像を補正する場合も同様であり、各々の参照ピクチャから補正した予測画像を取得した後に、得られた予測画像をさらに重ね合わせることで最終的な予測画像とする。
【０１９６】
なお、前記処理対象ブロックは、予測ブロック単位であっても、予測ブロックをさらに分割したサブブロック単位であってもよい。
【０１９７】
ＯＢＭＣ処理を適用するかどうかの判定の方法として、例えば、ＯＢＭＣ処理を適用するかどうかを示す信号であるｏｂｍｃ＿ｆｌａｇを用いる方法がある。具体的な一例としては、符号化装置において、符号化対象ブロックが動きの複雑な領域に属しているかどうかを判定し、動きの複雑な領域に属している場合はｏｂｍｃ＿ｆｌａｇとして値１を設定してＯＢＭＣ処理を適用して符号化を行い、動きの複雑な領域に属していない場合はｏｂｍｃ＿ｆｌａｇとして値０を設定してＯＢＭＣ処理を適用せずに符号化を行う。一方、復号化装置では、ストリームに記述されたｏｂｍｃ＿ｆｌａｇを復号化することで、その値に応じてＯＢＭＣ処理を適用するかどうかを切替えて復号化を行う。
【０１９８】
なお、動き情報は信号化されずに、復号装置側で導出されてもよい。例えば、Ｈ．２６５／ＨＥＶＣ規格で規定されたマージモードが用いられてもよい。また例えば、復号装置側で動き探索を行うことにより動き情報が導出されてもよい。この場合、カレントブロックの画素値を用いずに動き探索が行われる。
【０１９９】
ここで、復号装置側で動き探索を行うモードについて説明する。この復号装置側で動き探索を行うモードは、ＰＭＭＶＤ（ｐａｔｔｅｒｎ  ｍａｔｃｈｅｄ  ｍｏｔｉｏｎ  ｖｅｃｔｏｒ  ｄｅｒｉｖａｔｉｏｎ）モード又はＦＲＵＣ（ｆｒａｍｅ  ｒａｔｅ  ｕｐ−ｃｏｎｖｅｒｓｉｏｎ）モードと呼ばれることがある。
【０２００】
ＦＲＵＣ処理の一例を図５Ｄに示す。まず、カレントブロックに空間的又は時間的に隣接する符号化済みブロックの動きベクトルを参照して、各々が予測動きベクトルを有する複数の候補のリスト（マージリストと共通であってもよい）が生成される。次に、候補リストに登録されている複数の候補ＭＶの中からベスト候補ＭＶを選択する。例えば、候補リストに含まれる各候補の評価値が算出され、評価値に基づいて１つの候補が選択される。
【０２０１】
そして、選択された候補の動きベクトルに基づいて、カレントブロックのための動きベクトルが導出される。具体的には、例えば、選択された候補の動きベクトル（ベスト候補ＭＶ）がそのままカレントブロックのための動きベクトルとして導出される。また例えば、選択された候補の動きベクトルに対応する参照ピクチャ内の位置の周辺領域において、パターンマッチングを行うことにより、カレントブロックのための動きベクトルが導出されてもよい。すなわち、ベスト候補ＭＶの周辺の領域に対して同様の方法で探索を行い、さらに評価値が良い値となるＭＶがあった場合は、ベスト候補ＭＶを前記ＭＶに更新して、それをカレントブロックの最終的なＭＶとしてもよい。なお、当該処理を実施しない構成とすることも可能である。
【０２０２】
サブブロック単位で処理を行う場合も全く同様の処理としてもよい。
【０２０３】
なお、評価値は、動きベクトルに対応する参照ピクチャ内の領域と、所定の領域との間のパターンマッチングによって再構成画像の差分値を求めることにより算出される。なお、差分値に加えてそれ以外の情報を用いて評価値を算出してもよい。
【０２０４】
パターンマッチングとしては、第１パターンマッチング又は第２パターンマッチングが用いられる。第１パターンマッチング及び第２パターンマッチングは、それぞれ、バイラテラルマッチング（ｂｉｌａｔｅｒａｌ  ｍａｔｃｈｉｎｇ）及びテンプレートマッチング（ｔｅｍｐｌａｔｅ  ｍａｔｃｈｉｎｇ）と呼ばれることがある。
【０２０５】
第１パターンマッチングでは、異なる２つの参照ピクチャ内の２つのブロックであってカレントブロックの動き軌道（ｍｏｔｉｏｎ  ｔｒａｊｅｃｔｏｒｙ）に沿う２つのブロックの間でパターンマッチングが行われる。したがって、第１パターンマッチングでは、上述した候補の評価値の算出のための所定の領域として、カレントブロックの動き軌道に沿う他の参照ピクチャ内の領域が用いられる。
【０２０６】
図６は、動き軌道に沿う２つのブロック間でのパターンマッチング（バイラテラルマッチング）の一例を説明するための図である。図６に示すように、第１パターンマッチングでは、カレントブロック（Ｃｕｒ  ｂｌｏｃｋ）の動き軌道に沿う２つのブロックであって異なる２つの参照ピクチャ（Ｒｅｆ０、Ｒｅｆ１）内の２つのブロックのペアの中で最もマッチするペアを探索することにより２つの動きベクトル（ＭＶ０、ＭＶ１）が導出される。具体的には、カレントブロックに対して、候補ＭＶで指定された第１の符号化済み参照ピクチャ（Ｒｅｆ０）内の指定位置における再構成画像と、前記候補ＭＶを表示時間間隔でスケーリングした対称ＭＶで指定された第２の符号化済み参照ピクチャ（Ｒｅｆ１）内の指定位置における再構成画像との差分を導出し、得られた差分値を用いて評価値を算出する。複数の候補ＭＶの中で最も評価値が良い値となる候補ＭＶを最終ＭＶとして選択するとよい。
【０２０７】
連続的な動き軌道の仮定の下では、２つの参照ブロックを指し示す動きベクトル（ＭＶ０、ＭＶ１）は、カレントピクチャ（Ｃｕｒ  Ｐｉｃ）と２つの参照ピクチャ（Ｒｅｆ０、Ｒｅｆ１）との間の時間的な距離（ＴＤ０、ＴＤ１）に対して比例する。例えば、カレントピクチャが時間的に２つの参照ピクチャの間に位置し、カレントピクチャから２つの参照ピクチャへの時間的な距離が等しい場合、第１パターンマッチングでは、鏡映対称な双方向の動きベクトルが導出される。
【０２０８】
第２パターンマッチングでは、カレントピクチャ内のテンプレート（カレントピクチャ内でカレントブロックに隣接するブロック（例えば上及び／又は左隣接ブロック））と参照ピクチャ内のブロックとの間でパターンマッチングが行われる。したがって、第２パターンマッチングでは、上述した候補の評価値の算出のための所定の領域として、カレントピクチャ内のカレントブロックに隣接するブロックが用いられる。
【０２０９】
図７は、カレントピクチャ内のテンプレートと参照ピクチャ内のブロックとの間でのパターンマッチング（テンプレートマッチング）の一例を説明するための図である。図７に示すように、第２パターンマッチングでは、カレントピクチャ（Ｃｕｒ  Ｐｉｃ）内でカレントブロック（Ｃｕｒ  ｂｌｏｃｋ）に隣接するブロックと最もマッチするブロックを参照ピクチャ（Ｒｅｆ０）内で探索することによりカレントブロックの動きベクトルが導出される。具体的には、カレントブロックに対して、左隣接および上隣接の両方もしくはどちらか一方の符号化済み領域の再構成画像と、候補ＭＶで指定された符号化済み参照ピクチャ（Ｒｅｆ０）内の同等位置における再構成画像との差分を導出し、得られた差分値を用いて評価値を算出し、複数の候補ＭＶの中で最も評価値が良い値となる候補ＭＶをベスト候補ＭＶとして選択するとよい。
【０２１０】
このようなＦＲＵＣモードを適用するか否かを示す情報（例えばＦＲＵＣフラグと呼ばれる）は、ＣＵレベルで信号化される。また、ＦＲＵＣモードが適用される場合（例えばＦＲＵＣフラグが真の場合）、パターンマッチングの方法（第１パターンマッチング又は第２パターンマッチング）を示す情報（例えばＦＲＵＣモードフラグと呼ばれる）がＣＵレベルで信号化される。なお、これらの情報の信号化は、ＣＵレベルに限定される必要はなく、他のレベル（例えば、シーケンスレベル、ピクチャレベル、スライスレベル、タイルレベル、ＣＴＵレベル又はサブブロックレベル）であってもよい。
【０２１１】
ここで、等速直線運動を仮定したモデルに基づいて動きベクトルを導出するモードについて説明する。このモードは、ＢＩＯ（ｂｉ−ｄｉｒｅｃｔｉｏｎａｌ  ｏｐｔｉｃａｌ  ｆｌｏｗ）モードと呼ばれることがある。
【０２１２】
図８は、等速直線運動を仮定したモデルを説明するための図である。図８において、（ｖｘ，ｖｙ）は、速度ベクトルを示し、τ０、τ１は、それぞれ、カレントピクチャ（Ｃｕｒ  Ｐｉｃ）と２つの参照ピクチャ（Ｒｅｆ０，Ｒｅｆ１）との間の時間的な距離を示す。（ＭＶｘ０，ＭＶｙ０）は、参照ピクチャＲｅｆ０に対応する動きベクトルを示し、（ＭＶｘ１、ＭＶｙ１）は、参照ピクチャＲｅｆ１に対応する動きベクトルを示す。
【０２１３】
このとき速度ベクトル（ｖｘ，ｖｙ）の等速直線運動の仮定の下では、（ＭＶｘ０，ＭＶｙ０）及び（ＭＶｘ１，ＭＶｙ１）は、それぞれ、（ｖｘτ０，ｖｙτ０）及び（−ｖｘτ１，−ｖｙτ１）と表され、以下のオプティカルフロー等式（１）が成り立つ。
【０２１４】
【数１】
2019151284.tif 000003
【０２１５】
ここで、Ｉ（ｋ）は、動き補償後の参照画像ｋ（ｋ＝０，１）の輝度値を示す。このオプティカルフロー等式は、（i）輝度値の時間微分と、（ii）水平方向の速度及び参照画像の空間勾配の水平成分の積と、（iii）垂直方向の速度及び参照画像の空間勾配の垂直成分の積と、の和が、ゼロと等しいことを示す。このオプティカルフロー等式とエルミート補間（Ｈｅｒｍｉｔｅ  ｉｎｔｅｒｐｏｌａｔｉｏｎ）との組み合わせに基づいて、マージリスト等から得られるブロック単位の動きベクトルが画素単位で補正される。
【０２１６】
なお、等速直線運動を仮定したモデルに基づく動きベクトルの導出とは異なる方法で、復号装置側で動きベクトルが導出されてもよい。例えば、複数の隣接ブロックの動きベクトルに基づいてサブブロック単位で動きベクトルが導出されてもよい。
【０２１７】
ここで、複数の隣接ブロックの動きベクトルに基づいてサブブロック単位で動きベクトルを導出するモードについて説明する。このモードは、アフィン動き補償予測（ａｆｆｉｎｅ  ｍｏｔｉｏｎ  ｃｏｍｐｅｎｓａｔｉｏｎ  ｐｒｅｄｉｃｔｉｏｎ）モードと呼ばれることがある。
【０２１８】
図９Ａは、複数の隣接ブロックの動きベクトルに基づくサブブロック単位の動きベクトルの導出を説明するための図である。図９Ａにおいて、カレントブロックは、１６の４ｘ４サブブロックを含む。ここでは、隣接ブロックの動きベクトルに基づいてカレントブロックの左上角制御ポイントの動きベクトルｖ０が導出され、隣接サブブロックの動きベクトルに基づいてカレントブロックの右上角制御ポイントの動きベクトルｖ１が導出される。そして、２つの動きベクトルｖ０及びｖ１を用いて、以下の式（２）により、カレントブロック内の各サブブロックの動きベクトル（ｖｘ，ｖｙ）が導出される。
【０２１９】
【数２】
2019151284.tif 000004
【０２２０】
ここで、ｘ及びｙは、それぞれ、サブブロックの水平位置及び垂直位置を示し、ｗは、予め定められた重み係数を示す。
【０２２１】
このようなアフィン動き補償予測モードでは、左上及び右上角制御ポイントの動きベクトルの導出方法が異なるいくつかのモードを含んでもよい。このようなアフィン動き補償予測モードを示す情報（例えばアフィンフラグと呼ばれる）は、ＣＵレベルで信号化される。なお、このアフィン動き補償予測モードを示す情報の信号化は、ＣＵレベルに限定される必要はなく、他のレベル（例えば、シーケンスレベル、ピクチャレベル、スライスレベル、タイルレベル、ＣＴＵレベル又はサブブロックレベル）であってもよい。
【０２２２】
［予測制御部］
予測制御部１２８は、イントラ予測信号及びインター予測信号のいずれかを選択し、選択した信号を予測信号として減算部１０４及び加算部１１６に出力する。
【０２２３】
ここで、マージモードにより符号化対象ピクチャの動きベクトルを導出する例を説明する。図９Ｂは、マージモードによる動きベクトル導出処理の概要を説明するための図である。
【０２２４】
まず、予測ＭＶの候補を登録した予測ＭＶリストを生成する。予測ＭＶの候補としては、符号化対象ブロックの空間的に周辺に位置する複数の符号化済みブロックが持つＭＶである空間隣接予測ＭＶ、符号化済み参照ピクチャにおける符号化対象ブロックの位置を投影した近辺のブロックが持つＭＶである時間隣接予測ＭＶ、空間隣接予測ＭＶと時間隣接予測ＭＶのＭＶ値を組合わせて生成したＭＶである結合予測ＭＶ、および値がゼロのＭＶであるゼロ予測ＭＶ等がある。
【０２２５】
次に、予測ＭＶリストに登録されている複数の予測ＭＶの中から１つの予測ＭＶを選択することで、符号化対象ブロックのＭＶとして決定する。
【０２２６】
さらに可変長符号化部では、どの予測ＭＶを選択したかを示す信号であるｍｅｒｇｅ＿ｉｄｘをストリームに記述して符号化する。
【０２２７】
なお、図９Ｂで説明した予測ＭＶリストに登録する予測ＭＶは一例であり、図中の個数とは異なる個数であったり、図中の予測ＭＶの一部の種類を含まない構成であったり、図中の予測ＭＶの種類以外の予測ＭＶを追加した構成であったりしてもよい。
【０２２８】
なお、マージモードにより導出した符号化対象ブロックのＭＶを用いて、後述するＤＭＶＲ処理を行うことによって最終的なＭＶを決定してもよい。
【０２２９】
ここで、ＤＭＶＲ処理を用いてＭＶを決定する例について説明する。
【０２３０】
図９Ｃは、ＤＭＶＲ処理の概要を説明するための概念図である。
【０２３１】
まず、処理対象ブロックに設定された最適ＭＶＰを候補ＭＶとして、前記候補ＭＶに従って、Ｌ０方向の処理済みピクチャである第１参照ピクチャ、およびＬ１方向の処理済みピクチャである第２参照ピクチャから参照画素をそれぞれ取得し、各参照画素の平均をとることでテンプレートを生成する。
【０２３２】
次に、前記テンプレートを用いて、第１参照ピクチャおよび第２参照ピクチャの候補ＭＶの周辺領域をそれぞれ探索し、最もコストが最小となるＭＶを最終的なＭＶとして決定する。なお、コスト値はテンプレートの各画素値と探索領域の各画素値との差分値およびＭＶ値等を用いて算出する。
【０２３３】
なお、符号化装置および復号化装置では、ここで説明した処理の概要は基本的に共通である。
【０２３４】
なお、ここで説明した処理そのものでなくても、候補ＭＶの周辺を探索して最終的なＭＶを導出することができる処理であれば、他の処理を用いてもよい。
【０２３５】
ここで、ＬＩＣ処理を用いて予測画像を生成するモードについて説明する。
【０２３６】
図９Ｄは、ＬＩＣ処理による輝度補正処理を用いた予測画像生成方法の概要を説明するための図である。
【０２３７】
まず、符号化済みピクチャである参照ピクチャから符号化対象ブロックに対応する参照画像を取得するためのＭＶを導出する。
【０２３８】
次に、符号化対象ブロックに対して、左隣接および上隣接の符号化済み周辺参照領域の輝度画素値と、ＭＶで指定された参照ピクチャ内の同等位置における輝度画素値とを用いて、参照ピクチャと符号化対象ピクチャとで輝度値がどのように変化したかを示す情報を抽出して輝度補正パラメータを算出する。
【０２３９】
ＭＶで指定された参照ピクチャ内の参照画像に対して前記輝度補正パラメータを用いて輝度補正処理を行うことで、符号化対象ブロックに対する予測画像を生成する。
【０２４０】
なお、図９Ｄにおける前記周辺参照領域の形状は一例であり、これ以外の形状を用いてもよい。
【０２４１】
また、ここでは１枚の参照ピクチャから予測画像を生成する処理について説明したが、複数枚の参照ピクチャから予測画像を生成する場合も同様であり、各々の参照ピクチャから取得した参照画像に同様の方法で輝度補正処理を行ってから予測画像を生成する。
【０２４２】
ＬＩＣ処理を適用するかどうかの判定の方法として、例えば、ＬＩＣ処理を適用するかどうかを示す信号であるｌｉｃ＿ｆｌａｇを用いる方法がある。具体的な一例としては、符号化装置において、符号化対象ブロックが輝度変化が発生している領域に属しているかどうかを判定し、輝度変化が発生している領域に属している場合はｌｉｃ＿ｆｌａｇとして値１を設定してＬＩＣ処理を適用して符号化を行い、輝度変化が発生している領域に属していない場合はｌｉｃ＿ｆｌａｇとして値０を設定してＬＩＣ処理を適用せずに符号化を行う。一方、復号化装置では、ストリームに記述されたｌｉｃ＿ｆｌａｇを復号化することで、その値に応じてＬＩＣ処理を適用するかどうかを切替えて復号化を行う。
【０２４３】
ＬＩＣ処理を適用するかどうかの判定の別の方法として、例えば、周辺ブロックでＬＩＣ処理を適用したかどうかに従って判定する方法もある。具体的な一例としては、符号化対象ブロックがマージモードであった場合、マージモード処理におけるＭＶの導出の際に選択した周辺の符号化済みブロックがＬＩＣ処理を適用して符号化したかどうかを判定し、その結果に応じてＬＩＣ処理を適用するかどうかを切替えて符号化を行う。なお、この例の場合、復号化における処理も全く同様となる。
【０２４４】
［復号装置の概要］
次に、上記の符号化装置１００から出力された符号化信号（符号化ビットストリーム）を復号可能な復号装置の概要について説明する。図１０は、実施の形態１に係る復号装置２００の機能構成を示すブロック図である。復号装置２００は、動画像／画像をブロック単位で復号する動画像／画像復号装置である。
【０２４５】
図１０に示すように、復号装置２００は、エントロピー復号部２０２と、逆量子化部２０４と、逆変換部２０６と、加算部２０８と、ブロックメモリ２１０と、ループフィルタ部２１２と、フレームメモリ２１４と、イントラ予測部２１６と、インター予測部２１８と、予測制御部２２０と、を備える。
【０２４６】
復号装置２００は、例えば、汎用プロセッサ及びメモリにより実現される。この場合、メモリに格納されたソフトウェアプログラムがプロセッサにより実行されたときに、プロセッサは、エントロピー復号部２０２、逆量子化部２０４、逆変換部２０６、加算部２０８、ループフィルタ部２１２、イントラ予測部２１６、インター予測部２１８及び予測制御部２２０として機能する。また、復号装置２００は、エントロピー復号部２０２、逆量子化部２０４、逆変換部２０６、加算部２０８、ループフィルタ部２１２、イントラ予測部２１６、インター予測部２１８及び予測制御部２２０に対応する専用の１以上の電子回路として実現されてもよい。
【０２４７】
以下に、復号装置２００に含まれる各構成要素について説明する。
【０２４８】
［エントロピー復号部］
エントロピー復号部２０２は、符号化ビットストリームをエントロピー復号する。具体的には、エントロピー復号部２０２は、例えば、符号化ビットストリームから二値信号に算術復号する。そして、エントロピー復号部２０２は、二値信号を多値化（ｄｅｂｉｎａｒｉｚｅ）する。これにより、エントロピー復号部２０２は、ブロック単位で量子化係数を逆量子化部２０４に出力する。
【０２４９】
［逆量子化部］
逆量子化部２０４は、エントロピー復号部２０２からの入力である復号対象ブロック（以下、カレントブロックという）の量子化係数を逆量子化する。具体的には、逆量子化部２０４は、カレントブロックの量子化係数の各々について、当該量子化係数に対応する量子化パラメータに基づいて当該量子化係数を逆量子化する。そして、逆量子化部２０４は、カレントブロックの逆量子化された量子化係数（つまり変換係数）を逆変換部２０６に出力する。
【０２５０】
［逆変換部］
逆変換部２０６は、逆量子化部２０４からの入力である変換係数を逆変換することにより予測誤差を復元する。
【０２５１】
例えば符号化ビットストリームから読み解かれた情報がＥＭＴ又はＡＭＴを適用することを示す場合（例えばＡＭＴフラグが真）、逆変換部２０６は、読み解かれた変換タイプを示す情報に基づいてカレントブロックの変換係数を逆変換する。
【０２５２】
また例えば、符号化ビットストリームから読み解かれた情報がＮＳＳＴを適用することを示す場合、逆変換部２０６は、変換係数に逆再変換を適用する。
【０２５３】
［加算部］
加算部２０８は、逆変換部２０６からの入力である予測誤差と予測制御部２２０からの入力である予測サンプルとを加算することによりカレントブロックを再構成する。そして、加算部２０８は、再構成されたブロックをブロックメモリ２１０及びループフィルタ部２１２に出力する。
【０２５４】
［ブロックメモリ］
ブロックメモリ２１０は、イントラ予測で参照されるブロックであって復号対象ピクチャ（以下、カレントピクチャという）内のブロックを格納するための記憶部である。具体的には、ブロックメモリ２１０は、加算部２０８から出力された再構成ブロックを格納する。
【０２５５】
［ループフィルタ部］
ループフィルタ部２１２は、加算部２０８によって再構成されたブロックにループフィルタを施し、フィルタされた再構成ブロックをフレームメモリ２１４及び表示装置等に出力する。
【０２５６】
符号化ビットストリームから読み解かれたＡＬＦのオン／オフを示す情報がＡＬＦのオンを示す場合、局所的な勾配の方向及び活性度に基づいて複数のフィルタの中から１つのフィルタが選択され、選択されたフィルタが再構成ブロックに適用される。
【０２５７】
［フレームメモリ］
フレームメモリ２１４は、インター予測に用いられる参照ピクチャを格納するための記憶部であり、フレームバッファと呼ばれることもある。具体的には、フレームメモリ２１４は、ループフィルタ部２１２によってフィルタされた再構成ブロックを格納する。
【０２５８】
［イントラ予測部］
イントラ予測部２１６は、符号化ビットストリームから読み解かれたイントラ予測モードに基づいて、ブロックメモリ２１０に格納されたカレントピクチャ内のブロックを参照してイントラ予測を行うことで、予測信号（イントラ予測信号）を生成する。具体的には、イントラ予測部２１６は、カレントブロックに隣接するブロックのサンプル（例えば輝度値、色差値）を参照してイントラ予測を行うことでイントラ予測信号を生成し、イントラ予測信号を予測制御部２２０に出力する。
【０２５９】
なお、色差ブロックのイントラ予測において輝度ブロックを参照するイントラ予測モードが選択されている場合は、イントラ予測部２１６は、カレントブロックの輝度成分に基づいて、カレントブロックの色差成分を予測してもよい。
【０２６０】
また、符号化ビットストリームから読み解かれた情報がＰＤＰＣの適用を示す場合、イントラ予測部２１６は、水平／垂直方向の参照画素の勾配に基づいてイントラ予測後の画素値を補正する。
【０２６１】
［インター予測部］
インター予測部２１８は、フレームメモリ２１４に格納された参照ピクチャを参照して、カレントブロックを予測する。予測は、カレントブロック又はカレントブロック内のサブブロック（例えば４ｘ４ブロック）の単位で行われる。例えば、インター予測部２１８は、符号化ビットストリームから読み解かれた動き情報（例えば動きベクトル）を用いて動き補償を行うことでカレントブロック又はサブブロックのインター予測信号を生成し、インター予測信号を予測制御部２２０に出力する。
【０２６２】
なお、符号化ビットストリームから読み解かれた情報がＯＢＭＣモードを適用することを示す場合、インター予測部２１８は、動き探索により得られたカレントブロックの動き情報だけでなく、隣接ブロックの動き情報も用いて、インター予測信号を生成する。
【０２６３】
また、符号化ビットストリームから読み解かれた情報がＦＲＵＣモードを適用することを示す場合、インター予測部２１８は、符号化ストリームから読み解かれたパターンマッチングの方法（バイラテラルマッチング又はテンプレートマッチング）に従って動き探索を行うことにより動き情報を導出する。そして、インター予測部２１８は、導出された動き情報を用いて動き補償を行う。
【０２６４】
また、インター予測部２１８は、ＢＩＯモードが適用される場合に、等速直線運動を仮定したモデルに基づいて動きベクトルを導出する。また、符号化ビットストリームから読み解かれた情報がアフィン動き補償予測モードを適用することを示す場合には、インター予測部２１８は、複数の隣接ブロックの動きベクトルに基づいてサブブロック単位で動きベクトルを導出する。
【０２６５】
［予測制御部］
予測制御部２２０は、イントラ予測信号及びインター予測信号のいずれかを選択し、選択した信号を予測信号として加算部２０８に出力する。
【０２６６】
［符号化及び復号の第１態様］
図１１は、第１態様に従って符号化装置１００によって行われる符号化方法及び符号化処理を示す。なお、復号装置２００によって行われる復号方法及び復号処理は、符号化装置１００によって行われる符号化方法及び符号化処理と基本的に同じである。以下の説明に関して、符号化方法及び符号化処理における「符号化」は、復号方法及び復号処理において「復号」に置き換えられ得る。
【０２６７】
まず、符号化装置１００は、画像ブロックを複数のパーティションに分割する（Ｓ１０１）。
【０２６８】
分割は、図１２Ａ、図１２Ｂ、図１２Ｃ、図１２Ｄ、図１２Ｅ、図１２Ｆ、図１２Ｇ、図１２Ｈ、図１２Ｉ又は図１２Ｊに示されているような４分割、２分割、３分割又は斜め分割であってもよい。分割は、これらの分割のいずれかに限定されず、これらの分割が自由に組み合わせられてもよい。
【０２６９】
また、パーティションは、図１３Ａ、図１３Ｂ、図１３Ｃ、図１３Ｄ又は図１３Ｅに示されているようなパーティションであってもよい。具体的には、パーティションは、矩形パーティション、非矩形パーティション、三角形パーティション、Ｌ型パーティション、五角形パーティション、六角形パーティション又は多角形パーティションであってもよい。
【０２７０】
次に、符号化装置１００は、複数のパーティションに含まれるパーティションに対する動きベクトル候補リストを作成する（Ｓ１０２）。動きベクトル候補リストは、複数の空間隣接パーティションに対する複数の動きベクトルと、複数の時間隣接パーティションに対する複数の動きベクトルと、複数のサブパーティションに対する複数の動きベクトルとのうち、少なくも１つの動きベクトルを含んでもよい。
【０２７１】
空間隣接パーティションは、パーティションに空間的に隣接するパーティションである。空間隣接パーティションは、パーティションの上、左、右、下、左上、右上、左下又は右下に位置するパーティションであってもよい。
【０２７２】
時間隣接パーティションは、パーティションに時間的に隣接するパーティションである。時間隣接パーティションは、パーティションの参照ピクチャにおいてパーティションの位置に対応するｃｏ−ｌｏｃａｔｅｄパーティションであってもよい。この参照ピクチャは、パーティションを含むカレントピクチャとは異なるピクチャであり、カレントピクチャの直前又は直後のピクチャであってもよい。例えば、ｃｏ−ｌｏｃａｔｅｄパーティションの空間的な位置は、カレントピクチャにおけるパーティションの位置と同じである。または、時間隣接パーティションの参照ピクチャにおける空間的な位置は、パーティションのカレントピクチャにおける空間的な位置と異なっていてもよい。
【０２７３】
複数のサブパーティションに対する複数の動きベクトルは、各サブパーティションに空間的に又は時間的に隣接するサブパーティションに対する動きベクトルから予測される動きベクトルを含み、サブＣＵベース動きベクトル予測処理で得られる。サブＣＵベース動きベクトル予測処理は、高度時間動きベクトル予測（ＡＴＭＶＰ）であってもよいし、空間時間動きベクトル予測（ＳＴＭＶＰ）であってもよい。
【０２７４】
図１４は、ＡＴＭＶＰ処理の例を示す。まず、符号化装置１００は、画像ブロックを複数のＭ×Ｎサブブロックに分割する（Ｓ２０１）。基本的には、Ｍ及びＮは、それぞれ、画像ブロックの幅及び高さよりも小さい。Ｍは、Ｎに等しくてもよいし、Ｎに等しくなくてもよい。例えば、Ｍ及びＮは、それぞれ、画像ブロックの横方向の画素数、及び、画像ブロックの縦方向の画素数に対応する。
【０２７５】
具体的には、Ｍは、４であってもよい。また、Ｍは、画像ブロックの幅の１／８であってもよいし、画像ブロックの幅の１／Ｋ（Ｋは正の整数）であってもよい。同様に、Ｎは、４であってもよい。また、Ｎは、画像ブロックの高さの１／８であってもよいし、画像ブロックの高さの１／Ｋ（Ｋは正の整数）であってもよい。
【０２７６】
符号化装置１００は、画像ブロックに対して対応ブロックを決定する（Ｓ２０２）。対応ブロックは、図１５に示されるように、画像ブロックの空間隣接ブロックから導出される動きベクトルによって指し示される。そして、符号化装置１００は、図１６に示されるように、各Ｍ×Ｎサブブロックの動きベクトルを対応ブロックの動き情報から導出する（Ｓ２０３）。
【０２７７】
図１７は、ＳＴＭＶＰ処理の例を示す。まず、符号化装置１００は、画像ブロックを複数のＭ×Ｎサブブロックに分割する（Ｓ３０１）。基本的には、Ｍ及びＮは、それぞれ、画像ブロックの幅及び高さよりも小さい。Ｍは、Ｎに等しくてもよいし、Ｎに等しくなくてもよい。例えば、Ｍ及びＮは、それぞれ、画像ブロックの横方向の画素数、及び、画像ブロックの縦方向の画素数に対応する。
【０２７８】
具体的には、Ｍは、４であってもよい。また、Ｍは、画像ブロックの幅の１／８であってもよいし、画像ブロックの幅の１／Ｋ（Ｋは正の整数）であってもよい。同様に、Ｎは、４であってもよい。また、Ｎは、画像ブロックの高さの１／８であってもよいし、画像ブロックの高さの１／Ｋ（Ｋは正の整数）であってもよい。
【０２７９】
符号化装置１００は、各Ｍ×Ｎサブブロックに対して３つの動きベクトルを取得する（Ｓ３０２）。３つの動きベクトルのうち２つは、Ｍ×Ｎサブブロックの空間隣接ブロックから得られ、３つの動きベクトルのうち１つは、Ｍ×Ｎサブブロックの時間隣接ブロックから得られる。符号化装置１００は、各Ｍ×Ｎサブブロックに対して、これらの３つの動きベクトルを平均化して得られる動きベクトルを導出する（Ｓ３０３）。
【０２８０】
例えば、パーティションに対する動きベクトル候補リストは、マージモード又はインター予測モードのような所定の予測モードで画像ブロックに対して作成される動きベクトル候補リストと同じである。
【０２８１】
また、符号化装置１００は、パーティションが三角形パーティションであるか否かを判定する（Ｓ１０３）。パーティションが三角形パーティションでない場合（Ｓ１０３でＮｏ）、符号化装置１００は、第１方法（Ｓ１０４）を行う。パーティションが三角形パーティションである場合（Ｓ１０３でＹｅｓ）、符号化装置１００は、第２方法（Ｓ１０５）を行う。
【０２８２】
第１方法において、符号化装置１００は、動きベクトル候補リストにおける第１動きベクトルでパーティションに対して第１インター予測処理を行う（Ｓ１０４）。例えば、第１インター予測処理は、動き補償処理、復号側動きベクトルリファインメント処理（ＤＭＶＲ）、及び、双方向オプティカルフロー処理（ＢＩＯ）を含む。
【０２８３】
ＤＭＶＲ処理が行われる場合、符号化装置１００は、パーティションに対する動きベクトルを用いてパーティションに対する予測画像を取得する。そして、符号化装置１００は、パーティションに対する予測画像を用いて、例えば動き探索を行うことにより、パーティションに対する新たな動きベクトルを取得する。そして、符号化装置１００は、パーティションに対する新たな動きベクトルを用いてパーティションに対する新たな予測画像をパーティションに対する最終的な予測画像として取得する。
【０２８４】
ＤＭＶＲ処理が行われない場合、符号化装置１００は、パーティションに対する新たな動きベクトルを用いずに、パーティションに対する通常の動きベクトルを用いてパーティションに対する最終的な予測画像を取得する。例えば、通常の動きベクトルとは動きベクトル候補リストから選択した動きベクトルであってもよい。
【０２８５】
図１８は、ＤＭＶＲ処理の例を示す。符号化装置１００は、画像ブロックが第１動きベクトル及び第２動きベクトルの２つの動きベクトルを有するか否かを判定する（Ｓ４０１）。例えば、画像ブロックが第１動きベクトル及び第２動きベクトルの２つの動きベクトルを有さない場合、符号化装置１００は、１つの動きベクトルで予測ブロックを導出し、導出された予測ブロックを用いて画像ブロックを符号化する。
【０２８６】
一方、第１動きベクトル及び第２動きベクトルの２つの動きベクトルを画像ブロックが有する場合、符号化装置１００は、第１動きベクトル及び第２動きベクトルを用いて第１予測ブロック及び第２予測ブロックを導出する。
【０２８７】
例えば、第１動きベクトルが第１参照ピクチャを指し示し、第２動きベクトルが第２参照ピクチャを指し示す。この場合、符号化装置１００は、第１動きベクトル及び第１参照ピクチャを用いて第１予測ブロックを予測し、第２動きベクトル及び第２参照ピクチャを用いて第２予測ブロックを予測する（Ｓ４０２）。
【０２８８】
次に、符号化装置１００は、第１予測ブロックと第２予測ブロックとの重み付け処理を行うことによって、重み付け処理の結果であるテンプレートブロックを導出する（Ｓ４０３）。ここで、重み付け処理は、重み付け平均又は重み付け加算等である。
【０２８９】
次に、符号化装置１００は、テンプレートブロック及び第１参照ピクチャを用いて動き探索処理を行うことによって第３動きベクトルを導出する。同様に、符号化装置１００は、テンプレートブロック及び第２参照ピクチャを用いて動き探索処理を行うことによって第４動きベクトルを導出する（Ｓ４０４）。ここで、動き探索処理は、ブロックマッチング等を用いて類似ブロックを探索することにより、動きベクトルを探索する処理である。
【０２９０】
次に、符号化装置１００は、第３動きベクトル及び第１参照ピクチャを用いて第３予測ブロックを予測する。同様に、符号化装置１００は、第４動きベクトル及び第２参照ピクチャを用いて第４予測ブロックを予測する（Ｓ４０５）。
【０２９１】
次に、符号化装置１００は、第３予測ブロックと第４予測ブロックとの重み付け処理を行う（Ｓ４０６）。
【０２９２】
上記のように、ＤＭＶＲ処理が行われる。そして、例えば、符号化装置１００は、重み付け処理の結果を用いて画像ブロックを符号化する（Ｓ４０７）。
【０２９３】
ＤＭＶＲ処理は上記した処理に限定されず、決定した動きベクトルと符号化済み参照ピクチャに基づいた動き探索によって最終的な動きベクトルを決定する処理であればよい。例えば、テンプレートブロックを作成せず、第１予測ブロックと第２予測ブロックとの差分値を用いてコスト評価することによって最終的な動きベクトルを探索してもよい。
【０２９４】
また、上述した通り、パーティションが三角形パーティションである場合、符号化装置１００は、第２方法（Ｓ１０５）を行う。第２方法において、符号化装置１００は、動きベクトル候補リストにおける第２動きベクトルでパーティションに対して第２インター予測処理を行う。
【０２９５】
例えば、第２動きベクトルは、サブパーティションに対する動きベクトルとは異なる。つまり、第２動きベクトルは、サブＣＵベース動きベクトル予測処理で導出される動きベクトルとは異なる。また、第２インター予測処理は、動き補償処理を含み、ＤＭＶＲ処理を含まない。第２インター予測処理は、動き補償処理とＢＩＯ処理を含み、ＤＭＶＲ処理を含まなくてもよい。
【０２９６】
最後に、符号化装置１００は、パーティションに対するインター予測処理の結果を用いて画像ブロックを符号化する（Ｓ１０６）。例えば、符号化装置１００は、インター予測処理を行うことによって、予測画像をインター予測処理の結果として取得する。そして、符号化装置１００は、予測画像を用いて画像ブロックを符号化する。
【０２９７】
符号化装置１００は、複数のパーティションのそれぞれに対して、上述した処理（Ｓ１０２〜Ｓ１０５）を行い、符号化装置１００は、複数のパーティションに対するインター予測処理の複数の結果を用いて画像ブロックを符号化してもよい。
【０２９８】
符号化装置１００は、三角形パーティションを含む複数のパーティションに画像ブロックが分割されるか否かを示すフラグを符号化してもよい。このフラグは、分割パラメータとも表現され得る。例えば、フラグは、１である場合に、三角形パーティションを含む複数のパーティションに画像ブロックが分割されることを示し、０である場合に、三角形パーティションを含む複数のパーティションに画像ブロックが分割されないことを示す。
【０２９９】
上記のフラグは、画像ブロックを三角形パーティションを含む複数のパーティションに分割し、パーティション毎に動きベクトルを導出し、パーティション毎に動き補償を行うトライアングルモードであるか否かを示すトライアングルフラグであってもよい。
【０３００】
例えば、トライアングルモードでは、画像ブロックが複数の三角形パーティションに分割される。そして、各三角形パーティションのための候補動きベクトルリストが生成される。そして、各三角形パーティションの動き補償処理が候補動きベクトルリストから予測された動きベクトルを用いて行われる。そして、複数の三角形パーティションの複数の予測画像を合成することにより、画像ブロックの予測処理が行われる。そして、予測処理の結果に基づいて、画像ブロックが符号化される。
【０３０１】
また、上記のフラグは、他の予測モードに関するフラグと同じフラグで符号化されてもよい。例えば、このフラグが第１の値である場合は画像ブロックはマージモードで符号化されることを示し、第１の値とは異なる第２の値である場合は画像ブロックはトライアングルモードで符号化されることを示してもよい。また、このフラグは画像ブロックが分割される方法を示すフラグであってもよい。
【０３０２】
そして、三角形パーティションを含む複数のパーティションに画像ブロックが分割されることをフラグが示す場合、符号化装置１００は、三角形パーティションを含む複数のパーティションに画像ブロックを分割して符号化する。
【０３０３】
一方、三角形パーティションを含む複数のパーティションに画像ブロックが分割されないことをフラグが示す場合、符号化装置１００は、三角形パーティションを含む複数のパーティションに画像ブロックを分割せずに符号化する。この場合、符号化装置１００は、画像ブロックを分割せずに符号化してもよいし、画像ブロックを複数の矩形パーティションに分割して符号化してもよい。
【０３０４】
また、図１９に示されるように、符号化装置１００は、判定結果に基づいて、上記のフラグを符号化してもよい。この例において、まず、符号化装置１００は、画像ブロックのパラメータを取得する（Ｓ５０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３０５】
次に、符号化装置１００は、パラメータが第１閾値以上第２閾値以下であるか否かを判定する（Ｓ５０２）。パラメータが第１閾値以上第２閾値以下である場合（Ｓ５０２でＹｅｓ）、符号化装置１００は、フラグ付きで画像ブロックを符号化する（Ｓ５０３）。第１閾値は、第２閾値以下である。また、基本的に、第１閾値及び第２閾値は、０以上である。
【０３０６】
パラメータが第１閾値以上第２閾値以下でない場合（Ｓ５０３でＮｏ）、つまり、パラメータが第１閾値よりも小さい又は第２閾値よりも大きい場合、符号化装置１００は、フラグなしで画像ブロックを符号化する（Ｓ５０４）。あるいは、パラメータが第１閾値以上第２閾値以下でない場合、符号化装置１００は、三角形パーティションを含む複数のパーティションに画像ブロックが分割されないことを示すフラグ付きで画像ブロックを符号化してもよい。
【０３０７】
第１閾値は、第２閾値の逆数であってもよい。また、第１閾値は、正の整数又は正の分数であってもよい。同様に、第２閾値は、正の整数又は正の分数であってもよい。
【０３０８】
例えば、パラメータは、画像ブロックの高さに対する幅の比率である。第１閾値は、第２閾値の逆数である。そして、画像ブロックの高さに対する幅の比率が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３０９】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの両方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３１０】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの少なくとも一方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３１１】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さに対する幅の比率である。また、４つの閾値は、それぞれ、正の整数である。第１閾値は、第２閾値以下である。第３閾値は、第４閾値の逆数である。
【０３１２】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３１３】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さである。４つの閾値は、それぞれ、正の整数である。第１閾値は、第２閾値以下である。第３閾値は、第４閾値以下である。
【０３１４】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３１５】
また、例えば、第１パラメータと第２パラメータと第３パラメータとの３つのパラメータ、及び、第１閾値と第２閾値と第３閾値と第４閾値との４つの閾値が用いられる。第１パラメータは、画像ブロックの幅であり、第２パラメータは、画像ブロックの高さであり、第３パラメータは、画像ブロックの高さに対する幅の比率である。４つの閾値は、それぞれ、正の整数である。第１閾値は、第２閾値以下である。第３閾値は、第４閾値の逆数である。
【０３１６】
そして、第１パラメータ及び第２パラメータの両方が第１閾値以上第２閾値以下であり、第３パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３１７】
また、図２０に示されるように、符号化装置１００は、判定結果に基づいて、上記のフラグを符号化してもよい。この例において、まず、符号化装置１００は、画像ブロックのパラメータを取得する（Ｓ６０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３１８】
次に、符号化装置１００は、パラメータが閾値以上であるか否かを判定する（Ｓ６０２）。パラメータが閾値以上である場合（Ｓ６０２でＹｅｓ）、符号化装置１００は、フラグ付きで画像ブロックを符号化する（Ｓ６０３）。基本的に、閾値は、０以上である。
【０３１９】
パラメータが閾値以上でない場合（Ｓ６０２でＮｏ）、つまり、パラメータが閾値よりも小さい場合、符号化装置１００は、フラグなしで画像ブロックを符号化する（Ｓ６０４）。あるいは、パラメータが閾値以上でない場合、符号化装置１００は、三角形パーティションを含む複数のパーティションに画像ブロックが分割されないことを示すフラグ付きで画像ブロックを符号化してもよい。
【０３２０】
例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの両方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３２１】
また、例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの少なくとも一方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３２２】
また、例えば、パラメータは、画像ブロックの幅である。閾値は、正の整数である。そして、画像ブロックの幅が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３２３】
符号化装置１００は、フラグなしで画像ブロックを符号化する場合、画像ブロックを分割せずに符号化してもよいし、画像ブロックを複数の矩形パーティションに分割して符号化してもよい。
【０３２４】
本態様において、三角形パーティションに対するインター予測処理が簡素化される。したがって、ソフトウェア及びハードウェアにおける複雑さが削減される。
【０３２５】
［符号化及び復号の第２態様］
図２１は、第２態様に従って符号化装置１００によって行われる符号化方法及び符号化処理を示す。なお、復号装置２００によって行われる復号方法及び復号処理は、符号化装置１００によって行われる符号化方法及び符号化処理と基本的に同じである。以下の説明に関して、符号化方法及び符号化処理における「符号化」は、復号方法及び復号処理において「復号」に置き換えられ得る。
【０３２６】
まず、符号化装置１００は、画像ブロックを複数のパーティションに分割する（Ｓ７０１）。
【０３２７】
分割は、図１２Ａ、図１２Ｂ、図１２Ｃ、図１２Ｄ、図１２Ｅ、図１２Ｆ、図１２Ｇ、図１２Ｈ、図１２Ｉ又は図１２Ｊに示されているような４分割、２分割、３分割又は斜め分割であってもよい。分割は、これらの分割のいずれかに限定されず、これらの分割が自由に組み合わせられてもよい。
【０３２８】
また、パーティションは、図１３Ａ、図１３Ｂ、図１３Ｃ、図１３Ｄ又は図１３Ｅに示されているようなパーティションであってもよい。具体的には、パーティションは、矩形パーティション、非矩形パーティション、三角形パーティション、Ｌ型パーティション、五角形パーティション、六角形パーティション又は多角形パーティションであってもよい。
【０３２９】
次に、符号化装置１００は、複数のパーティションに含まれるパーティションに対する動きベクトル候補リストを作成する（Ｓ７０２）。動きベクトル候補リストは、複数の空間隣接パーティションに対する複数の動きベクトルと、複数の時間隣接パーティションに対する複数の動きベクトルと、複数のサブパーティションに対する複数の動きベクトルとのうち、少なくも１つの動きベクトルを含んでもよい。
【０３３０】
空間隣接パーティションは、パーティションに空間的に隣接するパーティションである。空間隣接パーティションは、パーティションの上、左、右、下、左上、右上、左下又は右下に位置するパーティションであってもよい。
【０３３１】
時間隣接パーティションは、パーティションに時間的に隣接するパーティションである。時間隣接パーティションは、パーティションの参照ピクチャにおいてパーティションの位置に対応するｃｏ−ｌｏｃａｔｅｄパーティションであってもよい。この参照ピクチャは、パーティションを含むカレントピクチャとは異なるピクチャであり、カレントピクチャの直前又は直後のピクチャであってもよい。例えば、ｃｏ−ｌｏｃａｔｅｄパーティションの空間的な位置は、カレントピクチャにおけるパーティションの位置と同じである。
【０３３２】
複数のサブパーティションに対する複数の動きベクトルは、各サブパーティションに空間的に又は時間的に隣接するサブパーティションに対する動きベクトルから予測される動きベクトルを含み、サブＣＵベース動きベクトル予測処理で得られる。サブＣＵベース動きベクトル予測処理は、ＡＴＭＶＰであってもよいし、ＳＴＭＶＰであってもよい。
【０３３３】
例えば、パーティションに対する動きベクトル候補リストは、マージモード又はインター予測モードのような所定の予測モードで画像ブロックに対して作成される動きベクトル候補リストと同じである。
【０３３４】
また、符号化装置１００は、パーティションが三角形パーティションであるか否かを判定する（Ｓ７０３）。パーティションが三角形パーティションでない場合（Ｓ７０３でＮｏ）、符号化装置１００は、第１方法（Ｓ７０４及びＳ７０５）を行う。パーティションが三角形パーティションである場合（Ｓ７０３でＹｅｓ）、符号化装置１００は、第２方法（Ｓ７０６及びＳ７０７）を行う。
【０３３５】
第１方法において、符号化装置１００は、動きベクトル候補リストの中からパーティションに対して第１動きベクトルを選択する（Ｓ７０４）。そして、符号化装置１００は、第１動きベクトルで、第１インター予測処理をパーティションに対して行う（Ｓ７０５）。第１インター予測処理は、動き補償処理を含む。
【０３３６】
例えば、第１インター予測処理は、ＯＢＭＣ処理を含んでいてもよい。あるいは、第１インター予測処理は、ＤＭＶＲ処理、ＢＩＯ処理及びＯＢＭＣ処理を含んでいてもよい。
【０３３７】
第２方法において、符号化装置１００は、動きベクトル候補リストの中からパーティションに対してサブパーティションに基づかない第２動きベクトルを選択する（Ｓ７０６）。例えば、サブパーティションに基づかない第２動きベクトルは、サブＣＵベース動きベクトル予測処理から導出されない動きベクトルである。そして、符号化装置１００は、第２動きベクトルで、第２インター予測処理をパーティションに対して行う（Ｓ７０７）。第２インター予測処理は、動き補償処理を含む。
【０３３８】
例えば、第２インター予測処理は、第１インター予測処理と同じである。あるいは、第２インター予測処理は、ＢＩＯ処理を含み、ＤＭＶＲ処理を含まなくてもよい。
【０３３９】
最後に、符号化装置１００は、パーティションに対するインター予測処理の結果を用いて画像ブロックを符号化する（Ｓ７０８）。例えば、符号化装置１００は、インター予測処理を行うことによって、予測画像をインター予測処理の結果として取得する。そして、符号化装置１００は、予測画像を用いて画像ブロックを符号化する。
【０３４０】
符号化装置１００は、複数のパーティションのそれぞれに対して、上述した処理（Ｓ７０２〜Ｓ７０７）を行い、符号化装置１００は、複数のパーティションに対するインター予測処理の複数の結果を用いて画像ブロックを符号化してもよい。
【０３４１】
符号化装置１００は、三角形パーティションを含む複数のパーティションに画像ブロックが分割されるか否かを示すフラグを符号化してもよい。このフラグは、分割パラメータとも表現され得る。例えば、フラグは、１である場合に、三角形パーティションを含む複数のパーティションに画像ブロックが分割されることを示し、０である場合に、三角形パーティションを含む複数のパーティションに画像ブロックが分割されないことを示す。
【０３４２】
そして、三角形パーティションを含む複数のパーティションに画像ブロックが分割されることをフラグが示す場合、符号化装置１００は、三角形パーティションを含む複数のパーティションに画像ブロックを分割して符号化する。
【０３４３】
一方、三角形パーティションを含む複数のパーティションに画像ブロックが分割されないことをフラグが示す場合、符号化装置１００は、三角形パーティションを含む複数のパーティションに画像ブロックを分割せずに符号化する。この場合、符号化装置１００は、画像ブロックを分割せずに符号化してもよいし、画像ブロックを複数の矩形パーティションに分割して符号化してもよい。
【０３４４】
また、図１９に示されるように、符号化装置１００は、判定結果に基づいて、上記のフラグを符号化してもよい。この例において、まず、符号化装置１００は、画像ブロックのパラメータを取得する（Ｓ５０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３４５】
次に、符号化装置１００は、パラメータが第１閾値以上第２閾値以下であるか否かを判定する（Ｓ５０２）。パラメータが第１閾値以上第２閾値以下である場合（Ｓ５０２でＹｅｓ）、符号化装置１００は、フラグ付きで画像ブロックを符号化する（Ｓ５０３）。第１閾値は、第２閾値以下である。また、基本的に、第１閾値及び第２閾値は、０以上である。
【０３４６】
パラメータが第１閾値以上第２閾値以下でない場合（Ｓ５０３でＮｏ）、つまり、パラメータが第１閾値よりも小さい又は第２閾値よりも大きい場合、符号化装置１００は、フラグなしで画像ブロックを符号化する（Ｓ５０４）。あるいは、パラメータが第１閾値以上第２閾値以下でない場合、符号化装置１００は、三角形パーティションを含む複数のパーティションに画像ブロックが分割されないことを示すフラグ付きで画像ブロックを符号化してもよい。
【０３４７】
第１閾値は、第２閾値の逆数であってもよい。また、第１閾値は、正の整数又は正の分数であってもよい。同様に、第２閾値は、正の整数又は正の分数であってもよい。
【０３４８】
例えば、パラメータは、画像ブロックの高さに対する幅の比率である。第１閾値は、第２閾値の逆数である。そして、画像ブロックの高さに対する幅の比率が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３４９】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの両方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３５０】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの少なくとも一方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３５１】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さに対する幅の比率である。また、４つの閾値は、それぞれ、正の整数である。第１閾値は、第２閾値以下である。第３閾値は、第４閾値の逆数である。
【０３５２】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３５３】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さである。４つの閾値は、それぞれ、正の整数である。第１閾値は、第２閾値以下である。第３閾値は、第４閾値以下である。
【０３５４】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３５５】
また、例えば、第１パラメータと第２パラメータと第３パラメータとの３つのパラメータ、及び、第１閾値と第２閾値と第３閾値と第４閾値との４つの閾値が用いられる。第１パラメータは、画像ブロックの幅であり、第２パラメータは、画像ブロックの高さであり、第３パラメータは、画像ブロックの高さに対する幅の比率である。４つの閾値は、それぞれ、正の整数である。第１閾値は、第２閾値以下である。第３閾値は、第４閾値の逆数である。
【０３５６】
そして、第１パラメータ及び第２パラメータの両方が第１閾値以上第２閾値以下であり、第３パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３５７】
また、図２０に示されるように、符号化装置１００は、判定結果に基づいて、上記のフラグを符号化してもよい。この例において、まず、符号化装置１００は、画像ブロックのパラメータを取得する（Ｓ６０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３５８】
次に、符号化装置１００は、パラメータが閾値以上であるか否かを判定する（Ｓ６０２）。パラメータが閾値以上である場合（Ｓ６０２でＹｅｓ）、符号化装置１００は、フラグ付きで画像ブロックを符号化する（Ｓ６０３）。基本的に、閾値は、０以上である。
【０３５９】
パラメータが閾値以上でない場合（Ｓ６０２でＮｏ）、つまり、パラメータが閾値よりも小さい場合、符号化装置１００は、フラグなしで画像ブロックを符号化する（Ｓ６０４）。あるいは、パラメータが閾値以上でない場合、符号化装置１００は、三角形パーティションを含む複数のパーティションに画像ブロックが分割されないことを示すフラグ付きで画像ブロックを符号化してもよい。
【０３６０】
例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの両方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３６１】
また、例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの少なくとも一方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３６２】
また、例えば、パラメータは、画像ブロックの幅である。閾値は、正の整数である。そして、画像ブロックの幅が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０３６３】
符号化装置１００は、フラグなしで画像ブロックを符号化する場合、画像ブロックを分割せずに符号化してもよいし、画像ブロックを複数の矩形パーティションに分割して符号化してもよい。
【０３６４】
本態様において、三角形パーティションの動きベクトル予測処理が簡素化され、演算量が削減される。
【０３６５】
なお、符号化装置１００は、パーティションが三角形パーティションであるか否かを判定した後に、動きベクトル候補リストを生成してもよい。例えば、符号化装置１００は、パーティションが三角形パーティションでない場合、サブパーティションに基づく動きベクトルを含む動きベクトル候補リストを生成してもよい。そして、符号化装置１００は、パーティションが三角形パーティションである場合、サブパーティションに基づく動きベクトルを含まない動きベクトル候補リストを生成してもよい。
【０３６６】
これにより、符号化装置１００は、パーティションが三角形パーティションでない場合、サブパーティションに基づく動きベクトルを含む動きベクトル候補リストの中から、第１動きベクトルを選択することができる。また、符号化装置１００は、パーティションが三角形パーティションである場合、サブパーティションに基づく動きベクトルを含まない動きベクトル候補リストの中から、サブパーティションに基づかない第２動きベクトルを選択することができる。
【０３６７】
［符号化及び復号の第３態様］
図２２は、第３態様に従って符号化装置１００によって行われる符号化方法及び符号化処理を示す。なお、復号装置２００によって行われる復号方法及び復号処理は、符号化装置１００によって行われる符号化方法及び符号化処理と基本的に同じである。以下の説明に関して、符号化方法及び符号化処理における「符号化」は、復号方法及び復号処理において「復号」に置き換えられ得る。
【０３６８】
まず、符号化装置１００は、画像ブロックを複数のパーティションに分割する（Ｓ８０１）。
【０３６９】
分割は、図１２Ａ、図１２Ｂ、図１２Ｃ、図１２Ｄ、図１２Ｅ、図１２Ｆ、図１２Ｇ、図１２Ｈ、図１２Ｉ又は図１２Ｊに示されているような４分割、２分割、３分割又は斜め分割であってもよい。分割は、これらの分割のいずれかに限定されず、これらの分割が自由に組み合わせられてもよい。
【０３７０】
また、パーティションは、図１３Ａ、図１３Ｂ、図１３Ｃ、図１３Ｄ又は図１３Ｅに示されているようなパーティションであってもよい。具体的には、パーティションは、矩形パーティション、非矩形パーティション、三角形パーティション、Ｌ型パーティション、五角形パーティション、六角形パーティション又は多角形パーティションであってもよい。
【０３７１】
次に、符号化装置１００は、複数のパーティションに含まれるパーティションに対する動きベクトル候補リストを作成する（Ｓ８０２）。動きベクトル候補リストは、複数の空間隣接パーティションに対する複数の動きベクトルと、複数の時間隣接パーティションに対する複数の動きベクトルと、複数のサブパーティションに対する複数の動きベクトルとのうち、少なくも１つの動きベクトルを含んでもよい。
【０３７２】
空間隣接パーティションは、パーティションに空間的に隣接するパーティションである。空間隣接パーティションは、パーティションの上、左、右、下、左上、右上、左下又は右下に位置するパーティションであってもよい。
【０３７３】
時間隣接パーティションは、パーティションに時間的に隣接するパーティションである。時間隣接パーティションは、パーティションの参照ピクチャにおいてパーティションの位置に対応するｃｏ−ｌｏｃａｔｅｄパーティションであってもよい。この参照ピクチャは、パーティションを含むカレントピクチャとは異なるピクチャであり、カレントピクチャの直前又は直後のピクチャであってもよい。例えば、ｃｏ−ｌｏｃａｔｅｄパーティションの空間的な位置は、カレントピクチャにおけるパーティションの位置と同じである。
【０３７４】
複数のサブパーティションに対する複数の動きベクトルは、各サブパーティションに空間的に又は時間的に隣接するサブパーティションに対する動きベクトルから予測される動きベクトルを含み、サブＣＵベース動きベクトル予測処理で得られる。サブＣＵベース動きベクトル予測処理は、ＡＴＭＶＰであってもよいし、ＳＴＭＶＰであってもよい。
【０３７５】
例えば、パーティションに対する動きベクトル候補リストは、マージモード又はインター予測モードのような所定の予測モードで画像ブロックに対して作成される動きベクトル候補リストと同じである。
【０３７６】
また、符号化装置１００は、パーティションが三角形パーティションであるか否かを判定する（Ｓ８０３）。パーティションが三角形パーティションでない場合（Ｓ８０３でＮｏ）、符号化装置１００は、第１方法（Ｓ８０４）を行う。パーティションが三角形パーティションである場合（Ｓ８０３でＹｅｓ）、符号化装置１００は、第２方法（Ｓ８０５）を行う。
【０３７７】
第１方法において、符号化装置１００は、動きベクトル候補リストにおける動きベクトルでパーティションに対して第１インター予測処理を行う（Ｓ８０４）。例えば、第１インター予測処理は、動き補償処理、及び、ＤＭＶＲ処理を含む。第１インター予測処理は、ＢＩＯ処理を含んでいてもよいし、ＢＩＯ処理を含んでいなくてもよい。
【０３７８】
例えば、第１方法によってパーティションに対して取得される予測画像は、マージモード又はインター予測モードのような所定の予測モードで画像ブロックを分割せずに画像ブロックに対して取得される予測画像のうちパーティションに対応する部分と同じである。
【０３７９】
第２方法において、符号化装置１００は、動きベクトル候補リストにおける動きベクトルでパーティションに対して第２インター予測処理を行う（Ｓ８０５）。例えば、第２インター予測処理は、動き補償処理を含んでおり、ＤＭＶＲ処理を含んでいない。第２インター予測処理は、ＢＩＯ処理を含んでいてもよいし、ＢＩＯ処理を含んでいなくてもよい。
【０３８０】
最後に、符号化装置１００は、パーティションに対するインター予測処理の結果を用いて画像ブロックを符号化する（Ｓ８０６）。例えば、符号化装置１００は、インター予測処理を行うことによって、予測画像をインター予測処理の結果として取得する。そして、符号化装置１００は、予測画像を用いて画像ブロックを符号化する。
【０３８１】
符号化装置１００は、複数のパーティションのそれぞれに対して、上述した処理（Ｓ８０２〜Ｓ８０５）を行い、符号化装置１００は、複数のパーティションに対するインター予測処理の複数の結果を用いて画像ブロックを符号化してもよい。
【０３８２】
符号化装置１００は、三角形パーティションを含む複数のパーティションに画像ブロックが分割されるか否かを示すフラグを符号化してもよい。このフラグは、分割パラメータとも表現され得る。例えば、フラグは、１である場合に、三角形パーティションを含む複数のパーティションに画像ブロックが分割されることを示し、０である場合に、三角形パーティションを含む複数のパーティションに画像ブロックが分割されないことを示す。
【０３８３】
そして、三角形パーティションを含む複数のパーティションに画像ブロックが分割されることをフラグが示す場合、符号化装置１００は、三角形パーティションを含む複数のパーティションに画像ブロックを分割して符号化する。
【０３８４】
一方、三角形パーティションを含む複数のパーティションに画像ブロックが分割されないことをフラグが示す場合、符号化装置１００は、三角形パーティションを含む複数のパーティションに画像ブロックを分割せずに符号化する。この場合、符号化装置１００は、画像ブロックを分割せずに符号化してもよいし、画像ブロックを複数の矩形パーティションに分割して符号化してもよい。
【０３８５】
また、図１９に示されるように、符号化装置１００は、判定結果に基づいて、上記のフラグを符号化してもよい。この例において、まず、符号化装置１００は、画像ブロックのパラメータを取得する（Ｓ５０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３８６】
次に、符号化装置１００は、パラメータが第１閾値以上第２閾値以下であるか否かを判定する（Ｓ５０２）。パラメータが第１閾値以上第２閾値以下である場合（Ｓ５０２でＹｅｓ）、符号化装置１００は、フラグ付きで画像ブロックを符号化する（Ｓ５０３）。第１閾値は、第２閾値以下である。また、基本的に、第１閾値及び第２閾値は、０以上である。
【０３８７】
パラメータが第１閾値以上第２閾値以下でない場合（Ｓ５０３でＮｏ）、つまり、パラメータが第１閾値よりも小さい又は第２閾値よりも大きい場合、符号化装置１００は、フラグなしで画像ブロックを符号化する（Ｓ５０４）。あるいは、パラメータが第１閾値以上第２閾値以下でない場合、符号化装置１００は、三角形パーティションを含む複数のパーティションに画像ブロックが分割されないことを示すフラグ付きで画像ブロックを符号化してもよい。
【０３８８】
第１閾値は、第２閾値の逆数であってもよい。また、第１閾値は、正の整数又は正の分数であってもよい。同様に、第２閾値は、正の整数又は正の分数であってもよい。
【０３８９】
例えば、パラメータは、画像ブロックの高さに対する幅の比率である。第１閾値は、第２閾値の逆数である。そして、画像ブロックの高さに対する幅の比率が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９０】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの両方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９１】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの少なくとも一方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９２】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さに対する幅の比率である。４つの閾値は、それぞれ、正の整数である。第１閾値は、第２閾値以下である。第３閾値は、第４閾値の逆数である。
【０３９３】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９４】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さである。４つの閾値は、それぞれ、正の整数である。第１閾値は、第２閾値以下である。第３閾値は、第４閾値以下である。
【０３９５】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９６】
また、例えば、第１パラメータと第２パラメータと第３パラメータとの３つのパラメータ、及び、第１閾値と第２閾値と第３閾値と第４閾値との４つの閾値が用いられる。第１パラメータは、画像ブロックの幅であり、第２パラメータは、画像ブロックの高さであり、第３パラメータは、画像ブロックの高さに対する幅の比率である。４つの閾値は、それぞれ、正の整数である。第１閾値は、第２閾値以下である。第３閾値は、第４閾値の逆数である。
【０３９７】
そして、第１パラメータ及び第２パラメータの両方が第１閾値以上第２閾値以下であり、第３パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０３９８】
また、図２０に示されるように、符号化装置１００は、判定結果に基づいて、上記のフラグを符号化してもよい。この例において、まず、符号化装置１００は、画像ブロックのパラメータを取得する（Ｓ６０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０３９９】
次に、符号化装置１００は、パラメータが閾値以上であるか否かを判定する（Ｓ６０２）。パラメータが閾値以上である場合（Ｓ６０２でＹｅｓ）、符号化装置１００は、フラグ付きで画像ブロックを符号化する（Ｓ６０３）。基本的に、閾値は、０以上である。
【０４００】
パラメータが閾値以上でない場合（Ｓ６０２でＮｏ）、つまり、パラメータが閾値よりも小さい場合、符号化装置１００は、フラグなしで画像ブロックを符号化する（Ｓ６０４）。あるいは、パラメータが閾値以上でない場合、符号化装置１００は、三角形パーティションを含む複数のパーティションに画像ブロックが分割されないことを示すフラグ付きで画像ブロックを符号化してもよい。
【０４０１】
例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの両方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４０２】
また、例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの少なくとも一方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４０３】
また、例えば、パラメータは、画像ブロックの幅である。閾値は、正の整数である。そして、画像ブロックの幅が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４０４】
符号化装置１００は、フラグなしで画像ブロックを符号化する場合、画像ブロックを分割せずに符号化してもよいし、画像ブロックを複数の矩形パーティションに分割して符号化してもよい。
【０４０５】
本態様において、三角形パーティションに対する復号側動きベクトルリファインメント処理が取り除かれ、三角形パーティションに対するインター予測処理が簡素化される。したがって、ソフトウェア及びハードウェアにおける複雑さが削減される。
【０４０６】
［符号化及び復号の第４態様］
図２３は、第４態様に従って符号化装置１００によって行われる符号化方法及び符号化処理を示す。なお、復号装置２００によって行われる復号方法及び復号処理は、符号化装置１００によって行われる符号化方法及び符号化処理と基本的に同じである。以下の説明に関して、符号化方法及び符号化処理における「符号化」は、復号方法及び復号処理において「復号」に置き換えられ得る。
【０４０７】
まず、符号化装置１００は、画像ブロックを複数のパーティションに分割する（Ｓ９０１）。
【０４０８】
分割は、図１２Ａ、図１２Ｂ、図１２Ｃ、図１２Ｄ、図１２Ｅ、図１２Ｆ、図１２Ｇ、図１２Ｈ、図１２Ｉ又は図１２Ｊに示されているような４分割、２分割、３分割又は斜め分割であってもよい。分割は、これらの分割のいずれかに限定されず、これらの分割が自由に組み合わせられてもよい。
【０４０９】
また、パーティションは、図１３Ａ、図１３Ｂ、図１３Ｃ、図１３Ｄ又は図１３Ｅに示されているようなパーティションであってもよい。具体的には、パーティションは、矩形パーティション、非矩形パーティション、三角形パーティション、Ｌ型パーティション、五角形パーティション、六角形パーティション又は多角形パーティションであってもよい。
【０４１０】
次に、符号化装置１００は、複数のパーティションに含まれるパーティションに対する動きベクトル候補リストを作成する（Ｓ９０２）。動きベクトル候補リストは、複数の空間隣接パーティションに対する複数の動きベクトルと、複数の時間隣接パーティションに対する複数の動きベクトルと、複数のサブパーティションに対する複数の動きベクトルとのうち、少なくも１つの動きベクトルを含んでもよい。
【０４１１】
空間隣接パーティションは、パーティションに空間的に隣接するパーティションである。空間隣接パーティションは、パーティションの上、左、右、下、左上、右上、左下又は右下に位置するパーティションであってもよい。
【０４１２】
時間隣接パーティションは、パーティションに時間的に隣接するパーティションである。時間隣接パーティションは、パーティションの参照ピクチャにおいてパーティションの位置に対応するｃｏ−ｌｏｃａｔｅｄパーティションであってもよい。この参照ピクチャは、パーティションを含むカレントピクチャとは異なるピクチャであり、カレントピクチャの直前又は直後のピクチャであってもよい。例えば、ｃｏ−ｌｏｃａｔｅｄパーティションの空間的な位置は、カレントピクチャにおけるパーティションの位置と同じである。
【０４１３】
複数のサブパーティションに対する複数の動きベクトルは、各サブパーティションに空間的に又は時間的に隣接するサブパーティションに対する動きベクトルから予測される動きベクトルを含み、サブＣＵベース動きベクトル予測処理で得られる。サブＣＵベース動きベクトル予測処理は、ＡＴＭＶＰであってもよいし、ＳＴＭＶＰであってもよい。
【０４１４】
例えば、パーティションに対する動きベクトル候補リストは、マージモード又はインター予測モードのような所定の予測モードで画像ブロックに対して作成される動きベクトル候補リストと同じである。
【０４１５】
また、符号化装置１００は、パーティションが三角形パーティションであるか否かを判定する（Ｓ９０３）。パーティションが三角形パーティションでない場合（Ｓ９０３でＮｏ）、符号化装置１００は、第１方法（Ｓ９０４）を行う。パーティションが三角形パーティションである場合（Ｓ９０３でＹｅｓ）、符号化装置１００は、第２方法（Ｓ９０５）を行う。
【０４１６】
第１方法において、符号化装置１００は、動きベクトル候補リストにおける動きベクトルでパーティションに対して第１インター予測処理を行う（Ｓ９０４）。例えば、第１インター予測処理は、動き補償処理、及び、ＢＩＯ処理を含む。第１インター予測処理は、ＤＭＶＲ処理を含んでいてもよいし、ＤＭＶＲ処理を含んでいなくてもよい。
【０４１７】
例えば、第１方法によってパーティションに対して取得される予測画像は、マージモード又はインター予測モードのような所定の予測モードで画像ブロックを分割せずに画像ブロックに対して取得される予測画像のうちパーティションに対応する部分と同じである。
【０４１８】
第２方法において、符号化装置１００は、動きベクトル候補リストにおける動きベクトルでパーティションに対して第２インター予測処理を行う（Ｓ９０５）。例えば、第２インター予測処理は、動き補償処理を含んでおり、ＢＩＯ処理を含んでいない。第２インター予測処理は、ＤＭＶＲ処理を含んでいてもよいし、ＤＭＶＲ処理を含んでいなくてもよい。
【０４１９】
最後に、符号化装置１００は、パーティションに対するインター予測処理の結果を用いて画像ブロックを符号化する（Ｓ９０６）。例えば、符号化装置１００は、インター予測処理を行うことによって、予測画像をインター予測処理の結果として取得する。そして、符号化装置１００は、予測画像を用いて画像ブロックを符号化する。
【０４２０】
符号化装置１００は、複数のパーティションのそれぞれに対して、上述した処理（Ｓ９０２〜Ｓ９０５）を行い、符号化装置１００は、複数のパーティションに対するインター予測処理の複数の結果を用いて画像ブロックを符号化してもよい。
【０４２１】
符号化装置１００は、三角形パーティションを含む複数のパーティションに画像ブロックが分割されるか否かを示すフラグを符号化してもよい。このフラグは、分割パラメータとも表現され得る。例えば、フラグは、１である場合に、三角形パーティションを含む複数のパーティションに画像ブロックが分割されることを示し、０である場合に、三角形パーティションを含む複数のパーティションに画像ブロックが分割されないことを示す。
【０４２２】
そして、三角形パーティションを含む複数のパーティションに画像ブロックが分割されることをフラグが示す場合、符号化装置１００は、三角形パーティションを含む複数のパーティションに画像ブロックを分割して符号化する。
【０４２３】
一方、三角形パーティションを含む複数のパーティションに画像ブロックが分割されないことをフラグが示す場合、符号化装置１００は、三角形パーティションを含む複数のパーティションに画像ブロックを分割せずに符号化する。この場合、符号化装置１００は、画像ブロックを分割せずに符号化してもよいし、画像ブロックを複数の矩形パーティションに分割して符号化してもよい。
【０４２４】
また、図１９に示されるように、符号化装置１００は、判定結果に基づいて、上記のフラグを符号化してもよい。この例において、まず、符号化装置１００は、画像ブロックのパラメータを取得する（Ｓ５０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０４２５】
次に、符号化装置１００は、パラメータが第１閾値以上第２閾値以下であるか否かを判定する（Ｓ５０２）。パラメータが第１閾値以上第２閾値以下である場合（Ｓ５０２でＹｅｓ）、符号化装置１００は、フラグ付きで画像ブロックを符号化する（Ｓ５０３）。第１閾値は、第２閾値以下である。また、基本的に、第１閾値及び第２閾値は、０以上である。
【０４２６】
パラメータが第１閾値以上第２閾値以下でない場合（Ｓ５０３でＮｏ）、つまり、パラメータが第１閾値よりも小さい又は第２閾値よりも大きい場合、符号化装置１００は、フラグなしで画像ブロックを符号化する（Ｓ５０４）。あるいは、パラメータが第１閾値以上第２閾値以下でない場合、符号化装置１００は、三角形パーティションを含む複数のパーティションに画像ブロックが分割されないことを示すフラグ付きで画像ブロックを符号化してもよい。
【０４２７】
第１閾値は、第２閾値の逆数であってもよい。また、第１閾値は、正の整数又は正の分数であってもよい。同様に、第２閾値は、正の整数又は正の分数であってもよい。
【０４２８】
例えば、パラメータは、画像ブロックの高さに対する幅の比率である。第１閾値は、第２閾値の逆数である。そして、画像ブロックの高さに対する幅の比率が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４２９】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの両方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４３０】
また、例えば、第１パラメータと第２パラメータとの２つのパラメータが用いられる。第１パラメータは、画像ブロックの幅であり、第２パラメータは、画像ブロックの高さである。第１閾値及び第２閾値は、それぞれ、正の整数である。そして、画像ブロックの幅及び高さの少なくとも一方が第１閾値以上第２閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４３１】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さに対する幅の比率である。４つの閾値は、それぞれ、正の整数である。第１閾値は、第２閾値以下である。第３閾値は、第４閾値の逆数である。
【０４３２】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４３３】
また、例えば、第１パラメータと第２パラメータとの２つのパラメータ、及び、第１閾値と第２閾値と第３閾値と第４閾値との４つの閾値が用いられる。第１パラメータは、画像ブロックの幅であり、第２パラメータは、画像ブロックの高さである。４つの閾値は、それぞれ、正の整数である。第１閾値は、第２閾値以下である。第３閾値は、第４閾値以下である。
【０４３４】
そして、第１パラメータが第１閾値以上第２閾値以下であり、第２パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４３５】
また、例えば、第１パラメータと第２パラメータと第３パラメータとの３つのパラメータ、及び、第１閾値と第２閾値と第３閾値と第４閾値との４つの閾値が用いられる。第１パラメータは、画像ブロックの幅であり、第２パラメータは、画像ブロックの高さであり、第３パラメータは、画像ブロックの高さに対する幅の比率である。４つの閾値は、それぞれ、正の整数である。第１閾値は、第２閾値以下である。第３閾値は、第４閾値の逆数である。
【０４３６】
そして、第１パラメータ及び第２パラメータの両方が第１閾値以上第２閾値以下であり、第３パラメータが第３閾値以上第４閾値以下である場合、符号化装置１００は、フラグ付きで画像ブロックを符号化する（Ｓ５０３）。そうでない場合、符号化装置１００は、フラグなしで画像ブロックを符号化する（Ｓ５０４）。
【０４３７】
また、図２０に示されるように、符号化装置１００は、判定結果に基づいて、上記のフラグを符号化してもよい。この例において、まず、符号化装置１００は、画像ブロックのパラメータを取得する（Ｓ６０１）。画像ブロックのパラメータは、画像ブロックの幅、画像ブロックの高さ、及び、画像ブロックの高さに対する幅の比率のうち少なくとも１つであってもよい。このパラメータは、サイズパラメータとも表現され得る。
【０４３８】
次に、符号化装置１００は、パラメータが閾値以上であるか否かを判定する（Ｓ６０２）。パラメータが閾値以上である場合（Ｓ６０２でＹｅｓ）、符号化装置１００は、フラグ付きで画像ブロックを符号化する（Ｓ６０３）。基本的に、閾値は、０以上である。
【０４３９】
パラメータが閾値以上でない場合（Ｓ６０２でＮｏ）、つまり、パラメータが閾値よりも小さい場合、符号化装置１００は、フラグなしで画像ブロックを符号化する（Ｓ６０４）。あるいは、パラメータが閾値以上でない場合、符号化装置１００は、三角形パーティションを含む複数のパーティションに画像ブロックが分割されないことを示すフラグ付きで画像ブロックを符号化してもよい。
【０４４０】
例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの両方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４４１】
また、例えば、第１パラメータと第２パラメータとの２つのパラメータが用いられる。第１パラメータは、画像ブロックの幅であり、第２パラメータは、画像ブロックの高さである。閾値は、正の整数である。そして、画像ブロックの幅及び高さの少なくとも一方が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４４２】
また、例えば、パラメータは、画像ブロックの幅である。閾値は、正の整数である。そして、画像ブロックの幅が閾値以上である場合、符号化装置１００は、フラグ付きで画像ブロックを符号化する（Ｓ６０３）。そうでない場合、符号化装置１００は、フラグなしで画像ブロックを符号化する（Ｓ６０４）。
【０４４３】
符号化装置１００は、フラグなしで画像ブロックを符号化する場合、画像ブロックを分割せずに符号化してもよいし、画像ブロックを複数の矩形パーティションに分割して符号化してもよい。
【０４４４】
本態様において、三角形パーティションに対する双方向オプティカルフロー処理が取り除かれ、三角形パーティションに対するインター予測処理が簡素化される。したがって、ソフトウェア及びハードウェアにおける複雑さが削減される。
【０４４５】
［符号化及び復号の変形態様］
上記の説明における三角形パーティションは、非矩形パーティションに置き換えられてもよい。そして、パーティションが非矩形パーティションであるか否かに従って、処理が切り替えられてもよい。また、その際、パーティションが三角形パーティションである場合、パーティションが非矩形パーティションであると判定されてもよい。
【０４４６】
非矩形パーティションは、図１３Ａ、図１３Ｂ、図１３Ｃ、図１３Ｄ又は図１３Ｅに示されるようなＬ型パーティション、五角形パーティション、六角形パーティション又は多角形パーティションであってもよい。画像ブロックは、非矩形パーティション及び矩形パーティションの少なくとも一方を含む複数のパーティションに分割されてもよい。
【０４４７】
また、上記の説明における非矩形パーティションは、矩形パーティションでないパーティションを意味する。非矩形パーティションは、図１３Ａ、図１３Ｂ、図１３Ｃ、図１３Ｄ及び図１３Ｅに記載の複数のパーティションのいずれかに限定されない。これらの複数のパーティションが、自由に組み合わされてもよい。
【０４４８】
また、上記の説明におけるパーティションは、予測ユニットに置き換えられてもよい。また、パーティションは、サブ予測ユニットに置き換えられてもよい。また、上記の説明における画像ブロックは、符号化ユニットに置き換えられてもよい。また、画像ブロックは、符号化ツリーユニットに置き換えられてもよい。
【０４４９】
また、画像ブロックのサイズに関する比率は、高さに対する幅の比率であってもよいし、幅に対する高さの比率であってもよい。また、画像ブロックのサイズに関するパラメータと比較される１つ以上の閾値は、非矩形パーティションを含む複数のパーティションに画像ブロックを分割するための、画像ブロックの高さに対する画像ブロックの幅の比率の制限範囲を示してもよい。
【０４５０】
また、ＢＩＯ処理が行われる場合、符号化装置１００は、予測画像に対する勾配画像を取得し、予測画像及び勾配画像を用いて最終的な予測画像を取得する。符号化装置１００は、予測画像に対して画素間の差分値を抽出するフィルタを適用することによって勾配画像を取得してもよい。ＢＩＯ処理が行われない場合、符号化装置１００は、勾配画像を用いずに取得された予測画像を最終的な予測画像として取得する。
【０４５１】
また、上記の説明における第１態様、第２態様、第３態様及び第４態様を任意に組み合わせることが可能である。
【０４５２】
［実装例］
図２４は、符号化装置１００の実装例を示すブロック図である。符号化装置１００は、回路１６０及びメモリ１６２を備える。例えば、図１に示された符号化装置１００の複数の構成要素は、図２４に示された回路１６０及びメモリ１６２によって実装される。
【０４５３】
回路１６０は、メモリ１６２にアクセス可能な電子回路であって、情報処理を行う。例えば、回路１６０は、メモリ１６２を用いて動画像を符号化する専用又は汎用の電子回路である。回路１６０は、ＣＰＵのようなプロセッサであってもよい。また、回路１６０は、複数の電子回路の集合体であってもよい。
【０４５４】
また、例えば、回路１６０は、図１に示された符号化装置１００の複数の構成要素のうち、情報を記憶するための構成要素を除く、複数の構成要素の役割を果たしてもよい。すなわち、回路１６０は、これらの構成要素の動作として上述された動作を行ってもよい。
【０４５５】
メモリ１６２は、回路１６０が動画像を符号化するための情報が記憶される専用又は汎用のメモリである。メモリ１６２は、電子回路であってもよく、回路１６０に接続されていてもよいし、回路１６０に含まれていてもよい。
【０４５６】
また、メモリ１６２は、複数の電子回路の集合体であってもよいし、複数のサブメモリで構成されていてもよい。また、メモリ１６２は、磁気ディスク又は光ディスク等であってもよいし、ストレージ又は記録媒体等と表現されてもよい。また、メモリ１６２は、不揮発性メモリでもよいし、揮発性メモリでもよい。
【０４５７】
例えば、メモリ１６２は、図１に示された符号化装置１００の複数の構成要素のうち、情報を記憶するための構成要素の役割を果たしてもよい。具体的には、メモリ１６２は、図１に示されたブロックメモリ１１８及びフレームメモリ１２２の役割を果たしてもよい。
【０４５８】
また、メモリ１６２には、符号化される動画像が記憶されてもよいし、符号化された動画像に対応するビット列が記憶されてもよい。また、メモリ１６２には、回路１６０が動画像を符号化するためのプログラムが記憶されていてもよい。
【０４５９】
なお、符号化装置１００において、図１に示された複数の構成要素の全てが実装されなくてもよいし、上述された複数の処理の全てが行われなくてもよい。図１に示された複数の構成要素の一部は、他の装置に含まれていてもよいし、上述された複数の処理の一部は、他の装置によって実行されてもよい。そして、符号化装置１００において、図１に示された複数の構成要素のうちの一部が実装され、上述された複数の処理の一部が行われることによって、画像ブロックが効率的に処理され得る。
【０４６０】
図２５は、図２４に示された符号化装置１００の第１動作例を示すフローチャートである。例えば、符号化装置１００における回路１６０が、メモリ１６２を用いて、図２５に示された動作を行う。具体的には、回路１６０は、画像ブロックを符号化する（Ｓ１１１１）。
【０４６１】
例えば、回路１６０は、画像ブロックを符号化する際、画像ブロックのサイズに関連する１つ以上のサイズパラメータを取得する。そして、回路１６０は、１つ以上のサイズパラメータと１つ以上の閾値とが所定の関係を満たすか否かを判定する。
【０４６２】
そして、回路１６０は、１つ以上のサイズパラメータと１つ以上の閾値とが所定の関係を満たすと判定された場合、非矩形パーティションを含む複数のパーティションに画像ブロックが分割されるか否かを示す分割パラメータを符号化する。そして、回路１６０は、画像ブロックが複数のパーティションに分割されることを分割パラメータが示す場合、画像ブロックを複数のパーティションに分割して符号化する。
【０４６３】
これにより、符号化装置１００は、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることができる。したがって、符号化装置１００は、画像ブロックを効率的に処理することができる。
【０４６４】
また、例えば、回路１６０は、１つ以上のサイズパラメータと１つ以上の閾値とが所定の関係を満たさないと判定された場合、分割パラメータを符号化せずに、画像ブロックを符号化する。これにより、符号量の削減が可能である。また、符号化装置１００は、分割パラメータの符号化のための処理量を削減することができる。
【０４６５】
また、例えば、回路１６０は、１つ以上のサイズパラメータと１つ以上の閾値とが所定の関係を満たさないと判定された場合、画像ブロックを分割せずに又は複数の矩形パーティションに分割して符号化する。これにより、符号化装置１００は、非矩形パーティションを含む複数のパーティションに画像ブロックに分割することを抑制することができる。
【０４６６】
また、例えば、回路１６０は、画像ブロックが複数のパーティションに分割されないことを分割パラメータが示す場合、画像ブロックを分割せずに又は複数の矩形パーティションに分割して符号化する。これにより、符号化装置１００は、非矩形パーティションを含む複数のパーティションに画像ブロックに分割することを抑制することができる。
【０４６７】
また、例えば、１つ以上の閾値は、１つの閾値である。そして、所定の関係は、１つ以上のサイズパラメータのそれぞれが１つの閾値以上であること、又は、１つ以上のサイズパラメータの少なくとも１つが１つの閾値以上であることである。これにより、符号化装置１００は、１つ以上のサイズパラメータが１つの閾値以上である場合、非矩形パーティションを含む複数のパーティションに画像ブロックに分割するか否かを切り替えることができる。
【０４６８】
また、例えば、１つ以上の閾値は、第１閾値及び第２閾値であり、第１閾値は、第２閾値以下である。そして、所定の関係は、１つ以上のサイズパラメータのそれぞれが第１閾値以上第２閾値以下であること、又は、１つ以上のサイズパラメータの少なくとも１つが第１閾値以上第２閾値以下であることである。これにより、符号化装置１００は、１つ以上のサイズパラメータが第１閾値以上第２閾値以下である場合、非矩形パーティションを含む複数のパーティションに画像ブロックに分割するか否かを切り替えることができる。
【０４６９】
また、例えば、非矩形パーティションは、三角形パーティションである。これにより、符号化装置１００は、画像ブロックのサイズに関連する１つ以上のサイズパラメータと１つ以上の閾値とが所定の関係を満たす場合、三角形パーティションを含む複数のパーティションに画像ブロックに分割するか否かを切り替えることができる。
【０４７０】
また、例えば、１つ以上のサイズパラメータは、画像ブロックの高さに対する画像ブロックの幅の比率、画像ブロックの幅に対する画像ブロックの高さの比率、画像ブロックの幅、及び、画像ブロックの高さのうち、少なくとも１つを含む。これにより、符号化装置１００は、画像ブロックの高さに対する幅の比率、画像ブロックの幅に対する高さの比率、画像ブロックの幅、及び、画像ブロックの高さのうち、少なくとも１つをサイズパラメータとして用いることができる。
【０４７１】
また、例えば、１つ以上の閾値のそれぞれは、ゼロ以上である。これにより、符号化装置１００は、１つ以上のサイズパラメータと、それぞれがゼロ以上である１つ以上の閾値とが所定の関係を満たす場合、非矩形パーティションを含む複数のパーティションに画像ブロックに分割するか否かを切り替えることができる。
【０４７２】
また、例えば、１つ以上の閾値は、画像ブロックを複数のパーティションに分割するための、画像ブロックの高さに対する画像ブロックの幅の比率の制限範囲を示す。これにより、符号化装置１００は、１つ以上のサイズパラメータと、高さに対する幅の比率の制限範囲を示す１つ以上の閾値とが所定の関係を満たす場合、非矩形パーティションを含む複数のパーティションに画像ブロックに分割するか否かを切り替えることができる。
【０４７３】
図２６は、図２４に示された符号化装置１００の第２動作例を示すフローチャートである。例えば、符号化装置１００における回路１６０が、メモリ１６２を用いて、図２６に示された動作を行う。具体的には、回路１６０は、画像ブロックを複数のパーティションに分割する（Ｓ１１２１）。そして、回路１６０は、複数のパーティションに含まれるパーティションに対する予測画像を取得する（Ｓ１１２２）。そして、回路１６０は、予測画像を用いて、画像ブロックを符号化する（Ｓ１１２３）。
【０４７４】
例えば、回路１６０は、予測画像を取得する際、パーティションが非矩形パーティションであるかを判定する。
【０４７５】
ここで、回路１６０は、パーティションが非矩形パーティションでないと判定された場合、パーティションに対する第１動きベクトルを用いてパーティションに対する第１予測画像を取得する。そして、回路１６０は、第１予測画像を用いてパーティションに対する第２動きベクトルを取得し、第２動きベクトルを用いてパーティションに対する第２予測画像を予測画像として取得する。
【０４７６】
一方、回路１６０は、パーティションが非矩形パーティションであると判定された場合、第２動きベクトルを用いずに、第１動きベクトルを用いて第１予測画像を予測画像として取得する。
【０４７７】
これにより、符号化装置１００は、非矩形パーティションに対して、２段階の動作を抑制することができ、処理量の増加を抑制することができる。したがって、符号化装置１００は、画像ブロックを効率的に処理することができる。
【０４７８】
また、例えば、回路１６０は、パーティションが三角形パーティションである場合、パーティションが非矩形パーティションであると判定する。これにより、符号化装置１００は、三角形パーティションに対して、処理量の増加を抑制することができる。
【０４７９】
また、例えば、パーティションが非矩形パーティションでないと判定された場合に取得される予測画像は、所定の予測モードにおいて画像ブロックに対して取得される予測画像のうちパーティションに対応する部分と同じである。ここで、所定の予測モードにおいて画像ブロックに対して取得される予測画像は、画像ブロックを複数のパーティションに分割せずに画像ブロックに対して取得される予測画像である。
【０４８０】
これにより、符号化装置１００は、画像ブロックを複数のパーティションに分割せずに画像ブロックに対して予測画像を取得する場合と同じように、矩形パーティションに対して予測画像を取得することができる。したがって、符号化装置１００は、処理を簡素化することができる。
【０４８１】
また、例えば、回路１６０は、第１予測画像を用いて動き探索を行うことにより第２動きベクトルを取得する。これにより、符号化装置１００は、第１予測画像を用いて適切な第２動きベクトルを取得することができ、適切な第２動きベクトルを用いて適切な第２予測画像を取得することができる。
【０４８２】
また、例えば、回路１６０は、予測画像を取得する際、パーティションが非矩形パーティションであるか否かを判定する。
【０４８３】
ここで、回路１６０は、パーティションが非矩形パーティションでないと判定された場合、パーティションに対する第１予測画像を取得し、第１予測画像に対する勾配画像を取得し、第１予測画像及び勾配画像を用いて第２予測画像を予測画像として取得する。一方、回路１６０は、パーティションが非矩形パーティションであると判定された場合、勾配画像を用いずに、第１予測画像を予測画像として取得する。
【０４８４】
これにより、符号化装置１００は、非矩形パーティションに対して、勾配画像を用いることを抑制することができ、処理量の増加を抑制することができる。したがって、符号化装置１００は、画像ブロックを効率的に処理することができる。
【０４８５】
また、例えば、回路１６０は、パーティションが三角形パーティションである場合、パーティションが非矩形パーティションであると判定する。これにより、符号化装置１００は、三角形パーティションに対して、処理量の増加を抑制することができる。
【０４８６】
また、例えば、パーティションが非矩形パーティションでないと判定された場合に取得される予測画像は、所定の予測モードにおいて画像ブロックに対して取得される予測画像のうちパーティションに対応する部分と同じである。所定の予測モードにおいて画像ブロックに対して取得される予測画像は、画像ブロックを複数のパーティションに分割せずに画像ブロックに対して取得される予測画像である。
【０４８７】
これにより、符号化装置１００は、画像ブロックを複数のパーティションに分割せずに画像ブロックに対して予測画像を取得する場合と同じように、矩形パーティションに対して予測画像を取得することができる。したがって、符号化装置１００は、処理を簡素化することができる。
【０４８８】
また、例えば、回路１６０は、第１予測画像に対して画素間の差分値を抽出するフィルタを適用することによって勾配画像を取得する。これにより、符号化装置１００は、第１予測画像に対して適切な勾配画像を取得することができ、適切な勾配画像を用いて適切な第２予測画像を取得することができる。
【０４８９】
図２７は、図２４に示された符号化装置１００の第３動作例を示すフローチャートである。例えば、符号化装置１００における回路１６０が、メモリ１６２を用いて、図２７に示された動作を行う。
【０４９０】
具体的には、回路１６０は、画像ブロックを複数のパーティションに分割する（Ｓ１１３１）。そして、回路１６０は、複数のパーティションに含まれるパーティションに対する動きベクトル候補リストを生成する（Ｓ１１３２）。
【０４９１】
そして、回路１６０は、動きベクトル候補リストからパーティションに対する動きベクトルを取得する（Ｓ１１３３）。そして、回路１６０は、パーティションに対する動きベクトルを用いて、パーティションに対するインター予測処理を行う（Ｓ１１３４）。そして、回路１６０は、インター予測処理の結果を用いて画像ブロックを符号化する（Ｓ１１３５）。
【０４９２】
また、例えば、回路１６０は、動きベクトル候補リストを生成する際、パーティションが非矩形パーティションであるかを判定する。
【０４９３】
パーティションが非矩形パーティションでないと判定された場合、回路１６０は、動きベクトル候補リストを生成する。その際、複数の空間隣接パーティションに対する複数の動きベクトルと、複数の時間隣接パーティションに対する複数の動きベクトルと、複数のサブパーティションに対する複数の動きベクトルとのうち少なくとも１つの動きベクトルが用いられる。
【０４９４】
パーティションが非矩形パーティションであると判定された場合も、回路１６０は、動きベクトル候補リストを生成する。ただし、その際、複数のサブパーティションに対する複数の動きベクトルを用いず、複数の空間隣接パーティションに対する複数の動きベクトルと、複数の時間隣接パーティションに対する複数の動きベクトルとのうち少なくとも１つの動きベクトルが用いられる。
【０４９５】
ここで、複数の空間隣接パーティションは、パーティションに空間的に隣接する。複数の時間隣接パーティションは、パーティションに時間的に隣接する。複数のサブパーティションは、パーティションに含まれる。
【０４９６】
これにより、符号化装置１００は、非矩形パーティションに対して、複数のサブパーティションに対する複数の動きベクトルを用いることを抑制することができ、処理量の増加を抑制することができる。したがって、符号化装置１００は、画像ブロックを効率的に処理することができる。
【０４９７】
また、例えば、回路１６０は、パーティションが三角形パーティションである場合、パーティションが非矩形パーティションであると判定する。これにより、符号化装置１００は、三角形パーティションに対して、処理量の増加を抑制することができる。
【０４９８】
また、例えば、複数のサブパーティションに対する複数の動きベクトルは、複数のサブパーティションのそれぞれに空間的又は時間的に隣接する領域に対する動きベクトルから予測される動きベクトルを含む。これにより、符号化装置１００は、サブパーティションに隣接する領域に対する動きベクトルからサブパーティションに対する動きベクトルとして予測される動きベクトルを用いることができる。
【０４９９】
また、例えば、パーティションが非矩形パーティションでないと判定された場合に生成される動きベクトル候補リストは、所定の予測モードにおいて画像ブロックに対して生成される動きベクトル候補リストと同じである。これにより、符号化装置１００は、画像ブロックに対して動きベクトル候補リストを生成する場合と同じように、矩形パーティションに対して動きベクトル候補リストを生成することができる。したがって、符号化装置１００は、処理を簡素化することができる。
【０５００】
また、例えば、複数の時間隣接パーティションのそれぞれは、パーティションを含むピクチャとは異なるピクチャにおいてパーティションの位置に対応するｃｏ−ｌｏｃａｔｅｄパーティションである。これにより、符号化装置１００は、ｃｏ−ｌｏｃａｔｅｄパーティションに対する動きベクトルを時間隣接パーティションに対する動きベクトルとして用いることができる。
【０５０１】
図２８は、復号装置２００の実装例を示すブロック図である。復号装置２００は、回路２６０及びメモリ２６２を備える。例えば、図１０に示された復号装置２００の複数の構成要素は、図２８に示された回路２６０及びメモリ２６２によって実装される。
【０５０２】
回路２６０は、メモリ２６２にアクセス可能な電子回路であって、情報処理を行う。例えば、回路２６０は、メモリ２６２を用いて動画像を復号する専用又は汎用の電子回路である。回路２６０は、ＣＰＵのようなプロセッサであってもよい。また、回路２６０は、複数の電子回路の集合体であってもよい。
【０５０３】
また、例えば、回路２６０は、図１０に示された復号装置２００の複数の構成要素のうち、情報を記憶するための構成要素を除く、複数の構成要素の役割を果たしてもよい。すなわち、回路２６０は、これらの構成要素の動作として上述された動作を行ってもよい。
【０５０４】
メモリ２６２は、回路２６０が動画像を復号するための情報が記憶される専用又は汎用のメモリである。メモリ２６２は、電子回路であってもよく、回路２６０に接続されていてもよいし、回路２６０に含まれていてもよい。
【０５０５】
また、メモリ２６２は、複数の電子回路の集合体であってもよいし、複数のサブメモリで構成されていてもよい。また、メモリ２６２は、磁気ディスク又は光ディスク等であってもよいし、ストレージ又は記録媒体等と表現されてもよい。また、メモリ２６２は、不揮発性メモリでもよいし、揮発性メモリでもよい。
【０５０６】
例えば、メモリ２６２は、図１０に示された復号装置２００の複数の構成要素のうち、情報を記憶するための構成要素の役割を果たしてもよい。具体的には、メモリ２６２は、図１０に示されたブロックメモリ２１０及びフレームメモリ２１４の役割を果たしてもよい。
【０５０７】
また、メモリ２６２には、符号化された動画像に対応するビット列が記憶されてもよいし、復号された動画像が記憶されてもよい。また、メモリ２６２には、回路２６０が動画像を復号するためのプログラムが記憶されていてもよい。
【０５０８】
なお、復号装置２００において、図１０に示された複数の構成要素の全てが実装されなくてもよいし、上述された複数の処理の全てが行われなくてもよい。図１０に示された複数の構成要素の一部は、他の装置に含まれていてもよいし、上述された複数の処理の一部は、他の装置によって実行されてもよい。そして、復号装置２００において、図１０に示された複数の構成要素のうちの一部が実装され、上述された複数の処理の一部が行われることによって、画像ブロックが効率的に処理され得る。
【０５０９】
図２９は、図２８に示された復号装置２００の第１動作例を示すフローチャートである。例えば、復号装置２００における回路２６０が、メモリ２６２を用いて、図２９に示された動作を行う。具体的には、回路２６０は、画像ブロックを復号する（Ｓ１２１１）。
【０５１０】
例えば、回路２６０は、画像ブロックを復号する際、画像ブロックのサイズに関連する１つ以上のサイズパラメータを取得する。そして、回路２６０は、１つ以上のサイズパラメータと１つ以上の閾値とが所定の関係を満たすか否かを判定する。
【０５１１】
そして、回路２６０は、１つ以上のサイズパラメータと１つ以上の閾値とが所定の関係を満たすと判定された場合、非矩形パーティションを含む複数のパーティションに画像ブロックが分割されるか否かを示す分割パラメータを復号する。そして、画像ブロックが複数のパーティションに分割されることを分割パラメータが示す場合、画像ブロックを複数のパーティションに分割して復号する。
【０５１２】
これにより、復号装置２００は、画像ブロックのサイズに関連する１つ以上のサイズパラメータと１つ以上の閾値とが所定の関係を満たす場合、非矩形パーティションを含む複数のパーティションに画像ブロックに分割するか否かを切り替えることができる。したがって、復号装置２００は、画像ブロックを効率的に処理することができる。
【０５１３】
また、例えば、回路２６０は、１つ以上のサイズパラメータと１つ以上の閾値とが所定の関係を満たさないと判定された場合、分割パラメータを復号せずに、画像ブロックを復号する。これにより、符号量の削減が可能である。また、復号装置２００は、分割パラメータの復号のための処理量を削減することができる。
【０５１４】
また、例えば、回路２６０は、１つ以上のサイズパラメータと１つ以上の閾値とが所定の関係を満たさないと判定された場合、画像ブロックを分割せずに又は複数の矩形パーティションに分割して復号する。これにより、復号装置２００は、非矩形パーティションを含む複数のパーティションに画像ブロックに分割することを抑制することができる。
【０５１５】
また、例えば、回路２６０は、画像ブロックが複数のパーティションに分割されないことを分割パラメータが示す場合、画像ブロックを分割せずに又は複数の矩形パーティションに分割して復号する。これにより、復号装置２００は、非矩形パーティションを含む複数のパーティションに画像ブロックに分割することを抑制することができる。
【０５１６】
また、例えば、１つ以上の閾値は、１つの閾値である。そして、所定の関係は、１つ以上のサイズパラメータのそれぞれが１つの閾値以上であること、又は、１つ以上のサイズパラメータの少なくとも１つが１つの閾値以上であることである。これにより、復号装置２００は、１つ以上のサイズパラメータが１つの閾値以上である場合、非矩形パーティションを含む複数のパーティションに画像ブロックに分割するか否かを切り替えることができる。
【０５１７】
また、例えば、１つ以上の閾値は、第１閾値及び第２閾値であり、第１閾値は、第２閾値以下である。そして、所定の関係は、１つ以上のサイズパラメータのそれぞれが第１閾値以上第２閾値以下であること、又は、１つ以上のサイズパラメータの少なくとも１つが第１閾値以上第２閾値以下であることである。これにより、復号装置２００は、１つ以上のサイズパラメータが第１閾値以上第２閾値以下である場合、非矩形パーティションを含む複数のパーティションに画像ブロックに分割するか否かを切り替えることができる。
【０５１８】
また、例えば、非矩形パーティションは、三角形パーティションである。これにより、復号装置２００は、画像ブロックのサイズに関連する１つ以上のサイズパラメータと１つ以上の閾値とが所定の関係を満たす場合、三角形パーティションを含む複数のパーティションに画像ブロックに分割するか否かを切り替えることができる。
【０５１９】
また、例えば、１つ以上のサイズパラメータは、画像ブロックの高さに対する画像ブロックの幅の比率、画像ブロックの幅に対する画像ブロックの高さの比率、画像ブロックの幅、及び、画像ブロックの高さのうち、少なくとも１つを含む。これにより、復号装置２００は、画像ブロックの高さに対する幅の比率、画像ブロックの幅に対する高さの比率、画像ブロックの幅、及び、画像ブロックの高さのうち、少なくとも１つをサイズパラメータとして用いることができる。
【０５２０】
また、例えば、１つ以上の閾値のそれぞれは、ゼロ以上である。これにより、復号装置２００は、１つ以上のサイズパラメータと、それぞれがゼロ以上である１つ以上の閾値とが所定の関係を満たす場合、非矩形パーティションを含む複数のパーティションに画像ブロックに分割するか否かを切り替えることができる。
【０５２１】
また、例えば、１つ以上の閾値は、画像ブロックを複数のパーティションに分割するための、画像ブロックの高さに対する画像ブロックの幅の比率の制限範囲を示す。これにより、復号装置２００は、１つ以上のサイズパラメータと、高さに対する幅の比率の制限範囲を示す１つ以上の閾値とが所定の関係を満たす場合、非矩形パーティションを含む複数のパーティションに画像ブロックに分割するか否かを切り替えることができる。
【０５２２】
図３０は、図２８に示された復号装置２００の第２動作例を示すフローチャートである。例えば、復号装置２００における回路２６０が、メモリ２６２を用いて、図３０に示された動作を行う。例えば、回路２６０は、画像ブロックを複数のパーティションに分割する（Ｓ１２２１）。そして、回路２６０は、複数のパーティションに含まれるパーティションに対する予測画像を取得する（Ｓ１２２２）。そして、回路２６０は、予測画像を用いて、画像ブロックを復号する（Ｓ１２２３）。
【０５２３】
また、例えば、回路２６０は、予測画像を取得する際、パーティションが非矩形パーティションであるかを判定する。
【０５２４】
ここで、回路２６０は、パーティションが非矩形パーティションでないと判定された場合、パーティションに対する第１動きベクトルを用いてパーティションに対する第１予測画像を取得する。そして、回路２６０は、第１予測画像を用いてパーティションに対する第２動きベクトルを取得し、第２動きベクトルを用いてパーティションに対する第２予測画像を予測画像として取得する。
【０５２５】
一方、回路２６０は、パーティションが非矩形パーティションであると判定された場合、第２動きベクトルを用いずに、第１動きベクトルを用いて第１予測画像を予測画像として取得する。
【０５２６】
これにより、復号装置２００は、非矩形パーティションに対して、２段階の動作を抑制することができ、処理量の増加を抑制することができる。したがって、復号装置２００は、画像ブロックを効率的に処理することができる。
【０５２７】
また、例えば、回路２６０は、パーティションが三角形パーティションである場合、パーティションが非矩形パーティションであると判定する。これにより、復号装置２００は、三角形パーティションに対して、処理量の増加を抑制することができる。
【０５２８】
また、例えば、パーティションが非矩形パーティションでないと判定された場合に取得される予測画像は、所定の予測モードにおいて画像ブロックに対して取得される予測画像のうちパーティションに対応する部分と同じである。所定の予測モードにおいて画像ブロックに対して取得される予測画像は、画像ブロックを複数のパーティションに分割せずに画像ブロックに対して取得される予測画像である。
【０５２９】
これにより、復号装置２００は、画像ブロックを複数のパーティションに分割せずに画像ブロックに対して予測画像を取得する場合と同じように、矩形パーティションに対して予測画像を取得することができる。したがって、復号装置２００は、処理を簡素化することができる。
【０５３０】
また、例えば、回路２６０は、第１予測画像を用いて動き探索を行うことにより第２動きベクトルを取得する。これにより、復号装置２００は、第１予測画像を用いて適切な第２動きベクトルを取得することができ、適切な第２動きベクトルを用いて適切な第２予測画像を取得することができる。
【０５３１】
また、例えば、回路２６０は、予測画像を取得する際、パーティションが非矩形パーティションであるか否かを判定する。
【０５３２】
ここで、パーティションが非矩形パーティションでないと判定された場合、パーティションに対する第１予測画像を取得し、第１予測画像に対する勾配画像を取得し、第１予測画像及び勾配画像を用いて第２予測画像を予測画像として取得する。一方、パーティションが非矩形パーティションであると判定された場合、勾配画像を用いずに、第１予測画像を予測画像として取得する。
【０５３３】
これにより、復号装置２００は、非矩形パーティションに対して、勾配画像を用いることを抑制することができ、処理量の増加を抑制することができる。したがって、復号装置２００は、画像ブロックを効率的に処理することができる。
【０５３４】
また、例えば、回路２６０は、パーティションが三角形パーティションである場合、パーティションが非矩形パーティションであると判定する。これにより、復号装置２００は、三角形パーティションに対して、処理量の増加を抑制することができる。
【０５３５】
また、例えば、パーティションが非矩形パーティションでないと判定された場合に取得される予測画像は、所定の予測モードにおいて画像ブロックに対して取得される予測画像のうちパーティションに対応する部分と同じである。ここで、所定の予測モードにおいて画像ブロックに対して取得される予測画像は、画像ブロックを複数のパーティションに分割せずに画像ブロックに対して取得される予測画像である。
【０５３６】
これにより、復号装置２００は、画像ブロックを複数のパーティションに分割せずに画像ブロックに対して予測画像を取得する場合と同じように、矩形パーティションに対して予測画像を取得することができる。したがって、復号装置２００は、処理を簡素化することができる。
【０５３７】
また、例えば、回路２６０は、第１予測画像に対して画素間の差分値を抽出するフィルタを適用することによって勾配画像を取得する。これにより、復号装置２００は、第１予測画像に対して適切な勾配画像を取得することができ、適切な勾配画像を用いて適切な第２予測画像を取得することができる。
【０５３８】
図３１は、図２８に示された復号装置２００の第３動作例を示すフローチャートである。例えば、復号装置２００における回路２６０が、メモリ２６２を用いて、図３１に示された動作を行う。
【０５３９】
具体的には、回路２６０は、画像ブロックを複数のパーティションに分割する（Ｓ１２３１）。そして、回路２６０は、複数のパーティションに含まれるパーティションに対する動きベクトル候補リストを生成する（Ｓ１２３２）。
【０５４０】
そして、回路２６０は、動きベクトル候補リストからパーティションに対する動きベクトルを取得する（Ｓ１２３３）。そして、回路２６０は、パーティションに対する動きベクトルを用いて、パーティションに対するインター予測処理を行う（Ｓ１１３４）。そして、回路２６０は、インター予測処理の結果を用いて画像ブロックを復号する（Ｓ１１３５）。
【０５４１】
また、例えば、回路２６０は、動きベクトル候補リストを生成する際、パーティションが非矩形パーティションであるかを判定する。
【０５４２】
パーティションが非矩形パーティションでないと判定された場合、回路２６０は、動きベクトル候補リストを生成する。その際、複数の空間隣接パーティションに対する複数の動きベクトルと、複数の時間隣接パーティションに対する複数の動きベクトルと、複数のサブパーティションに対する複数の動きベクトルとのうち少なくとも１つの動きベクトルが用いられる。
【０５４３】
パーティションが非矩形パーティションであると判定された場合も、回路２６０は、動きベクトル候補リストを生成する。ただし、その際、複数のサブパーティションに対する複数の動きベクトルを用いず、複数の空間隣接パーティションに対する複数の動きベクトルと、複数の時間隣接パーティションに対する複数の動きベクトルとのうち少なくとも１つの動きベクトルが用いられる。
【０５４４】
ここで、複数の空間隣接パーティションは、パーティションに空間的に隣接する。複数の時間隣接パーティションは、パーティションに時間的に隣接する。複数のサブパーティションは、パーティションに含まれる。
【０５４５】
これにより、復号装置２００は、非矩形パーティションに対して、複数のサブパーティションに対する複数の動きベクトルを用いることを抑制することができ、処理量の増加を抑制することができる。したがって、復号装置２００は、画像ブロックを効率的に処理することができる。
【０５４６】
また、例えば、回路２６０は、パーティションが三角形パーティションである場合、パーティションが非矩形パーティションであると判定する。これにより、復号装置２００は、三角形パーティションに対して、処理量の増加を抑制することができる。
【０５４７】
また、例えば、複数のサブパーティションに対する複数の動きベクトルは、複数のサブパーティションのそれぞれに空間的又は時間的に隣接する領域に対する動きベクトルから予測される動きベクトルを含む。これにより、復号装置２００は、サブパーティションに隣接する領域に対する動きベクトルからサブパーティションに対する動きベクトルとして予測される動きベクトルを用いることができる。
【０５４８】
また、例えば、パーティションが非矩形パーティションでないと判定された場合に生成される動きベクトル候補リストは、所定の予測モードにおいて画像ブロックに対して生成される動きベクトル候補リストと同じである。これにより、復号装置２００は、画像ブロックに対して動きベクトル候補リストを生成する場合と同じように、矩形パーティションに対して動きベクトル候補リストを生成することができる。したがって、復号装置２００は、処理を簡素化することができる。
【０５４９】
また、例えば、複数の時間隣接パーティションのそれぞれは、パーティションを含むピクチャとは異なるピクチャにおいてパーティションの位置に対応するｃｏ−ｌｏｃａｔｅｄパーティションである。これにより、復号装置２００は、ｃｏ−ｌｏｃａｔｅｄパーティションに対する動きベクトルを時間隣接パーティションに対する動きベクトルとして用いることができる。
【０５５０】
［補足］
本実施の形態における符号化装置１００及び復号装置２００は、それぞれ、画像符号化装置及び画像復号装置として利用されてもよいし、動画像符号化装置及び動画像復号装置として利用されてもよい。
【０５５１】
あるいは、符号化装置１００及び復号装置２００のそれぞれは、予測装置又はインター予測装置として利用され得る。すなわち、符号化装置１００及び復号装置２００は、それぞれ、インター予測部１２６及びインター予測部２１８のみに対応していてもよい。そして、エントロピー符号化部１１０又はエントロピー復号部２０２等の他の構成要素は、他の装置に含まれていてもよい。
【０５５２】
また、本実施の形態の少なくとも一部が、符号化方法として利用されてもよいし、復号方法として利用されてもよいし、予測方法として利用されてもよいし、その他の方法として利用されてもよい。
【０５５３】
また、本実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０５５４】
具体的には、符号化装置１００及び復号装置２００のそれぞれは、処理回路（Ｐｒｏｃｅｓｓｉｎｇ  Ｃｉｒｃｕｉｔｒｙ）と、当該処理回路に電気的に接続された、当該処理回路からアクセス可能な記憶装置（Ｓｔｏｒａｇｅ）とを備えていてもよい。例えば、処理回路は回路１６０又は２６０に対応し、記憶装置はメモリ１６２又は２６２に対応する。
【０５５５】
処理回路は、専用のハードウェア及びプログラム実行部の少なくとも一方を含み、記憶装置を用いて処理を実行する。また、記憶装置は、処理回路がプログラム実行部を含む場合には、当該プログラム実行部により実行されるソフトウェアプログラムを記憶する。
【０５５６】
ここで、本実施の形態の符号化装置１００又は復号装置２００などを実現するソフトウェアは、次のようなプログラムである。
【０５５７】
すなわち、このプログラムは、コンピュータに、画像ブロックを符号化するステップを含み、前記画像ブロックを符号化するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを符号化し、前記画像ブロックが前記複数のパーティションに分割されることを前記分割パラメータが示す場合、前記画像ブロックを前記複数のパーティションに分割して符号化する符号化方法を実行させる。
【０５５８】
あるいは、このプログラムは、コンピュータに、画像ブロックを復号するステップを含み、前記画像ブロックを復号するステップでは、前記画像ブロックのサイズに関連する１つ以上のサイズパラメータを取得し、前記１つ以上のサイズパラメータと１つ以上の閾値とが所定の関係を満たすか否かを判定し、前記１つ以上のサイズパラメータと前記１つ以上の閾値とが前記所定の関係を満たすと判定された場合、非矩形パーティションを含む複数のパーティションに前記画像ブロックが分割されるか否かを示す分割パラメータを復号し、前記画像ブロックが前記複数のパーティションに分割されることを前記分割パラメータが示す場合、前記画像ブロックを前記複数のパーティションに分割して復号する復号方法を実行させる。
【０５５９】
あるいは、このプログラムは、コンピュータに、画像ブロックを複数のパーティションに分割するステップと、前記複数のパーティションに含まれるパーティションに対する予測画像を取得するステップと、前記予測画像を用いて、前記画像ブロックを符号化するステップとを含み、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する符号化方法を実行させる。
【０５６０】
あるいは、このプログラムは、コンピュータに、画像ブロックを複数のパーティションに分割するステップと、前記複数のパーティションに含まれるパーティションに対する予測画像を取得するステップと、前記予測画像を用いて、前記画像ブロックを復号するステップとを含み、前記予測画像を取得するステップでは、前記パーティションが非矩形パーティションであるかを判定し、前記パーティションが非矩形パーティションでないと判定された場合、前記パーティションに対する第１動きベクトルを用いて前記パーティションに対する第１予測画像を取得し、前記第１予測画像を用いて前記パーティションに対する第２動きベクトルを取得し、前記第２動きベクトルを用いて前記パーティションに対する第２予測画像を前記予測画像として取得し、前記パーティションが非矩形パーティションであると判定された場合、前記第２動きベクトルを用いずに、前記第１動きベクトルを用いて前記第１予測画像を前記予測画像として取得する復号方法を実行させる。
【０５６１】
あるいは、このプログラムは、コンピュータに、画像ブロックを複数のパーティションに分割するステップと、前記複数のパーティションに含まれるパーティションに対する予測画像を取得するステップと、前記予測画像を用いて、前記画像ブロックを符号化するステップとを含み、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する符号化方法を実行させる。
【０５６２】
あるいは、このプログラムは、コンピュータに、画像ブロックを複数のパーティションに分割するステップと、前記複数のパーティションに含まれるパーティションに対する予測画像を取得するステップと、前記予測画像を用いて、前記画像ブロックを復号するステップとを含み、前記予測画像を取得するステップでは、前記パーティションが非矩形パーティションであるか否かを判定し、前記パーティションが非矩形パーティションでないと判定された場合、前記パーティションに対する第１予測画像を取得し、前記第１予測画像に対する勾配画像を取得し、前記第１予測画像及び前記勾配画像を用いて第２予測画像を前記予測画像として取得し、前記パーティションが非矩形パーティションであると判定された場合、前記勾配画像を用いずに、前記第１予測画像を前記予測画像として取得する復号方法を実行させる。
【０５６３】
あるいは、このプログラムは、コンピュータに、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを符号化するステップとを含み、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する符号化方法を実行させる。
【０５６４】
あるいは、このプログラムは、コンピュータに、画像ブロックを複数のパーティションに分割するステップと、前記複数のパーティションに含まれるパーティションに対する動きベクトル候補リストを生成するステップと、前記動きベクトル候補リストから前記パーティションに対する動きベクトルを取得するステップと、前記パーティションに対する動きベクトルを用いて、前記パーティションに対するインター予測処理を行うステップと、前記インター予測処理の結果を用いて前記画像ブロックを復号するステップとを含み、前記動きベクトル候補リストを生成するステップでは、前記パーティションが非矩形パーティションであるかを判定し、前記パーティションが非矩形パーティションでないと判定された場合、前記パーティションに空間的に隣接する複数の空間隣接パーティションに対する複数の動きベクトルと、前記パーティションに時間的に隣接する複数の時間隣接パーティションに対する複数の動きベクトルと、前記パーティションに含まれる複数のサブパーティションに対する複数の動きベクトルとのうち少なくとも１つの動きベクトルを用いて、前記動きベクトル候補リストを生成し、前記パーティションが非矩形パーティションであると判定された場合、前記複数のサブパーティションに対する複数の動きベクトルを用いずに、前記複数の空間隣接パーティションに対する複数の動きベクトルと、前記複数の時間隣接パーティションに対する複数の動きベクトルとのうち少なくとも１つの動きベクトルを用いて、前記動きベクトル候補リストを生成する復号方法を実行させる。
【０５６５】
また、各構成要素は、上述の通り、回路であってもよい。これらの回路は、全体として１つの回路を構成してもよいし、それぞれ別々の回路であってもよい。また、各構成要素は、汎用的なプロセッサで実現されてもよいし、専用のプロセッサで実現されてもよい。
【０５６６】
また、特定の構成要素が実行する処理を別の構成要素が実行してもよい。また、処理を実行する順番が変更されてもよいし、複数の処理が並行して実行されてもよい。また、符号化復号装置が、符号化装置１００及び復号装置２００を備えていてもよい。
【０５６７】
また、説明に用いられた第１及び第２等の序数は、適宜、付け替えられてもよい。また、構成要素などに対して、序数が新たに与えられてもよいし、取り除かれてもよい。
【０５６８】
以上、符号化装置１００及び復号装置２００の態様について、実施の形態に基づいて説明したが、符号化装置１００及び復号装置２００の態様は、この実施の形態に限定されるものではない。本開示の趣旨を逸脱しない限り、当業者が思いつく各種変形を本実施の形態に施したものや、異なる実施の形態における構成要素を組み合わせて構築される形態も、符号化装置１００及び復号装置２００の態様の範囲内に含まれてもよい。
【０５６９】
本態様を本開示における他の態様の少なくとも一部と組み合わせて実施してもよい。また、本態様のフローチャートに記載の一部の処理、装置の一部の構成、シンタックスの一部などを他の態様と組み合わせて実施してもよい。
【０５７０】
（実施の形態２）
以上の各実施の形態において、機能ブロックの各々は、通常、ＭＰＵ及びメモリ等によって実現可能である。また、機能ブロックの各々による処理は、通常、プロセッサなどのプログラム実行部が、ＲＯＭ等の記録媒体に記録されたソフトウェア（プログラム）を読み出して実行することで実現される。当該ソフトウェアはダウンロード等により配布されてもよいし、半導体メモリなどの記録媒体に記録して配布されてもよい。なお、各機能ブロックをハードウェア（専用回路）によって実現することも、当然、可能である。
【０５７１】
また、各実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０５７２】
本開示の態様は、以上の実施例に限定されることなく、種々の変更が可能であり、それらも本開示の態様の範囲内に包含される。
【０５７３】
さらにここで、上記各実施の形態で示した動画像符号化方法（画像符号化方法）又は動画像復号化方法（画像復号方法）の応用例とそれを用いたシステムを説明する。当該システムは、画像符号化方法を用いた画像符号化装置、画像復号方法を用いた画像復号装置、及び両方を備える画像符号化復号装置を有することを特徴とする。システムにおける他の構成について、場合に応じて適切に変更することができる。
【０５７４】
［使用例］
図３２は、コンテンツ配信サービスを実現するコンテンツ供給システムｅｘ１００の全体構成を示す図である。通信サービスの提供エリアを所望の大きさに分割し、各セル内にそれぞれ固定無線局である基地局ｅｘ１０６、ｅｘ１０７、ｅｘ１０８、ｅｘ１０９、ｅｘ１１０が設置されている。
【０５７５】
このコンテンツ供給システムｅｘ１００では、インターネットｅｘ１０１に、インターネットサービスプロバイダｅｘ１０２又は通信網ｅｘ１０４、及び基地局ｅｘ１０６〜ｅｘ１１０を介して、コンピュータｅｘ１１１、ゲーム機ｅｘ１１２、カメラｅｘ１１３、家電ｅｘ１１４、及びスマートフォンｅｘ１１５などの各機器が接続される。当該コンテンツ供給システムｅｘ１００は、上記のいずれかの要素を組合せて接続するようにしてもよい。固定無線局である基地局ｅｘ１０６〜ｅｘ１１０を介さずに、各機器が電話網又は近距離無線等を介して直接的又は間接的に相互に接続されていてもよい。また、ストリーミングサーバｅｘ１０３は、インターネットｅｘ１０１等を介して、コンピュータｅｘ１１１、ゲーム機ｅｘ１１２、カメラｅｘ１１３、家電ｅｘ１１４、及びスマートフォンｅｘ１１５などの各機器と接続される。また、ストリーミングサーバｅｘ１０３は、衛星ｅｘ１１６を介して、飛行機ｅｘ１１７内のホットスポット内の端末等と接続される。
【０５７６】
なお、基地局ｅｘ１０６〜ｅｘ１１０の代わりに、無線アクセスポイント又はホットスポット等が用いられてもよい。また、ストリーミングサーバｅｘ１０３は、インターネットｅｘ１０１又はインターネットサービスプロバイダｅｘ１０２を介さずに直接通信網ｅｘ１０４と接続されてもよいし、衛星ｅｘ１１６を介さず直接飛行機ｅｘ１１７と接続されてもよい。
【０５７７】
カメラｅｘ１１３はデジタルカメラ等の静止画撮影、及び動画撮影が可能な機器である。また、スマートフォンｅｘ１１５は、一般に２Ｇ、３Ｇ、３．９Ｇ、４Ｇ、そして今後は５Ｇと呼ばれる移動通信システムの方式に対応したスマートフォン機、携帯電話機、又はＰＨＳ（Ｐｅｒｓｏｎａｌ  Ｈａｎｄｙｐｈｏｎｅ  Ｓｙｓｔｅｍ）等である。
【０５７８】
家電ｅｘ１１８は、冷蔵庫、又は家庭用燃料電池コージェネレーションシステムに含まれる機器等である。
【０５７９】
コンテンツ供給システムｅｘ１００では、撮影機能を有する端末が基地局ｅｘ１０６等を通じてストリーミングサーバｅｘ１０３に接続されることで、ライブ配信等が可能になる。ライブ配信では、端末（コンピュータｅｘ１１１、ゲーム機ｅｘ１１２、カメラｅｘ１１３、家電ｅｘ１１４、スマートフォンｅｘ１１５、及び飛行機ｅｘ１１７内の端末等）は、ユーザが当該端末を用いて撮影した静止画又は動画コンテンツに対して上記各実施の形態で説明した符号化処理を行い、符号化により得られた映像データと、映像に対応する音を符号化した音データと多重化し、得られたデータをストリーミングサーバｅｘ１０３に送信する。即ち、各端末は、本開示の一態様に係る画像符号化装置として機能する。
【０５８０】
一方、ストリーミングサーバｅｘ１０３は要求のあったクライアントに対して送信されたコンテンツデータをストリーム配信する。クライアントは、上記符号化処理されたデータを復号化することが可能な、コンピュータｅｘ１１１、ゲーム機ｅｘ１１２、カメラｅｘ１１３、家電ｅｘ１１４、スマートフォンｅｘ１１５、又は飛行機ｅｘ１１７内の端末等である。配信されたデータを受信した各機器は、受信したデータを復号化処理して再生する。即ち、各機器は、本開示の一態様に係る画像復号装置として機能する。
【０５８１】
［分散処理］
また、ストリーミングサーバｅｘ１０３は複数のサーバ又は複数のコンピュータであって、データを分散して処理したり記録したり配信するものであってもよい。例えば、ストリーミングサーバｅｘ１０３は、ＣＤＮ（Ｃｏｎｔｅｎｔｓ  Ｄｅｌｉｖｅｒｙ  Ｎｅｔｗｏｒｋ）により実現され、世界中に分散された多数のエッジサーバとエッジサーバ間をつなぐネットワークによりコンテンツ配信が実現されていてもよい。ＣＤＮでは、クライアントに応じて物理的に近いエッジサーバが動的に割り当てられる。そして、当該エッジサーバにコンテンツがキャッシュ及び配信されることで遅延を減らすことができる。また、何らかのエラーが発生した場合又はトラフィックの増加などにより通信状態が変わる場合に複数のエッジサーバで処理を分散したり、他のエッジサーバに配信主体を切り替えたり、障害が生じたネットワークの部分を迂回して配信を続けることができるので、高速かつ安定した配信が実現できる。
【０５８２】
また、配信自体の分散処理にとどまらず、撮影したデータの符号化処理を各端末で行ってもよいし、サーバ側で行ってもよいし、互いに分担して行ってもよい。一例として、一般に符号化処理では、処理ループが２度行われる。１度目のループでフレーム又はシーン単位での画像の複雑さ、又は、符号量が検出される。また、２度目のループでは画質を維持して符号化効率を向上させる処理が行われる。例えば、端末が１度目の符号化処理を行い、コンテンツを受け取ったサーバ側が２度目の符号化処理を行うことで、各端末での処理負荷を減らしつつもコンテンツの質と効率を向上させることができる。この場合、ほぼリアルタイムで受信して復号する要求があれば、端末が行った一度目の符号化済みデータを他の端末で受信して再生することもできるので、より柔軟なリアルタイム配信も可能になる。
【０５８３】
他の例として、カメラｅｘ１１３等は、画像から特徴量抽出を行い、特徴量に関するデータをメタデータとして圧縮してサーバに送信する。サーバは、例えば特徴量からオブジェクトの重要性を判断して量子化精度を切り替えるなど、画像の意味に応じた圧縮を行う。特徴量データはサーバでの再度の圧縮時の動きベクトル予測の精度及び効率向上に特に有効である。また、端末でＶＬＣ（可変長符号化）などの簡易的な符号化を行い、サーバでＣＡＢＡＣ（コンテキスト適応型二値算術符号化方式）など処理負荷の大きな符号化を行ってもよい。
【０５８４】
さらに他の例として、スタジアム、ショッピングモール、又は工場などにおいては、複数の端末によりほぼ同一のシーンが撮影された複数の映像データが存在する場合がある。この場合には、撮影を行った複数の端末と、必要に応じて撮影をしていない他の端末及びサーバを用いて、例えばＧＯＰ（Ｇｒｏｕｐ  ｏｆ  Ｐｉｃｔｕｒｅ）単位、ピクチャ単位、又はピクチャを分割したタイル単位などで符号化処理をそれぞれ割り当てて分散処理を行う。これにより、遅延を減らし、よりリアルタイム性を実現できる。
【０５８５】
また、複数の映像データはほぼ同一シーンであるため、各端末で撮影された映像データを互いに参照し合えるように、サーバで管理及び／又は指示をしてもよい。または、各端末からの符号化済みデータを、サーバが受信し複数のデータ間で参照関係を変更、又はピクチャ自体を補正或いは差し替えて符号化しなおしてもよい。これにより、一つ一つのデータの質と効率を高めたストリームを生成できる。
【０５８６】
また、サーバは、映像データの符号化方式を変更するトランスコードを行ったうえで映像データを配信してもよい。例えば、サーバは、ＭＰＥＧ系の符号化方式をＶＰ系に変換してもよいし、Ｈ．２６４をＨ．２６５に変換してもよい。
【０５８７】
このように、符号化処理は、端末、又は１以上のサーバにより行うことが可能である。よって、以下では、処理を行う主体として「サーバ」又は「端末」等の記載を用いるが、サーバで行われる処理の一部又は全てが端末で行われてもよいし、端末で行われる処理の一部又は全てがサーバで行われてもよい。また、これらに関しては、復号処理についても同様である。
【０５８８】
［３Ｄ、マルチアングル］
近年では、互いにほぼ同期した複数のカメラｅｘ１１３及び／又はスマートフォンｅｘ１１５などの端末により撮影された異なるシーン、又は、同一シーンを異なるアングルから撮影した画像或いは映像を統合して利用することも増えてきている。各端末で撮影した映像は、別途取得した端末間の相対的な位置関係、又は、映像に含まれる特徴点が一致する領域などに基づいて統合される。
【０５８９】
サーバは、２次元の動画像を符号化するだけでなく、動画像のシーン解析などに基づいて自動的に、又は、ユーザが指定した時刻において、静止画を符号化し、受信端末に送信してもよい。サーバは、さらに、撮影端末間の相対的な位置関係を取得できる場合には、２次元の動画像だけでなく、同一シーンが異なるアングルから撮影された映像に基づき、当該シーンの３次元形状を生成できる。なお、サーバは、ポイントクラウドなどにより生成した３次元のデータを別途符号化してもよいし、３次元データを用いて人物又はオブジェクトを認識或いは追跡した結果に基づいて、受信端末に送信する映像を、複数の端末で撮影した映像から選択、又は、再構成して生成してもよい。
【０５９０】
このようにして、ユーザは、各撮影端末に対応する各映像を任意に選択してシーンを楽しむこともできるし、複数画像又は映像を用いて再構成された３次元データから任意視点の映像を切り出したコンテンツを楽しむこともできる。さらに、映像と同様に音も複数の相異なるアングルから収音され、サーバは、映像に合わせて特定のアングル又は空間からの音を映像と多重化して送信してもよい。
【０５９１】
また、近年ではＶｉｒｔｕａｌ  Ｒｅａｌｉｔｙ（ＶＲ）及びＡｕｇｍｅｎｔｅｄ  Ｒｅａｌｉｔｙ（ＡＲ）など、現実世界と仮想世界とを対応付けたコンテンツも普及してきている。ＶＲの画像の場合、サーバは、右目用及び左目用の視点画像をそれぞれ作成し、Ｍｕｌｔｉ−Ｖｉｅｗ  Ｃｏｄｉｎｇ（ＭＶＣ）などにより各視点映像間で参照を許容する符号化を行ってもよいし、互いに参照せずに別ストリームとして符号化してもよい。別ストリームの復号時には、ユーザの視点に応じて仮想的な３次元空間が再現されるように互いに同期させて再生するとよい。
【０５９２】
ＡＲの画像の場合には、サーバは、現実空間のカメラ情報に、仮想空間上の仮想物体情報を、３次元的位置又はユーザの視点の動きに基づいて重畳する。復号装置は、仮想物体情報及び３次元データを取得又は保持し、ユーザの視点の動きに応じて２次元画像を生成し、スムーズにつなげることで重畳データを作成してもよい。または、復号装置は仮想物体情報の依頼に加えてユーザの視点の動きをサーバに送信し、サーバは、サーバに保持される３次元データから受信した視点の動きに合わせて重畳データを作成し、重畳データを符号化して復号装置に配信してもよい。なお、重畳データは、ＲＧＢ以外に透過度を示すα値を有し、サーバは、３次元データから作成されたオブジェクト以外の部分のα値が０などに設定し、当該部分が透過する状態で、符号化してもよい。もしくは、サーバは、クロマキーのように所定の値のＲＧＢ値を背景に設定し、オブジェクト以外の部分は背景色にしたデータを生成してもよい。
【０５９３】
同様に配信されたデータの復号処理はクライアントである各端末で行っても、サーバ側で行ってもよいし、互いに分担して行ってもよい。一例として、ある端末が、一旦サーバに受信リクエストを送り、そのリクエストに応じたコンテンツを他の端末で受信し復号処理を行い、ディスプレイを有する装置に復号済みの信号が送信されてもよい。通信可能な端末自体の性能によらず処理を分散して適切なコンテンツを選択することで画質のよいデータを再生することができる。また、他の例として大きなサイズの画像データをＴＶ等で受信しつつ、鑑賞者の個人端末にピクチャが分割されたタイルなど一部の領域が復号されて表示されてもよい。これにより、全体像を共有化しつつ、自身の担当分野又はより詳細に確認したい領域を手元で確認することができる。
【０５９４】
また今後は、屋内外にかかわらず近距離、中距離、又は長距離の無線通信が複数使用可能な状況下で、ＭＰＥＧ−ＤＡＳＨなどの配信システム規格を利用して、接続中の通信に対して適切なデータを切り替えながらシームレスにコンテンツを受信することが予想される。これにより、ユーザは、自身の端末のみならず屋内外に設置されたディスプレイなどの復号装置又は表示装置を自由に選択しながらリアルタイムで切り替えられる。また、自身の位置情報などに基づいて、復号する端末及び表示する端末を切り替えながら復号を行うことができる。これにより、目的地への移動中に、表示可能なデバイスが埋め込まれた隣の建物の壁面又は地面の一部に地図情報を表示させながら移動することも可能になる。また、符号化データが受信端末から短時間でアクセスできるサーバにキャッシュされている、又は、コンテンツ・デリバリー・サービスにおけるエッジサーバにコピーされている、などの、ネットワーク上での符号化データへのアクセス容易性に基づいて、受信データのビットレートを切り替えることも可能である。
【０５９５】
［スケーラブル符号化］
コンテンツの切り替えに関して、図３３に示す、上記各実施の形態で示した動画像符号化方法を応用して圧縮符号化されたスケーラブルなストリームを用いて説明する。サーバは、個別のストリームとして内容は同じで質の異なるストリームを複数有していても構わないが、図示するようにレイヤに分けて符号化を行うことで実現される時間的／空間的スケーラブルなストリームの特徴を活かして、コンテンツを切り替える構成であってもよい。つまり、復号側が性能という内的要因と通信帯域の状態などの外的要因とに応じてどのレイヤまで復号するかを決定することで、復号側は、低解像度のコンテンツと高解像度のコンテンツとを自由に切り替えて復号できる。例えば移動中にスマートフォンｅｘ１１５で視聴していた映像の続きを、帰宅後にインターネットＴＶ等の機器で視聴したい場合には、当該機器は、同じストリームを異なるレイヤまで復号すればよいので、サーバ側の負担を軽減できる。
【０５９６】
さらに、上記のように、レイヤ毎にピクチャが符号化されており、ベースレイヤの上位にエンハンスメントレイヤが存在するスケーラビリティを実現する構成以外に、エンハンスメントレイヤが画像の統計情報などに基づくメタ情報を含み、復号側が、メタ情報に基づきベースレイヤのピクチャを超解像することで高画質化したコンテンツを生成してもよい。超解像とは、同一解像度におけるＳＮ比の向上、及び、解像度の拡大のいずれであってもよい。メタ情報は、超解像処理に用いる線形或いは非線形のフィルタ係数を特定するため情報、又は、超解像処理に用いるフィルタ処理、機械学習或いは最小２乗演算におけるパラメータ値を特定する情報などを含む。
【０５９７】
または、画像内のオブジェクトなどの意味合いに応じてピクチャがタイル等に分割されており、復号側が、復号するタイルを選択することで一部の領域だけを復号する構成であってもよい。また、オブジェクトの属性（人物、車、ボールなど）と映像内の位置（同一画像における座標位置など）とをメタ情報として格納することで、復号側は、メタ情報に基づいて所望のオブジェクトの位置を特定し、そのオブジェクトを含むタイルを決定できる。例えば、図３４に示すように、メタ情報は、ＨＥＶＣにおけるＳＥＩメッセージなど画素データとは異なるデータ格納構造を用いて格納される。このメタ情報は、例えば、メインオブジェクトの位置、サイズ、又は色彩などを示す。
【０５９８】
また、ストリーム、シーケンス又はランダムアクセス単位など、複数のピクチャから構成される単位でメタ情報が格納されてもよい。これにより、復号側は、特定人物が映像内に出現する時刻などが取得でき、ピクチャ単位の情報と合わせることで、オブジェクトが存在するピクチャ、及び、ピクチャ内でのオブジェクトの位置を特定できる。
【０５９９】
［Ｗｅｂページの最適化］
図３５は、コンピュータｅｘ１１１等におけるｗｅｂページの表示画面例を示す図である。図３６は、スマートフォンｅｘ１１５等におけるｗｅｂページの表示画面例を示す図である。図３５及び図３６に示すようにｗｅｂページが、画像コンテンツへのリンクであるリンク画像を複数含む場合があり、閲覧するデバイスによってその見え方は異なる。画面上に複数のリンク画像が見える場合には、ユーザが明示的にリンク画像を選択するまで、又は画面の中央付近にリンク画像が近付く或いはリンク画像の全体が画面内に入るまでは、表示装置（復号装置）は、リンク画像として各コンテンツが有する静止画又はＩピクチャを表示したり、複数の静止画又はＩピクチャ等でｇｉｆアニメのような映像を表示したり、ベースレイヤのみ受信して映像を復号及び表示したりする。
【０６００】
ユーザによりリンク画像が選択された場合、表示装置は、ベースレイヤを最優先にして復号する。なお、ｗｅｂページを構成するＨＴＭＬにスケーラブルなコンテンツであることを示す情報があれば、表示装置は、エンハンスメントレイヤまで復号してもよい。また、リアルタイム性を担保するために、選択される前又は通信帯域が非常に厳しい場合には、表示装置は、前方参照のピクチャ（Ｉピクチャ、Ｐピクチャ、前方参照のみのＢピクチャ）のみを復号及び表示することで、先頭ピクチャの復号時刻と表示時刻との間の遅延（コンテンツの復号開始から表示開始までの遅延）を低減できる。また、表示装置は、ピクチャの参照関係を敢えて無視して全てのＢピクチャ及びＰピクチャを前方参照にして粗く復号し、時間が経ち受信したピクチャが増えるにつれて正常の復号を行ってもよい。
【０６０１】
［自動走行］
また、車の自動走行又は走行支援のため２次元又は３次元の地図情報などの静止画又は映像データを送受信する場合、受信端末は、１以上のレイヤに属する画像データに加えて、メタ情報として天候又は工事の情報なども受信し、これらを対応付けて復号してもよい。なお、メタ情報は、レイヤに属してもよいし、単に画像データと多重化されてもよい。
【０６０２】
この場合、受信端末を含む車、ドローン又は飛行機などが移動するため、受信端末は、当該受信端末の位置情報を受信要求時に送信することで、基地局ｅｘ１０６〜ｅｘ１１０を切り替えながらシームレスな受信及び復号を実現できる。また、受信端末は、ユーザの選択、ユーザの状況又は通信帯域の状態に応じて、メタ情報をどの程度受信するか、又は地図情報をどの程度更新していくかを動的に切り替えることが可能になる。
【０６０３】
以上のようにして、コンテンツ供給システムｅｘ１００では、ユーザが送信した符号化された情報をリアルタイムでクライアントが受信して復号し、再生することができる。
【０６０４】
［個人コンテンツの配信］
また、コンテンツ供給システムｅｘ１００では、映像配信業者による高画質で長時間のコンテンツのみならず、個人による低画質で短時間のコンテンツのユニキャスト、又はマルチキャスト配信が可能である。また、このような個人のコンテンツは今後も増加していくと考えられる。個人コンテンツをより優れたコンテンツにするために、サーバは、編集処理を行ってから符号化処理を行ってもよい。これは例えば、以下のような構成で実現できる。
【０６０５】
撮影時にリアルタイム又は蓄積して撮影後に、サーバは、原画又は符号化済みデータから撮影エラー、シーン探索、意味の解析、及びオブジェクト検出などの認識処理を行う。そして、サーバは、認識結果に基いて手動又は自動で、ピントずれ又は手ブレなどを補正したり、明度が他のピクチャに比べて低い又は焦点が合っていないシーンなどの重要性の低いシーンを削除したり、オブジェクトのエッジを強調したり、色合いを変化させるなどの編集を行う。サーバは、編集結果に基いて編集後のデータを符号化する。また撮影時刻が長すぎると視聴率が下がることも知られており、サーバは、撮影時間に応じて特定の時間範囲内のコンテンツになるように上記のように重要性が低いシーンのみならず動きが少ないシーンなどを、画像処理結果に基き自動でクリップしてもよい。または、サーバは、シーンの意味解析の結果に基づいてダイジェストを生成して符号化してもよい。
【０６０６】
なお、個人コンテンツには、そのままでは著作権、著作者人格権、又は肖像権等の侵害となるものが写り込んでいるケースもあり、共有する範囲が意図した範囲を超えてしまうなど個人にとって不都合な場合もある。よって、例えば、サーバは、画面の周辺部の人の顔、又は家の中などを敢えて焦点が合わない画像に変更して符号化してもよい。また、サーバは、符号化対象画像内に、予め登録した人物とは異なる人物の顔が映っているかどうかを認識し、映っている場合には、顔の部分にモザイクをかけるなどの処理を行ってもよい。または、符号化の前処理又は後処理として、著作権などの観点からユーザが画像を加工したい人物又は背景領域を指定し、サーバは、指定された領域を別の映像に置き換える、又は焦点をぼかすなどの処理を行うことも可能である。人物であれば、動画像において人物をトラッキングしながら、顔の部分の映像を置き換えることができる。
【０６０７】
また、データ量の小さい個人コンテンツの視聴はリアルタイム性の要求が強いため、帯域幅にもよるが、復号装置は、まずベースレイヤを最優先で受信して復号及び再生を行う。復号装置は、この間にエンハンスメントレイヤを受信し、再生がループされる場合など２回以上再生される場合に、エンハンスメントレイヤも含めて高画質の映像を再生してもよい。このようにスケーラブルな符号化が行われているストリームであれば、未選択時又は見始めた段階では粗い動画だが、徐々にストリームがスマートになり画像がよくなるような体験を提供することができる。スケーラブル符号化以外にも、１回目に再生される粗いストリームと、１回目の動画を参照して符号化される２回目のストリームとが１つのストリームとして構成されていても同様の体験を提供できる。
【０６０８】
［その他の使用例］
また、これらの符号化又は復号処理は、一般的に各端末が有するＬＳＩｅｘ５００において処理される。ＬＳＩｅｘ５００は、ワンチップであっても複数チップからなる構成であってもよい。なお、動画像符号化又は復号用のソフトウェアをコンピュータｅｘ１１１等で読み取り可能な何らかの記録メディア（ＣＤ−ＲＯＭ、フレキシブルディスク、又はハードディスクなど）に組み込み、そのソフトウェアを用いて符号化又は復号処理を行ってもよい。さらに、スマートフォンｅｘ１１５がカメラ付きである場合には、そのカメラで取得した動画データを送信してもよい。このときの動画データはスマートフォンｅｘ１１５が有するＬＳＩｅｘ５００で符号化処理されたデータである。
【０６０９】
なお、ＬＳＩｅｘ５００は、アプリケーションソフトをダウンロードしてアクティベートする構成であってもよい。この場合、端末は、まず、当該端末がコンテンツの符号化方式に対応しているか、又は、特定サービスの実行能力を有するかを判定する。端末がコンテンツの符号化方式に対応していない場合、又は、特定サービスの実行能力を有さない場合、端末は、コーデック又はアプリケーションソフトをダウンロードし、その後、コンテンツ取得及び再生する。
【０６１０】
また、インターネットｅｘ１０１を介したコンテンツ供給システムｅｘ１００に限らず、デジタル放送用システムにも上記各実施の形態の少なくとも動画像符号化装置（画像符号化装置）又は動画像復号化装置（画像復号装置）のいずれかを組み込むことができる。衛星などを利用して放送用の電波に映像と音が多重化された多重化データを載せて送受信するため、コンテンツ供給システムｅｘ１００のユニキャストがし易い構成に対してマルチキャスト向きであるという違いがあるが符号化処理及び復号処理に関しては同様の応用が可能である。
【０６１１】
［ハードウェア構成］
図３７は、スマートフォンｅｘ１１５を示す図である。また、図３８は、スマートフォンｅｘ１１５の構成例を示す図である。スマートフォンｅｘ１１５は、基地局ｅｘ１１０との間で電波を送受信するためのアンテナｅｘ４５０と、映像及び静止画を撮ることが可能なカメラ部ｅｘ４６５と、カメラ部ｅｘ４６５で撮像した映像、及びアンテナｅｘ４５０で受信した映像等が復号されたデータを表示する表示部ｅｘ４５８とを備える。スマートフォンｅｘ１１５は、さらに、タッチパネル等である操作部ｅｘ４６６と、音声又は音響を出力するためのスピーカ等である音声出力部ｅｘ４５７と、音声を入力するためのマイク等である音声入力部ｅｘ４５６と、撮影した映像或いは静止画、録音した音声、受信した映像或いは静止画、メール等の符号化されたデータ、又は、復号化されたデータを保存可能なメモリ部ｅｘ４６７と、ユーザを特定し、ネットワークをはじめ各種データへのアクセスの認証をするためのＳＩＭｅｘ４６８とのインタフェース部であるスロット部ｅｘ４６４とを備える。なお、メモリ部ｅｘ４６７の代わりに外付けメモリが用いられてもよい。
【０６１２】
また、表示部ｅｘ４５８及び操作部ｅｘ４６６等を統括的に制御する主制御部ｅｘ４６０と、電源回路部ｅｘ４６１、操作入力制御部ｅｘ４６２、映像信号処理部ｅｘ４５５、カメラインタフェース部ｅｘ４６３、ディスプレイ制御部ｅｘ４５９、変調／復調部ｅｘ４５２、多重／分離部ｅｘ４５３、音声信号処理部ｅｘ４５４、スロット部ｅｘ４６４、及びメモリ部ｅｘ４６７とがバスｅｘ４７０を介して接続されている。
【０６１３】
電源回路部ｅｘ４６１は、ユーザの操作により電源キーがオン状態にされると、バッテリパックから各部に対して電力を供給することによりスマートフォンｅｘ１１５を動作可能な状態に起動する。
【０６１４】
スマートフォンｅｘ１１５は、ＣＰＵ、ＲＯＭ及びＲＡＭ等を有する主制御部ｅｘ４６０の制御に基づいて、通話及データ通信等の処理を行う。通話時は、音声入力部ｅｘ４５６で収音した音声信号を音声信号処理部ｅｘ４５４でデジタル音声信号に変換し、これを変調／復調部ｅｘ４５２でスペクトラム拡散処理し、送信／受信部ｅｘ４５１でデジタルアナログ変換処理及び周波数変換処理を施した後にアンテナｅｘ４５０を介して送信する。また受信データを増幅して周波数変換処理及びアナログデジタル変換処理を施し、変調／復調部ｅｘ４５２でスペクトラム逆拡散処理し、音声信号処理部ｅｘ４５４でアナログ音声信号に変換した後、これを音声出力部ｅｘ４５７から出力する。データ通信モード時は、本体部の操作部ｅｘ４６６等の操作によってテキスト、静止画、又は映像データが操作入力制御部ｅｘ４６２を介して主制御部ｅｘ４６０に送出され、同様に送受信処理が行われる。データ通信モード時に映像、静止画、又は映像と音声を送信する場合、映像信号処理部ｅｘ４５５は、メモリ部ｅｘ４６７に保存されている映像信号又はカメラ部ｅｘ４６５から入力された映像信号を上記各実施の形態で示した動画像符号化方法によって圧縮符号化し、符号化された映像データを多重／分離部ｅｘ４５３に送出する。また、音声信号処理部ｅｘ４５４は、映像又は静止画等をカメラ部ｅｘ４６５で撮像中に音声入力部ｅｘ４５６で収音した音声信号を符号化し、符号化された音声データを多重／分離部ｅｘ４５３に送出する。多重／分離部ｅｘ４５３は、符号化済み映像データと符号化済み音声データを所定の方式で多重化し、変調／復調部（変調／復調回路部）ｅｘ４５２、及び送信／受信部ｅｘ４５１で変調処理及び変換処理を施してアンテナｅｘ４５０を介して送信する。
【０６１５】
電子メール又はチャットに添付された映像、又はウェブページ等にリンクされた映像を受信した場合、アンテナｅｘ４５０を介して受信された多重化データを復号するために、多重／分離部ｅｘ４５３は、多重化データを分離することにより、多重化データを映像データのビットストリームと音声データのビットストリームとに分け、同期バスｅｘ４７０を介して符号化された映像データを映像信号処理部ｅｘ４５５に供給するとともに、符号化された音声データを音声信号処理部ｅｘ４５４に供給する。映像信号処理部ｅｘ４５５は、上記各実施の形態で示した動画像符号化方法に対応した動画像復号化方法によって映像信号を復号し、ディスプレイ制御部ｅｘ４５９を介して表示部ｅｘ４５８から、リンクされた動画像ファイルに含まれる映像又は静止画が表示される。また音声信号処理部ｅｘ４５４は、音声信号を復号し、音声出力部ｅｘ４５７から音声が出力される。なおリアルタイムストリーミングが普及しているため、ユーザの状況によっては音声の再生が社会的にふさわしくない場も起こりえる。そのため、初期値としては、音声信号は再生せず映像データのみを再生する構成の方が望ましい。ユーザが映像データをクリックするなど操作を行った場合にのみ音声を同期して再生してもよい。
【０６１６】
またここではスマートフォンｅｘ１１５を例に説明したが、端末としては符号化器及び復号化器を両方持つ送受信型端末の他に、符号化器のみを有する送信端末、及び、復号化器のみを有する受信端末という３通りの実装形式が考えられる。さらに、デジタル放送用システムにおいて、映像データに音声データなどが多重化された多重化データを受信又は送信するとして説明したが、多重化データには、音声データ以外に映像に関連する文字データなどが多重化されてもよいし、多重化データではなく映像データ自体が受信又は送信されてもよい。
【０６１７】
なお、ＣＰＵを含む主制御部ｅｘ４６０が符号化又は復号処理を制御するとして説明したが、端末はＧＰＵを備えることも多い。よって、ＣＰＵとＧＰＵで共通化されたメモリ、又は共通に使用できるようにアドレスが管理されているメモリにより、ＧＰＵの性能を活かして広い領域を一括して処理する構成でもよい。これにより符号化時間を短縮でき、リアルタイム性を確保し、低遅延を実現できる。特に動き探索、デブロックフィルタ、ＳＡＯ（Ｓａｍｐｌｅ  Ａｄａｐｔｉｖｅ  Ｏｆｆｓｅｔ）、及び変換・量子化の処理を、ＣＰＵではなく、ＧＰＵでピクチャなどの単位で一括して行うと効率的である。
【産業上の利用可能性】
【０６１８】
本開示は、例えば、テレビジョン受像機、デジタルビデオレコーダー、カーナビゲーション、携帯電話、デジタルカメラ、デジタルビデオカメラ、テレビ会議システム、又は、電子ミラー等に利用可能である。
【符号の説明】
【０６１９】
１００  符号化装置
１０２  分割部
１０４  減算部
１０６  変換部
１０８  量子化部
１１０  エントロピー符号化部
１１２、２０４  逆量子化部
１１４、２０６  逆変換部
１１６、２０８  加算部
１１８、２１０  ブロックメモリ
１２０、２１２  ループフィルタ部
１２２、２１４  フレームメモリ
１２４、２１６  イントラ予測部
１２６、２１８  インター予測部
１２８、２２０  予測制御部
１６０、２６０  回路
１６２、２６２  メモリ
２００  復号装置
２０２  エントロピー復号部
【図１】
2019151284.tif 000005
【図２】
2019151284.tif 000006
【図３】
2019151284.tif 000007
【図４Ａ】
2019151284.tif 000008
【図４Ｂ】
2019151284.tif 000009
【図４Ｃ】
2019151284.tif 000010
【図５Ａ】
2019151284.tif 000011
【図５Ｂ】
2019151284.tif 000012
【図５Ｃ】
2019151284.tif 000013
【図５Ｄ】
2019151284.tif 000014
【図６】
2019151284.tif 000015
【図７】
2019151284.tif 000016
【図８】
2019151284.tif 000017
【図９Ａ】
2019151284.tif 000018
【図９Ｂ】
2019151284.tif 000019
【図９Ｃ】
2019151284.tif 000020
【図９Ｄ】
2019151284.tif 000021
【図１０】
2019151284.tif 000022
【図１１】
2019151284.tif 000023
【図１２Ａ】
2019151284.tif 000024
【図１２Ｂ】
2019151284.tif 000025
【図１２Ｃ】
2019151284.tif 000026
【図１２Ｄ】
2019151284.tif 000027
【図１２Ｅ】
2019151284.tif 000028
【図１２Ｆ】
2019151284.tif 000029
【図１２Ｇ】
2019151284.tif 000030
【図１２Ｈ】
2019151284.tif 000031
【図１２Ｉ】
2019151284.tif 000032
【図１２Ｊ】
2019151284.tif 000033
【図１３Ａ】
2019151284.tif 000034
【図１３Ｂ】
2019151284.tif 000035
【図１３Ｃ】
2019151284.tif 000036
【図１３Ｄ】
2019151284.tif 000037
【図１３Ｅ】
2019151284.tif 000038
【図１４】
2019151284.tif 000039
【図１５】
2019151284.tif 000040
【図１６】
2019151284.tif 000041
【図１７】
2019151284.tif 000042
【図１８】
2019151284.tif 000043
【図１９】
2019151284.tif 000044
【図２０】
2019151284.tif 000045
【図２１】
2019151284.tif 000046
【図２２】
2019151284.tif 000047
【図２３】
2019151284.tif 000048
【図２４】
2019151284.tif 000049
【図２５】
2019151284.tif 000050
【図２６】
2019151284.tif 000051
【図２７】
2019151284.tif 000052
【図２８】
2019151284.tif 000053
【図２９】
2019151284.tif 000054
【図３０】
2019151284.tif 000055
【図３１】
2019151284.tif 000056
【図３２】
2019151284.tif 000057
【図３３】
2019151284.tif 000058
【図３４】
2019151284.tif 000059
【図３５】
2019151284.tif 000060
【図３６】
2019151284.tif 000061
【図３７】
2019151284.tif 000062
【図３８】
2019151284.tif 000063
【国際調査報告】
2019151284.tif 000064
2019151284.tif 000065
2019151284.tif 000066
2019151284.tif 000067